(57)【要約】【課題】アンライセンス周波数を使用する場合にも良好な通信サービスを提供することを可能にする。【解決手段】本発明の通信装置は、アンライセンス周波数用の通信サービス品質を示す第１の制御情報を取得する情報取得部と、無線アクセスネットワークにおいて通信する通信ノードへ上記第１の制御情報を送信する通信処理部と、を備える。
2019146721.tif 000002
【特許請求の範囲】
【請求項１】
アンライセンス周波数用の通信サービス品質を示す第１の制御情報を取得する情報取得部と、
無線アクセスネットワークにおいて通信する通信ノードへ前記第１の制御情報を送信する通信処理部と、
を備える通信装置。
【請求項２】
前記第１の制御情報は、アンライセンス周波数用の１つ以上のサービス品質（ｑｕａｌｉｔｙ  ｏｆ  ｓｅｒｖｉｃｅ：ＱｏＳ）パラメータである、請求項１に記載の通信装置。
【請求項３】
前記１つ以上のＱｏＳパラメータは、アンライセンス周波数用の１つ以上のダウンリンク用のＱｏＳパラメータ、又は、アンライセンス周波数用の１つ以上のアップリンクのＱｏＳパラメータを含む、請求項２に記載の通信装置。
【請求項４】
前記１つ以上のＱｏＳパラメータは、アンライセンス周波数用の１つ以上の通信ベアラレベルのＱｏＳパラメータを含む、請求項２又は３に記載の通信装置。
【請求項５】
前記１つ以上の通信ベアラレベルのＱｏＳパラメータは、アンライセンス周波数用の品質クラス識別子（ｑｕａｌｉｔｙ  ｃｌａｓｓ  ｉｄｅｎｔｉｆｉｅｒ：ＱＣＩ）、割当保持優先度（ａｌｌｏｃａｔｉｏｎ  ａｎｄ  ｒｅｔｅｎｔｉｏｎ  ｐｒｉｏｒｉｔｙ：ＡＲＰ）、保証ビットレート（ｇｕａｒａｎｔｅｅｄ  ｂｉｔｒａｔｅ：ＧＢＲ）、最大ビットレート（ｍａｘｉｍｕｍ  ｂｉｔｒａｔｅ：ＭＢＲ）、パケット遅延バジェット（ｐａｃｋｅｔ  ｄｅｌａｙ  ｂｕｄｇｅｔ：ＰＤＢ）及びパケット誤り損失率（ｐａｃｋｅｔ  ｅｒｒｏｒ  ｌｏｓｓ  ｒａｔｅ：ＰＥＬＲ）のうちの少なくとも１つを含む、請求項４に記載の通信装置。
【請求項６】
前記１つ以上のＱｏＳパラメータは、アンライセンス周波数用の総最大ビットレート（ａｇｇｒｅｇａｔｅｄ  ｍａｘｉｍｕｍ  ｂｉｔｒａｔｅ：ＡＭＢＲ）を含む、請求項２〜５のいずれか１項に記載の通信装置。
【請求項７】
前記第１の制御情報は、通信ベアラごとに生成される情報である、請求項１〜５のいずれか１項に記載の通信装置。
【請求項８】
前記情報取得部は、前記第１の制御情報と、ライセンス周波数及びアンライセンス周波数のいずれを使用するかに関する第２の制御情報とを取得し、
前記通信処理部は、前記第１の制御情報及び前記第２の制御情報を前記通信ノードへ送信する、
請求項１〜７のいずれか１項に記載の通信装置。
【請求項９】
前記第２の制御情報は、通信ベアラごとに生成される情報である、請求項８に記載の通信装置。
【請求項１０】
前記第２の制御情報は、通信ベアラのためにライセンス周波数及びアンライセンス周波数のいずれを使用するかを示す情報である、請求項８又は９に記載の通信装置。
【請求項１１】
前記第２の制御情報は、通信ベアラのために使用される周波数を示す情報であり、
前記周波数は、ライセンス周波数及びアンライセンス周波数の一方である、
請求項８又は９に記載の通信装置。
【請求項１２】
前記第２の制御情報は、端末装置に関連する端末関連情報に基づいて当該端末装置のために生成される情報である、請求項８〜１１のいずれか１項に記載の通信装置。
【請求項１３】
前記第１の制御情報は、端末装置に関連する端末関連情報に基づいて当該端末装置のために生成される情報である、請求項１〜１２のいずれか１項に記載の通信装置。
【請求項１４】
前記端末関連情報は、アンライセンス周波数の使用についてのプリファレンス情報であって、前記端末装置により提供される当該プリファレンス情報を含む、請求項１２〜１３のいずれか１項に記載の通信装置。
【請求項１５】
前記端末関連情報は、アンライセンス周波数の使用についての加入者情報であって、前記端末装置のためにコアネットワークにおいて保持される当該加入者情報を含む、請求項１２〜１４のいずれか１項に記載の通信装置。
【請求項１６】
前記端末関連情報は、前記端末装置と通信する基地局及び前記端末装置の少なくとも一方の移動速度を示す移動速度情報、又は、前記基地局及び前記端末装置の少なくとも一方の位置を示す位置情報を含む、請求項１２〜１５のいずれか１項に記載の通信装置。
【請求項１７】
前記端末関連情報は、アンライセンス周波数におけるアンライセンス周波数用の通信サービス品質の達成状況に関する品質関連情報を含む、請求項１２〜１６のいずれか１項に記載の通信装置。
【請求項１８】
前記品質関連情報は、アンライセンス周波数における前記通信サービス品質の達成度を示す情報である、請求項１７に記載の通信装置。
【請求項１９】
前記達成度は、アンライセンス周波数における前記通信サービス品質が達成された時間的な割合である、請求項１８に記載の通信装置。
【請求項２０】
前記端末関連情報は、前記端末装置についての課金情報を含む、請求項１２〜１９のいずれか１項に記載の通信装置。
【請求項２１】
前記端末関連情報は、ライセンス周波数又はアンライセンス周波数における前記端末装置又は前記端末装置の通信ベアラの通信量を示す通信量情報を含む、請求項１２〜２０のいずれか１項に記載の通信装置。
【請求項２２】
前記情報取得部は、前記第１の制御情報と、ライセンス周波数用の通信サービス品質を示す第３の制御情報を取得し、
前記通信処理部は、前記第１の制御情報及び前記第３の制御情報を前記通信ノードへ送信する、
請求項１〜２１のいずれか１項に記載の通信装置。
【請求項２３】
前記通信装置は、コアネットワークノードであり、
前記通信ノードは、基地局又は端末装置である、
請求項１〜２２のいずれか１項に記載の通信装置。
【請求項２４】
前記通信処理部は、通信ベアラを設定するためのメッセージを前記通信ノードへ送信し、
前記メッセージは、前記第１の制御情報を含む、
請求項２３に記載の通信装置。
【請求項２５】
前記通信ノードは、基地局であり、
前記メッセージは、ＩＮＩＴＩＡＬ  ＣＯＮＴＥＸＴ  ＳＥＴＵＰ  ＲＥＱＵＥＳＴメッセージ又はＥ−ＲＡＢ  ＳＥＴＵＰ  ＲＥＱＵＥＳＴメッセージである、
請求項２４に記載の通信装置。
【請求項２６】
前記通信装置は、運用保守のための装置であり、
前記通信ノードは、基地局である、
請求項１〜２２のいずれか１項に記載の通信装置。
【請求項２７】
前記通信装置は、基地局であり、
前記通信ノードは、他の基地局又は端末装置である、
請求項１〜２２のいずれか１項に記載の通信装置。
【請求項２８】
前記通信処理部は、論理チャネル又は通信ベアラのためのコンフィギュレーション情報を前記通信ノードへ送信し、
前記コンフィギュレーション情報は、前記第１の制御情報を含む、
請求項２７に記載の通信装置。
【請求項２９】
前記コンフィギュレーション情報は、ＬｏｇｉｃａｌＣｈａｎｎｅｌＣｏｎｆｉｇである、請求項２８に記載の通信装置。
【請求項３０】
前記通信装置は、ハンドオーバのソース基地局であり、
前記通信ノードは、ハンドオーバのターゲット基地局であり、
前記通信処理部は、前記第１の制御情報を含むハンドオーバ要求メッセージを前記通信ノードへ送信する、
請求項２７〜２９のいずれか１項に記載の通信装置。
【請求項３１】
前記通信装置は、デュアルコネクティビティのマスタ基地局であり、
前記通信ノードは、デュアルコネクティビティのセカンダリ基地局であり、
前記通信処理部は、前記第１の制御情報を含むデュアルコネクティビティ関連メッセージを前記通信ノードへ送信する、
請求項２７〜２９のいずれか１項に記載の通信装置。
【請求項３２】
アンライセンス周波数用の通信サービス品質を示す第１の制御情報を受信する第１通信処理部と、
前記第１の制御情報に基づいて、アンライセンス周波数を使用する無線通信の制御を行う第２通信処理部と、
を備える基地局。
【請求項３３】
前記制御は、前記無線通信のための無線リソースの割当てを含む、請求項３２に記載の基地局。
【請求項３４】
前記制御は、前記無線通信の速度制御を含む、請求項３２又は３３に記載の基地局。
【請求項３５】
前記第１通信処理部は、前記第１の制御情報を他の基地局へ送信し、又は
前記第２通信処理部は、前記第１の制御情報を端末装置へ送信し、
請求項３２〜３４のいずれか１項に記載の基地局。
【請求項３６】
前記第１通信処理部は、ライセンス周波数及びアンライセンス周波数のいずれを使用するかに関する第２の制御情報を受信し、
前記第２通信処理部は、前記第２の制御情報に基づいて、ライセンス周波数及びアンライセンス周波数のいずれを使用するかを決定する、
請求項３２〜３５のいずれか１項に記載の基地局。
【請求項３７】
前記第２通信処理部は、前記第２の制御情報と、アンライセンス周波数における通信の状況とに基づいて、ライセンス周波数及びアンライセンス周波数のいずれを使用するかを決定する、請求項３６に記載の基地局。
【請求項３８】
前記状況は、アンライセンス周波数における干渉の状況、及びアンライセンス周波数におけるレーダーの状況のうちの少なくとも一方を含む、請求項３７に記載の基地局。
【請求項３９】
アンライセンス周波数用の通信サービス品質を示す第１の制御情報を受信する通信処理部と、
前記通信処理部は、前記第１の制御情報に基づいて、アンライセンス周波数における前記通信サービス品質の達成状況についての測定を行う測定部と、
を備える端末装置。
【請求項４０】
前記測定は、アンライセンス周波数において前記通信サービス品質が達成されるかの測定である、請求項３９に記載の端末装置。
【請求項４１】
前記測定は、アンライセンス周波数における前記通信サービス品質の達成度の測定である、請求項３９に記載の端末装置。
【請求項４２】
前記通信処理部は、ライセンス周波数及びアンライセンス周波数のいずれを使用するかに関する第２の制御情報を受信し、当該第２の制御情報に基づいて、使用する周波数を決定する、請求項３９〜４１のいずれか１項に記載の端末装置。
【請求項４３】
前記第２の制御情報は、通信ベアラごとに生成される情報であり、
前記通信処理部は、前記第２の制御情報に基づいて、前記第２の制御情報に対応する通信ベアラのために使用する周波数を決定する、
請求項４２に記載の端末装置。
【請求項４４】
アンライセンス周波数用の通信サービス品質を示す第１の制御情報を取得することと、
無線アクセスネットワークにおいて通信する通信ノードへ前記第１の制御情報を送信することと、
を含む方法。
【請求項４５】
アンライセンス周波数用の通信サービス品質を示す第１の制御情報を受信することと、
前記第１の制御情報に基づいて、アンライセンス周波数を使用する無線通信の制御を行うことと、
を含む方法。
【請求項４６】
アンライセンス周波数用の通信サービス品質を示す第１の制御情報を受信することと、
前記第１の制御情報に基づいて、アンライセンス周波数における前記通信サービス品質の達成状況についての測定を行うことと、
を含む方法。
【請求項４７】
アンライセンス周波数用の通信サービス品質を示す第１の制御情報を取得することと、
無線アクセスネットワークにおいて通信する通信ノードへ前記第１の制御情報を送信することと、
をプロセッサに実行させるプログラム。
【請求項４８】
アンライセンス周波数用の通信サービス品質を示す第１の制御情報を受信することと、
前記第１の制御情報に基づいて、アンライセンス周波数を使用する無線通信の制御を行うことと、
をプロセッサに実行させるプログラム。
【請求項４９】
アンライセンス周波数用の通信サービス品質を示す第１の制御情報を受信することと、
前記第１の制御情報に基づいて、アンライセンス周波数における前記通信サービス品質の達成状況についての測定を行うことと、
をプロセッサに実行させるプログラム。
【請求項５０】
アンライセンス周波数用の通信サービス品質を示す第１の制御情報を取得することと、
無線アクセスネットワークにおいて通信する通信ノードへ前記第１の制御情報を送信することと、
をプロセッサに実行させるプログラムを記録したコンピュータに読み取り可能な非一時的記録媒体。
【請求項５１】
アンライセンス周波数用の通信サービス品質を示す第１の制御情報を受信することと、
前記第１の制御情報に基づいて、アンライセンス周波数を使用する無線通信の制御を行うことと、
をプロセッサに実行させるプログラムを記録したコンピュータに読み取り可能な非一時的記録媒体。
【請求項５２】
アンライセンス周波数用の通信サービス品質を示す第１の制御情報を受信することと、
前記第１の制御情報に基づいて、アンライセンス周波数における前記通信サービス品質の達成状況についての測定を行うことと、
をプロセッサに実行させるプログラムを記録したコンピュータに読み取り可能な非一時的記録媒体。
【発明の詳細な説明】
【技術分野】
【０００１】
本発明は、通信装置、基地局、端末装置、方法、プログラム、及びコンピュータに読み取り可能な非一時的記録媒体に関する。
【背景技術】
【０００２】
昨今の移動体通信ネットワークでは、トラフィックが急激に増加してきている。ＬＴＥ（Ｌｏｎｇ  Ｔｅｒｍ  Ｅｖｏｌｕｔｉｏｎ）においては、無線容量を拡大させ、データレートを高めるために、アンライセンス周波数（ｕｎｌｉｃｅｎｓｅｄ  ｓｐｅｃｔｒｕｍ）を用いる方式が検討されている。【０００３】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）では、アンライセンス周波数を使用する方式として、Ｒｅｌｅａｓｅ  １３向けにＬＡＡ（Ｌｉｃｅｎｓｅ−Ａｓｓｉｓｔｅｄ  Ａｃｃｅｓｓ）、ＬＷＡ（ＬＴＥ−ＷＬＡＮ  Ａｇｇｒｅｇａｔｉｏｎ）及びＬＷＩＰ（ＬＴＥ  ＷＬＡＮ  Ｒａｄｉｏ  Ｌｅｖｅｌ  Ｉｎｔｅｇｒａｔｉｏｎ  ｗｉｔｈ  ＩＰｓｅｃ  Ｔｕｎｎｅｌ）が検討されている。また、ＬＴＥ−Ｕ  Ｆｏｒｕｍでは、アンライセンス周波数を使用する方式として、ＬＴＥ−Ｕ（Ｌｏｎｇ  Ｔｅｒｍ  Ｅｖｏｌｕｔｉｏｎ  Ｕｎｌｉｃｅｎｓｅｄ）が検討されている。また、ＭｕＬＴＥＦｉｒｅ  ｆｏｒｕｍでは、アンライセンス周波数を使用して単独で動作するＬＴＥシステム（ＭｕＬＴＥＦｉｒｅ）が検討されている。【０００４】
例えば、特許文献１には、ライセンスバンドのみを用いてデータ通信するか、アンライセンスバンドのみを用いてデータ通信するか、又は、ライセンスバンドとアンライセンスバンドの両方を用いてデータ通信するかを示す情報が、制御装置から基地局へ送信されることが、記載されている。さらに、特許文献１には、ベアラのＱｏＳ（Ｑｕａｌｉｔｙ  ｏｆ  Ｓｅｒｖｉｃｅ）を示す情報も制御装置から基地局へ送信されることが記載されている。
【先行技術文献】
【特許文献】
【０００５】
【特許文献１】特開２０１６−１９７７９６号公報
【発明の概要】
【発明が解決しようとする課題】
【０００６】
しかし、特許文献１に記載の技術では、ＱｏＳがライセンス周波数（ｌｉｃｅｎｓｅｄ  ｓｐｅｃｔｒｕｍ）とアンライセンス周波数との間で共通であるため、例えば、アンライセンス周波数を使用するデータ通信にも、ライセンス周波数を使用するデータ通信と同じＱｏＳ（例えば比較的高いＱｏＳ）が要求され得る。そのため、例えば、アンライセンス周波数におけるトラフィックが大きくなり、アンライセンス周波数が輻輳し得る。その結果、アンライセンス周波数のために本来必要なＱｏＳを達成することすらも困難になり得る。【０００７】
本発明の目的は、アンライセンス周波数を使用する場合にも良好な通信サービスを提供することを可能にする通信装置、基地局及び端末装置を提供することにある。
【課題を解決するための手段】
【０００８】
本発明の一側面に係る通信装置は、アンライセンス周波数用の通信サービス品質を示す第１の制御情報を取得する情報取得部と、無線アクセスネットワークにおいて通信する通信ノードへ上記第１の制御情報を送信する通信処理部と、を備える。【０００９】
本発明の一側面に係る基地局は、アンライセンス周波数用の通信サービス品質を示す第１の制御情報を受信する第１通信処理部と、上記第１の制御情報に基づいて、アンライセンス周波数を使用する無線通信の制御を行う第２通信処理部と、を備える。【００１０】
本発明の一側面に係る端末装置は、アンライセンス周波数用の通信サービス品質を示す第１の制御情報を受信する通信処理部と、上記通信処理部は、上記第１の制御情報に基づいて、アンライセンス周波数における上記通信サービス品質の達成状況についての測定を行う測定部と、を備える。【００１１】
本発明の一側面に係る第１の方法は、アンライセンス周波数用の通信サービス品質を示す第１の制御情報を取得することと、無線アクセスネットワークにおいて通信する通信ノードへ上記第１の制御情報を送信することと、を含む。【００１２】
本発明の一側面に係る第２の方法は、アンライセンス周波数用の通信サービス品質を示す第１の制御情報を受信することと、上記第１の制御情報に基づいて、アンライセンス周波数を使用する無線通信の制御を行うことと、を含む。【００１３】
本発明の一側面に係る第３の方法は、アンライセンス周波数用の通信サービス品質を示す第１の制御情報を受信することと、上記第１の制御情報に基づいて、アンライセンス周波数における上記通信サービス品質の達成状況についての測定を行うことと、を含む。【００１４】
本発明の一側面に係る第１のプログラムは、アンライセンス周波数用の通信サービス品質を示す第１の制御情報を取得することと、無線アクセスネットワークにおいて通信する通信ノードへ上記第１の制御情報を送信することと、をプロセッサに実行させる。【００１５】
本発明の一側面に係る第２のプログラムは、アンライセンス周波数用の通信サービス品質を示す第１の制御情報を受信することと、上記第１の制御情報に基づいて、アンライセンス周波数を使用する無線通信の制御を行うことと、をプロセッサに実行させる。【００１６】
本発明の一側面に係る第３のプログラムは、アンライセンス周波数用の通信サービス品質を示す第１の制御情報を受信することと、上記第１の制御情報に基づいて、アンライセンス周波数における上記通信サービス品質の達成状況についての測定を行うことと、をプロセッサに実行させる。【００１７】
本発明の一側面に係る第１のコンピュータに読み取り可能な非一時的記録媒体は、アンライセンス周波数用の通信サービス品質を示す第１の制御情報を取得することと、無線アクセスネットワークにおいて通信する通信ノードへ上記第１の制御情報を送信することと、をプロセッサに実行させるプログラムを記録する。【００１８】
本発明の一側面に係る第２のコンピュータに読み取り可能な非一時的記録媒体は、アンライセンス周波数用の通信サービス品質を示す第１の制御情報を受信することと、上記第１の制御情報に基づいて、アンライセンス周波数を使用する無線通信の制御を行うことと、をプロセッサに実行させるプログラムを記録する。【００１９】
本発明の一側面に係る第３のコンピュータに読み取り可能な非一時的記録媒体は、アンライセンス周波数用の通信サービス品質を示す第１の制御情報を受信することと、上記第１の制御情報に基づいて、アンライセンス周波数における上記通信サービス品質の達成状況についての測定を行うことと、をプロセッサに実行させるプログラムを記録する。
【発明の効果】
【００２０】
本発明によれば、アンライセンス周波数を使用する場合にも良好な通信サービスを提供することが可能になる。なお、本発明により、当該効果の代わりに、又は当該効果とともに、他の効果が奏されてもよい。
【図面の簡単な説明】
【００２１】
【図１】第１の実施形態に係るシステムの概略的な構成の一例を示す説明図である。
【図２】第１の実施形態に係るシステムが３ＧＰＰの４Ｇシステムであるケースの例を説明するための説明図である。
【図３】第１の実施形態に係るシステムが３ＧＰＰの５Ｇシステムであるケースの例を説明するための説明図である。
【図４】第１の実施形態に係る第１コアネットワークノードの概略的な構成の例を示すブロック図である。
【図５】第１の実施形態に係る第２コアネットワークノードの概略的な構成の例を示すブロック図である。
【図６】第１の実施形態に係る第３コアネットワークノードの概略的な構成の例を示すブロック図である。
【図７】第１の実施形態に係る第４コアネットワークノードの概略的な構成の例を示すブロック図である。
【図８】第１の実施形態に係る第５コアネットワークノードの概略的な構成の例を示すブロック図である。
【図９】第１の実施形態に係る基地局の概略的な構成の例を示すブロック図である。
【図１０】第１の実施形態に係る端末装置の概略的な構成の例を示すブロック図である。
【図１１】第３コアネットワークノードにより保持される加入者情報の例を説明するための説明図である。
【図１２】第１の実施形態に係るＩＮＩＴＩＡＬ  ＣＯＮＴＥＸＴ  ＳＥＴＵＰ  ＲＥＱＵＥＳＴメッセージの例を説明するための説明図である。
【図１３】第１の実施形態に係るＵＥ  Ａｇｇｒｅｇａｔｅ  Ｍａｘｉｍｕｍ  Ｂｉｔ  Ｒａｔｅ  ｆｏｒ  Ｕｎｌｉｃｅｎｓｅｄ  ｂａｎｄの例を説明するための説明図である。
【図１４】第１の実施形態に係るＥ−ＲＡＢ  Ｌｅｖｅｌ  ＱｏＳ  Ｐａｒａｍｅｔｅｒｓ  ｆｏｒ  Ｕｎｌｉｃｅｎｓｅｄ  ｂａｎｄの例を説明するための説明図である。
【図１５】第１の実施形態に係るＬｉｃｅｎｓｅ  ｅｘｅｍｐｔ  ａｃｃｅｓｓ  ｐｒｏｆｉｌｅの例を説明するための説明図である。
【図１６】第１の実施形態に係るＬｏｇｉｃａｌＣｈａｎｎｅｌＣｏｎｆｉｇの例を説明するための説明図である。
【図１７】第１の実施形態に係るｌａａ−ＤＬ−Ａｌｌｏｗｅｄ−ｒｘｘの例を説明するための説明図である。
【図１８】第１の実施形態に係る制御情報に関連する一連の動作を説明するためのシーケンス図である。
【図１９】第１の実施形態の第１の変形例に係る運用保守装置の概略的な構成の例を示すブロック図である。
【図２０】第１の実施形態の第２の変形例に係るＧＴＰヘッダの例を説明するための説明図である。
【図２１】第２の実施形態に係るシステムの概略的な構成の一例を示す説明図である。
【図２２】第２の実施形態に係る通信装置の概略的な構成の例を示すブロック図である。
【図２３】第３の実施形態に係るシステムの概略的な構成の一例を示す説明図である。
【図２４】第３の実施形態に係る端末装置の概略的な構成の例を示すブロック図である。
【図２５】第３の実施形態に係る基地局の概略的な構成の例を示すブロック図である。
【図２６】第３の実施形態に係るコアネットワークノードの概略的な構成の例を示すブロック図である。
【発明を実施するための形態】
【００２２】
以下、添付の図面を参照して本発明の実施形態を詳細に説明する。なお、本明細書及び図面において、同様に説明されることが可能な要素については、同一の符号を付することにより重複説明が省略され得る。
【００２３】
説明は、以下の順序で行われる。
１．関連技術
２．第１の実施形態
２．１．システムの構成
２．２．各ノードの構成
２．２．１．第１コアネットワークノードの構成
２．２．２．第２コアネットワークノードの構成
２．２．３．第３コアネットワークノードの構成
２．２．４．第４コアネットワークノードの構成
２．２．５．第５コアネットワークノードの構成
２．２．６．基地局の構成
２．２．７．端末装置の構成
２．３．技術的特徴
２．４．第１の変形例
２．５．第２の変形例
３．第２の実施形態
３．１．システムの構成
３．２．通信装置の構成
３．３．技術的特徴
４．第３の実施形態
４．１．システムの構成
４．２．各ノードの構成
４．２．１．端末装置の構成
４．２．２．基地局の構成
４．２．３．コアネットワークノードの構成
４．３．技術的特徴
【００２４】
＜＜＜１．関連技術＞＞＞
本発明の実施形態に関連する技術として、アンライセンス周波数を使用する方式等を説明する。
【００２５】
（１）アンライセンス周波数を使用する方式
アンライセンス周波数とは、電波免許の取得なしに使用可能な周波数（即ち、免許不要の周波数）である。アンライセンス周波数の代りに、アンライセンスバンドという用語が用いられてもよい。アンライセンス周波数として、例えば、２．４ＭＨｚ帯の周波数、５ＭＨｚ帯の周波数等がある。
【００２６】
アンライセンス周波数を使用する無線通信の例として、２．４ＭＨｚ帯又は５ＭＨｚ帯を用いたＷＬＡＮ（Ｗｉｒｅｌｅｓｓ  Ｌｏｃａｌ  Ａｒｅａ  Ｎｅｔｗｏｒｋ）通信が挙げられる。アンライセンス周波数を使用する無線通信は、Ｌｉｃｅｎｓｅ  Ｅｘｅｍｐｔ  Ａｃｃｅｓｓと呼ばれてもよい。
【００２７】
ＬＴＥにおいてアンライセンス周波数を使用する方式として、ＬＡＡ、ＬＴＥ−Ｕ、ＬＷＡ、ＬＷＩＰ、ＲＣＬＷＩ、及びＭｕＬＴＥＦｉｒｅ等がある。
【００２８】
（２）ＬＡＡ（Ｌｉｃｅｎｓｅ−Ａｓｓｉｓｔｅｄ  Ａｃｃｅｓｓ）
通信事業者は、既存のＬＴＥ−Ａｄｖａｎｃｅｄ（ＬＴＥ−Ａ）をアンライセンス周波数で拡張することを考慮してきている。３ＧＰＰ  Ｒｅｌｅａｓｅ  １３では、ＬＡＡという方式が検討されている。ＬＡＡでは、ＬＴＥのキャリアアグリゲーション（Ｃａｒｒｉｅｒ  Ａｇｇｒｅｇａｔｉｏｎ：ＣＡ）を、ライセンスの周波数とアンライセンス周波数（例えば、５Ｇｈｚ周波数帯の周波数）との組合わせに適用することが可能になる。
【００２９】
ＬＡＡの方式はＬＴＥの技術に基づいているため、ＬＴＥと同じくＥＰＣ（Ｅｖｏｌｖｅｄ  Ｐａｃｋｅｔ  Ｃｏｒｅ）、認証方式及び保守運用システムを用いることができる。ただし、５ＧＨｚ帯のアンライセンス周波数では、各国の規制の要求条件を考慮する必要がある。例えば、５ＧＨｚ帯を使用するＷＬＡＮ製品でも、利用可能なチャネル及び送信電力等に規制が設けられている。また、５ＧＨｚ帯のアンライセンス周波数では、他の通信方式との干渉を避けるためにＬＢＴ（Ｌｉｓｔｅｎ  Ｂｅｆｏｒｅ  Ｔａｌｋ）が必要となる。ＬＢＴでは、装置は、アンライセンス周波数のチャネルを使用する前にＣＣＡ（Ｃｌｅａｒ  Ｃｈａｎｎｅｌ  ａｓｓｅｓｓｍｅｎｔ）を行う。ＬＢＴの一例としては、ＷＬＡＮのＣＳＭＡ／ＣＡ（Ｃａｒｒｉｅｒ  Ｓｅｎｓｅ  Ｍｕｌｔｉｐｌｅ  Ａｃｃｅｓｓ／Ｃｏｌｌｉｓｉｏｎ  Ａｖｏｉｄａｎｃｅ）方式がある。アンライセンス周波数がアイドルであるか（即ち、アンライセンス周波数で他の通信が行われていないか）を確認するために、アンライセンス周波数についての測定が行われる。
【００３０】
また、アンライセンス周波数（特に５ＧＨｚ帯の周波数）は、ＷｉＦｉ（ＷＬＡＮ）の無線通信に既に使用されている。ＬＡＡにより５ＧＨｚ帯でＬＴＥサービスを開始した場合に、ＷｉＦｉ側の通信に大きな影響を与えることは望ましくない。そのため、ＬＡＡでは、ＬＢＴが行われる。即ち、基地局又は端末装置は、通信の開始前に、チャネルの使用状況を監視（ｍｏｎｉｔｏｒ）又はリスニング（ｌｉｓｔｅｎ）する。また、基地局又は端末装置がチャネルを使用して通信する場合に、バースト長（通信時間）は短い長さ（例えば日本では４ｍｓｅｃ以内）に制限される。なお、アンライセンス周波数についての規制は各国で異なる。
【００３１】
ＬＡＡでは、ＷｉＦｉと同様にＳＣｅｌｌ（Ｓｅｃｏｎｄａｒｙ  Ｃｅｌｌ）での通信にＬＢＴを適用することにより、ＷｉＦｉとフェアな共存が実現される。異なる移動体通信事業者（Ｍｏｂｉｌｅ  Ｎｅｔｗｏｒｋ  Ｏｐｅｒａｔｏｒ：  ＭＮＯ）の通信（ＬＡＡでのＳＣｅｌｌにおける通信）の間でもＬＢＴが適用される。これにより、移動体通信事業者間での公平さが実現される。さらに、５ＧＨｚ帯での通信のためには、ＤＦＳ（Ｄｙｎａｍｉｃ  Ｆｒｅｑｕｅｎｃｙ  Ｓｅｌｅｃｔｉｏｎ）の機能が必要である。ＤＦＳとは、ＷＬＡＮの通信が気象レーダー等に影響を与えないように使用チャネルを変更する機能である。５ＧＨｚ帯のうちの、ＷＬＡＮにより使用されるチャネルは、既存の各種レーダーにより使用される周波数と重複しているので、このチャネルを使用するアクセスポイントは、レーダー等の干渉波を常に監視し、当該干渉波が検出されれば、上記チャネルから他のチャネルへのチャネルの切替えを行う。このようなＤＦＳは、電波状況に応じてアクセスポイントの電力を調整するＴＰＣ（Ｔｒａｎｓｍｉｔ  Ｐｏｗｅｒ  Ｃｏｎｔｒｏｌ）機能とともに、５ＧＨｚ帯をサポートするＷＬＡＮのアクセスポイントに必須の機能である。ＬＴＥにおいてＬＡＡによりアンライセンス周波数（例えば、５ＧＨｚ帯の周波数）が使用される場合でも、ＤＦＳ及びＴＰＣが必要となる。
【００３２】
ＬＡＡの実現により、５ＧＨｚ帯ではかなり多くのアンライセンス周波数（例えば、ヨーロッパでは６００ＭＨｚ以上）が使用可能であるので、スモールセルの容量を拡張させ、高速通信を行うことが可能になる。そのため、移動体通信事業者はＬＡＡの導入を求めている。５ＧＨｚ帯での通信サービスにより、ＬＴＥの加入者もより高いデータレートのサービスを享受することができるようになる。
【００３３】
キャリアアグリゲーションでは、ライセンス周波数をプライマリセル（ＰＣｅｌｌ）として使用し、アンライセンス周波数をセカンダリセル（ＳＣｅｌｌ）として使用することができる。
【００３４】
（３）ＬＴＥ−Ｕ（Ｌｏｎｇ  Ｔｅｒｍ  Ｅｖｏｌｕｔｉｏｎ  Ｕｎｌｉｃｅｎｓｅｄ）
ＬＴＥ−Ｕは、ＬＴＥ−Ｕ  Ｆｏｒｕｍにて規格として定められた通信方式であり、３ＧＰＰ  ＲＥＬ１０／ＲＥＬ１１／ＲＥＬ１２ベースで互換性を持ち、アメリカでの規制方式を満足する方式である。なお、米国では５ＧＨｚ帯において電波発射前のＬＢＴ（Ｌｉｓｔｅｎ  Ｂｅｆｏｒｅ  Ｔａｌｋ）が必要ではない。ＬＴＥ−Ｕでは、ＬＡＡと同様に、ライセンスバンド（ｌｉｃｅｎｓｅｄ  ｂａｎｄ）と５ＧＨｚ帯のアンライセンスバンド（ｕｎｌｉｃｅｎｓｅｄ  ｂａｎｄ）とを使用して、ＳＤＬ（Ｓｕｐｐｌｅｍｅｎｔａｒｙ  Ｄｏｗｎｌｉｎｋ）周波数でのキャリアアグリゲーション（ＣＡ）を行う。
【００３５】
（４）ＬＷＡ（ＬＴＥ−ＷＬＡＮ  Ａｇｇｒｅｇａｔｉｏｎ）
アンライセンス周波数ではＩＥＥＥ８０２．１１ベース（ＩＥＥＥ８０２．１１ａ／ｂ／ｇ／ｎ／ａｃ等）のＷＬＡＮ通信を行い、ライセンス周波数ではＬＴＥ通信を行うことにより、ＬＴＥとＷＬＡＮ（Ｗｉｒｅｌｅｓｓ  Ｌｏｃａｌ  Ａｒｅａ  Ｎｅｔｗｏｒｋ）とにより無線レベルでのアグリゲーションが実現される。ＬＷＡについては、ＬＴＥの装置とＷＬＡＮの装置が１つの装置内に共存（ｃｏ−ｅｘｉｓｔ）するケースと、ＬＴＥの装置とＷＬＡＮの装置が共存しない（ｎｏｎ−ｃｏ−ｅｘｉｓｔ）ケースとが検討されている。
【００３６】
（５）ＬＷＩＰ（ＬＴＥ／ＷＬＡＮ  Ｒａｄｉｏ  Ｌｅｖｅｌ  Ｉｎｔｅｇｒａｔｉｏｎ  ｗｉｔｈ  ＩＰｓｅｃ  Ｔｕｎｎｅｌ）
ＬＷＩＰは、ＩＰｓｅｃ（Ｓｅｃｕｒｉｔｙ  Ａｒｃｈｉｔｅｃｔｕｒｅ  ｆｏｒ  Ｉｎｔｅｒｎｅｔ  Ｐｒｏｔｏｃｏｌ）トンネルを使用してＷＬＡＮの無線リソースと、ＬＴＥとを結合する方式である。ＵＥ（Ｕｓｅｒ  Ｅｑｕｉｐｍｅｎｔ）あたりに１つのＩＰｓｅｃトンネルを用いてベアラのデータが送受信される。各ＩＰＳｅｃトンネルは、ＧＴＰ−Ｕ（ＧＰＲＳ  Ｔｕｎｎｅｌｉｎｇ  Ｐｒｏｔｏｃｏｌ  ｆｏｒ  Ｕｓｅｒ  Ｐｌａｎｅ）及びＸｗインタフェースにわたって位置する。ダウンリンクデータのみ、アップリンクデータのみ、又は、ダウンリンクデータ及びアップリンクデータの両方が、ＩＰｓｅｃトンネルを通って送受信されるように、各データベアラが設定される。
【００３７】
（６）ＲＣＬＷＩ（ＲＡＮ  Ｃｏｎｔｒｏｌｌｅｄ  ＷＬＡＮ  Ｉｎｔｅｒｗｏｒｋｉｎｇ）
ＵＥがＬＴＥで接続されている間に、Ｅ−ＵＴＲＡＮとＷＬＡＮとの間でのトラフィックの制御が行われる。Ｅ−ＵＴＲＡＮは、操作コマンド（ｓｔｅｅｒｉｎｇ  ｃｏｍｍａｎｄ）をＵＥへ送信することにより、Ｅ−ＵＴＲＡＮ側からＷＬＡＮ側へ、又は、ＷＬＡＮ側からＥ−ＵＴＲＡＮ側へトラフィックを移動するようにＵＥに指示することができる。
【００３８】
（７）キャリアアグリゲーション（Ｃａｒｒｉｅｒ  Ａｇｇｒｅｇａｔｉｏｎ：  ＣＡ）
キャリアアグリゲーション（ＣＡ）は、同じｅＮＢの複数のコンポーネントキャリア（Ｃｏｍｐｏｎｅｎｔ  Ｃａｒｒｉｅｒ：  ＣＣ）を束ねることにより帯域を拡大する機能である。ＵＥは、１つのＲＲＣ接続（Ｒａｄｉｏ  Ｒｅｓｏｕｒｃｅ  Ｃｏｎｔｒｏｌ  Ｃｏｎｎｅｃｔｉｏｎ）を確立するが、ＲＲＣ接続の確立／再確立又はハンドオーバの際に、あるサービングセル（ｓｅｒｖｉｎｇ  ｃｅｌｌ）でＮＡＳ（Ｎｏｎ  Ａｃｃｅｓｓ  Ｓｔｒａｔｕｍ）のモビリティ情報を送信する。このサービングセルは、プライマリセル（ＰＣｅｌｌ）と呼ばれる。ＵＥの能力（ｃａｐａｂｉｌｉｔｙ）に応じて、ＰＣｅｌｌに対して複数のＳＣｅｌｌを設定（ｃｏｎｆｉｇｕｒｅ）することができる。３ＧＰＰ  Ｒｅｌｅａｓｅ  １２では、最大５ＣＣを束ねることができるが、３ＧＰＰ  Ｒｅｌｅａｓｅ  １３では、拡張により、最大３２ＣＣを束ねることができる。
【００３９】
（８）ＰＣＣ（Ｐｏｌｉｃｙ  ａｎｄ  Ｃｈａｒｇｉｎｇ  Ｃｏｎｔｒｏｌ）
ＰＣＣ（Ｐｏｌｉｃｙ  ａｎｄ  Ｃｈａｒｇｉｎｇ  Ｃｏｎｔｒｏｌ）のアーキテクチャでは、ＰＣＲＦ（Ｐｏｌｉｃｙ  ａｎｄ  Ｃｈａｒｇｉｎｇ  Ｒｕｌｅｓ  Ｆｕｎｃｔｉｏｎ）は、移動体通信事業者の設定、ユーザの課金情報、及びサービス情報等を用いて、ポリシー及び課金についての決定を行う。ＰＣＲＦは、ＰＣＣの決定をＰＣＣルールという形式でＰＣＥＦに通知する。ＰＣＣルールは、ＩＰトラフィックの識別を可能にするサービスデータフロー（Ｓｅｒｖｉｃｅ  Ｄａｔａ  Ｆｌｏｗ：  ＳＤＦ）情報、トラフィックへの課金のための課金情報、及びＩＰトラフィックに適用されるＱｏＳ情報等を含む。
【００４０】
（９）ＮＲ（Ｎｅｗ  Ｒａｄｉｏ）
ＮＲとは、５Ｇ（ｆｉｆｔｈ  ｇｅｎｅｒａｔｉｏｎ）の移動体通信方式であり、１０Ｇｐｓ以上の通信速度、エンドツーエンドで１ミリ秒の低遅延、及び９９．９９９％の信頼性を目標としている。２８ＧＨｚといった高周波数帯、及び６ＧＨｚ以下の周波数帯の利用が想定されている。
【００４１】
（１０）ＶｏＬＴＥ（Ｖｏｉｃｅ  ｏｖｅｒ  ＬＴＥ）
ＩＭＳサービスの一つであるＶｏＬＴＥ（Ｖｏｉｃｅ  ｏｖｅｒ  ＬＴＥ）については、ＧＳＭＡ  ＩＲ．９２に規定されるように、高品質での音声通話を実現するために、ネットワーク全体においてＱｏＳを保証する必要がある。特に、無線部分では、ＧＢＲ（Ｇｕａｒａｎｔｅｅｄ  Ｂｉｔ  Ｒａｔｅ）を保証するために、Ａｄｍｉｓｓｉｏｎ  Ｃｏｎｔｒｏｌにて通信のための帯域を確保し、また、ＬＴＥのパケットスケジューリングにおいては、ＧＢＲを考慮したＲＢ（Ｒｅｓｏｕｒｃｅ  Ｂｌｏｃｋ）の割り当てを行う必要がある。
【００４２】
（１１）その他
３ＧＰＰ  ＴＳ２３．４０１及び３ＧＰＰ  ＴＳ２４．２２には、３ＧＰＰ  ＰＳ  Ｄａｔａ  ｏｆｆという機能が定義されている。この機能は、３ＧＰＰアクセス方式を用いるかどうかをユーザが選択できるようにするものである。ただし、この機能は、３ＧＰＰアクセス方式において、アンライセンスバンドを用いたアクセス方式（Ｌｉｃｅｎｓｅ  ｅｘｅｍｐｔ  ａｃｃｅｓｓ）を用いるかどうかをユーザが選択できるようにするものではない。
【００４３】
３ＧＰＰ  ＴＳ３６．４１３において、ＭＭＥ（Ｍｏｂｉｌｉｔｙ  Ｍａｎａｇｅｍｅｎｔ  Ｅｎｔｉｔｙ）は、ＱｏＳの観点で、ライセンス周波数を使用するか又はアンライセンス周波数を使用するかをｅＮＢに指示することはできない。また、ユーザにとってアンライセンス周波数の使用が課金面で有利であったとしても、ユーザが、３ＧＰＰアクセス方式において、アンライセンス周波数の使用（即ち、ＬＡＡ、ＬＷＡ、ＬＷＩＰ、ＲＣＬＷＩ又はＬＴＥ−Ｕ等）を選択することができない。
【００４４】
３ＧＰＰ  ＴＳ３６．４１３において、Ｓｕｂｓｃｒｉｂｅｒ  Ｐｒｏｆｉｌｅ  ＩＤ  ｆｏｒ  ＲＡＴ／Ｆｒｅｑｕｅｎｃｙ  ｐｒｉｏｒｉｔｙが定義されている。しかし、この情報は、全ての無線ベアラに適用されるものである。そのため、この情報は、無線ベアラと周波数とのマッピング／対応関係を示すことができない。例えば、基地局は、キャリアアグリゲーション（ＣＡ）又はデュアルコネクティビティ（Ｄｕａｌ  Ｃｏｎｎｅｃｔｉｖｉｔｙ）等により複数の周波数を使用する場合に、上記情報からは無線ベアラと周波数とのマッピング／対応関係を知ることはできない。
【００４５】
＜＜＜２．第１の実施形態＞＞＞
続いて、図１〜図２０を参照して、本発明の第１の実施形態を説明する。
【００４６】
＜＜２．１．システムの構成＞＞
まず、図１〜図３を参照して、第１の実施形態に係るシステム１を説明する。図１は、本発明の第１の実施形態に係るシステム１の概略的な構成の一例を示す説明図である。図１を参照すると、システム１は、第１コアネットワークノード１００、第２コアネットワークノード２００、第３コアネットワークノード３００、第４コアネットワークノード４００、第５コアネットワークノード５００、基地局６００及び端末装置７００を含む。
【００４７】
システム１は、移動体通信システム（ｍｏｂｉｌｅ  ｃｏｍｍｕｎｉｃａｔｉｏｎ  ｓｙｓｔｅｍ）（又はセルラーシステム（ｃｅｌｌｕｌａｒ  ｓｙｓｔｅｍ））であり、コアネットワーク１０及び無線アクセスネットワーク２０を含む。
【００４８】
第１コアネットワークノード１００、第２コアネットワークノード２００、第３コアネットワークノード３００、第４コアネットワークノード４００及び第５コアネットワークノード５００は、コアネットワーク１０に含まれるノードである。
【００４９】
例えば、第１コアネットワークノード１００は、制御プレーンの機能を担うノードである。より具体的には、例えば、第１コアネットワークノード１００は、モビリティ管理（ｍｏｂｉｌｉｔｙ  ｍａｎａｇｅｍｅｎｔ）、セッション管理（ｓｅｓｓｉｏｎ  ｍａｎａｇｅｍｅｎｔ）、及び／又はサービス管理（ｓｅｒｖｉｃｅ  ｍａｎａｇｅｍｅｎｔ）を行う。例えば、第１コアネットワークノード１００は、基地局６００へ制御情報を送信し、基地局６００から制御情報を受信する。また、例えば、第１コアネットワークノード１００は、ＮＡＳ（Ｎｏｎ  Ａｃｃｅｓｓ  Ｓｔｒａｔｕｍ）メッセージを基地局６００経由で端末装置７００へ送信し、ＮＡＳメッセージを基地局６００経由で端末装置７００から受信する。
【００５０】
例えば、第２コアネットワークノード２００は、ユーザデータ伝送のＱｏＳ（Ｑｕａｌｉｔｙ  ｏｆ  Ｓｅｒｖｉｃｅ）及び／又は課金のための制御を行う。
【００５１】
例えば、第３コアネットワークノード３００は、加入者情報を保持するノードである。
【００５２】
例えば、第４コアネットワークノード４００及び第５コアネットワークノード５００は、主としてユーザプレーンの機能を担うノードである。例えば、第４コアネットワークノード４００及び第５コアネットワークノード５００は、ユーザデータの転送を行う。第４コアネットワークノード４００及び第５コアネットワークノード５００は、異なるノードであってもよく、又は、１つのノードであってもよい。
【００５３】
基地局６００は、無線アクセスネットワーク２０に含まれるノードである。基地局６００は、自らのカバレッジエリア内に位置する端末装置（例えば端末装置７００）との無線通信を行う。とりわけ第１の実施形態では、基地局６００は、ライセンス周波数及び／又はアンライセンス周波数を使用して、端末装置７００との無線通信を行う。
【００５４】
なお、ライセンス周波数は、ライセンスバンドと呼ばれてもよく、アンライセンス周波数は、アンライセンスバンドと呼ばれてもよい。即ち、第１の実施形態（及び他の実施形態）の説明において、「ライセンス周波数」及び「アンライセンス周波数」は、それぞれ、「ライセンスバンド」及び「アンライセンスバンド」に置き換えられてもよい。
【００５５】
（１）４Ｇシステムのケース
例えば、システム１は、３ＧＰＰの４Ｇ（ｆｏｕｒｔｈ  ｇｅｎｅｒａｔｉｏｎ）システム（即ち、ＥＰＳ（Ｅｖｏｌｖｅｄ  Ｐａｃｋｅｔ  Ｓｙｓｔｅｍ）又はＬＴＥシステム）である。図２は、システム１が３ＧＰＰの４Ｇシステムであるケースの例を説明するための説明図である。
【００５６】
例えば、コアネットワーク１０は、ＥＰＣ（Ｅｖｏｌｖｅｄ  Ｐａｃｋｅｔ  Ｃｏｒｅ）である。さらに、例えば、第１コアネットワークノード１００はＭＭＥ（Ｍｏｂｉｌｉｔｙ  Ｍａｎａｇｅｍｅｎｔ  Ｅｎｔｉｔｙ）であり、第２コアネットワークノード２００はＰＣＲＦであり、第３コアネットワークノード３００はＨＳＳ（Ｈｏｍｅ  Ｓｕｂｓｃｒｉｂｅｒ  Ｓｅｒｖｅｒ）であり、第４コアネットワークノードｓ４００はＳ−ＧＷ（Ｓｅｒｖｉｎｇ  Ｇａｔｅｗａｙ）であり、第５コアネットワークノード５００はＰ−ＧＷ（Ｐａｃｋｅｔ  Ｄａｔａ  Ｎｅｔｗｏｒｋ  Ｇａｔｅｗａｙ）である。
【００５７】
例えば、無線アクセスネットワーク２０は、Ｅ−ＵＴＲＡＮ（Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ）である。さらに、例えば、基地局６００は、ｅＮＢ（ｅｖｏｌｖｅｄ  Ｎｏｄｅ  Ｂ）であり、端末装置７００は、ＵＥ（Ｕｓｅｒ  Ｅｑｕｉｐｍｅｎｔ）である。
【００５８】
図２に記載されているように、例えば、ノード間のインタフェースは、Ｕｕ、Ｓ１−ＭＭＥ、Ｓ１−Ｕ、Ｓ５、Ｓ６ａ及びＧｘと呼ばれる。
【００５９】
例えば、Ｐ−ＧＷ５００は、ＥＰＣと外部ＰＤＮ（Ｐａｃｋｅｔ  Ｄａｔａ  Ｎｅｔｗｏｒｋ）とのインタフェース機能を持つ。また、Ｓ−ＧＷ４００及びＰ−ＧＷ５００では、ユーザデータの転送が行われるとともに、課金に関する情報が収集される。３ＧＰＰ  ＴＳ３２．２５１にしたがえば、無線ネットワークの使用に関連してＵＥごとに課金データレコード（Ｃｈａｒｇｉｎｇ  Ｄａｔａ  Ｒｅｃｏｒｄ：  ＣＤＲ）が収集される。Ｐ−ＧＷ５００では、外部ＰＤＮの使用に関連して、ＵＥごとにＣＤＲが収集される。
【００６０】
ＰＣＲＦ２００及びＰ−ＧＷ５００は、Ｇｘインタフェースを介して接続され、３ＧＰＰ  ＴＳ３２．２５１によれば、ダイナミックＰＣＣルールを使用する場合に課金情報を変更することができる。このように、ＰＣＲＦ２００は、ユーザごとの静的なルール（契約コースなど）と、ＩＭＳ（Ｉｎｔｅｇｒａｔｅｄ  Ｍａｎａｇｅｍｅｎｔ  Ｓｙｓｔｅｍ）等のアプリケーションから通知される動的なルール情報とから、ユーザごとにＱｏＳ制御及び課金のルールを生成し、当該ルールをＰＣＥＦに通知する。例えば、ＰＣＥＦは、Ｐ−ＧＷ５００である。
【００６１】
（２）５Ｇシステムのケース
システム１は、３ＧＰＰの５Ｇ（ｆｉｆｔｈ  ｇｅｎｅｒａｔｉｏｎ）システムであってもよい。図３は、システム１が３ＧＰＰの５Ｇシステムであるケースの例を説明するための説明図である。
【００６２】
例えば、コアネットワーク１０は、５ＧＣ（５Ｇ  Ｃｏｒｅ  Ｎｅｔｗｏｒｋ）（又はＮＧＣ（Ｎｅｘｔ  Ｇｅｎｅｒａｔｉｏｎ  Ｃｏｒｅ  Ｎｅｔｗｏｒｋ））である。さらに、例えば、第１コアネットワークノード１００は、ＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）及び／又はＳＭＦ（Ｓｅｓｓｉｏｎ  Ｍａｎａｇｅｍｅｎｔ  Ｆｕｎｃｔｉｏｎ）であり、第２コアネットワークノード２００はＰＣＦ（Ｐｏｌｉｃｙ  Ｃｏｎｔｒｏｌ  Ｆｕｎｃｔｉｏｎ）であり、第３コアネットワークノード３００はＵＤＭ（Ｕｎｉｆｉｅｄ  Ｄａｔａ  Ｍａｎａｇｅｍｅｎｔ）であり、第４コアネットワークノード４００及び第５コアネットワークノードは、ＵＰＦ（Ｕｓｅｒ  Ｐｌａｎｅ  Ｆｕｎｃｔｉｏｎ）である。
【００６３】
例えば、無線アクセスネットワーク２０は、ＮＧ−ＲＡＮ（Ｎｅｘｔ  Ｇｅｎｅｒａｔｉｏｎ  Ｒａｄｉｏ  Ａｃｃｅｓｓ  Ｎｅｔｗｏｒｋ）である。さらに、例えば、基地局６００は、ｇＮＢ（ｎｅｘｔ  Ｇｅｎｅｒａｔｉｏｎ  Ｎｏｄｅ  Ｂ）又はｎｇ−ｅＮＢ（ｎｅｘｔ  ｇｅｎｅｒａｔｉｏｎ  ｅｖｏｌｖｅｄ  Ｎｏｄｅ  Ｂ）であり、端末装置７００は、ＵＥ（Ｕｓｅｒ  Ｅｑｕｉｐｍｅｎｔ）である。
【００６４】
図３に記載されているように、例えば、ノード間のインタフェースは、Ｎ２、Ｎ３、Ｎ４、Ｎ７（ＰＣＦとＳＭＦとのインタフェース）、Ｎ８（ＡＭＦとＵＤＭとのインタフェース）、Ｎ１０（ＳＭＦとＵＤＭとのインタフェース）、及びＮ１５（ＰＣＦとＡＭＦとのインタフェース）と呼ばれる。
【００６５】
例えば、ｇＮＢ６００（又はｎｇ−ｅＮＢ６００）は、ライセンス周波数におけるＮＲ方式の無線通信と、アンライセンス周波数におけるＮＲ方式又はＬＴＥ方式の無線通信とを、組み合わせ得る。
【００６６】
なお、５Ｇシステムについては、３ＧＰＰ  ＴＲ３８．９１３、３ＧＰＰ  ＴＳ３８．３００及び３ＧＰＰ  ＴＳ２３．５０１等において検討が行われている。
【００６７】
＜＜２．２．各ノードの構成＞＞
次に、図４〜図１０を参照して、第１の実施形態に係る各ノードの構成を説明する。
【００６８】
＜２．２．１．第１コアネットワークノードの構成＞
図４は、第１の実施形態に係る第１コアネットワークノード１００の概略的な構成の例を示すブロック図である。図４を参照すると、第１コアネットワークノード１００は、ネットワーク通信部１１０、記憶部１２０及び処理部１３０を備える。
【００６９】
（１）ネットワーク通信部１１０
ネットワーク通信部１１０は、ネットワークから信号を受信し、ネットワークへ信号を送信する。
【００７０】
（２）記憶部１２０
記憶部１２０は、第１コアネットワークノード１００の動作のためのプログラム（命令）及びパラメータ、並びに様々なデータを、一時的に又は恒久的に記憶する。当該プログラムは、第１コアネットワークノード１００の動作のための１つ以上の命令を含む。
【００７１】
（３）処理部１３０
処理部１３０は、第１コアネットワークノード１００の様々な機能を提供する。処理部１３０は、通信処理部１３１、情報取得部１３３及び生成部１３５を含む。なお、処理部１３０は、これらの構成要素以外の他の構成要素をさらに含み得る。即ち、処理部１３０は、これらの構成要素の動作以外の動作も行い得る。通信処理部１３１、情報取得部１３３及び生成部１３５の具体的な動作は、後に説明する。
【００７２】
例えば、処理部１３０（通信処理部１３１）は、ネットワーク通信部１１０を介して他のネットワークノード（例えば、他のコアネットワークノード又は基地局６００）と通信する。
【００７３】
（４）実装例
ネットワーク通信部１１０は、ネットワークアダプタ並びに／又はネットワークインタフェースカード等により実装されてもよい。記憶部１２０は、メモリ（例えば、不揮発性メモリ及び／若しくは揮発性メモリ）並びに／又はハードディスク等により実装されてもよい。処理部１３０は、１つ以上のプロセッサにより実装されてもよい。通信処理部１３１、情報取得部１３３及び生成部１３５は、同一のプロセッサにより実装されてもよく、別々に異なるプロセッサにより実装されてもよい。上記メモリ（記憶部１２０）は、上記１つ以上のプロセッサ内に含まれていてもよく、又は、上記１つ以上のプロセッサ外にあってもよい。
【００７４】
第１コアネットワークノード１００は、プログラム（命令）を記憶するメモリと、当該プログラム（命令）を実行可能な１つ以上のプロセッサとを含んでもよい。当該１つ以上のプロセッサは、上記プログラムを実行して、処理部１３０の動作（通信処理部１３１、情報取得部１３３及び／又は生成部１３５の動作）を行ってもよい。上記プログラムは、処理部１３０の動作（通信処理部１３１、情報取得部１３３及び／又は生成部１３５の動作）をプロセッサに実行させるためのプログラムであってもよい。
【００７５】
なお、第１コアネットワークノード１００は、仮想化されていてもよい。即ち、第１コアネットワークノード１００は、仮想マシンとして実装されてもよい。この場合に、第１コアネットワークノード１００（仮想マシン）は、プロセッサ及びメモリ等を含む物理マシン（ハードウェア）及びハイパーバイザ上で仮想マシンとして動作してもよい。
【００７６】
＜２．２．２．第２コアネットワークノードの構成＞
図５は、第１の実施形態に係る第２コアネットワークノード２００の概略的な構成の例を示すブロック図である。図５を参照すると、第２コアネットワークノード２００は、ネットワーク通信部２１０、記憶部２２０及び処理部２３０を備える。
【００７７】
（１）ネットワーク通信部２１０
ネットワーク通信部２１０は、ネットワークから信号を受信し、ネットワークへ信号を送信する。
【００７８】
（２）記憶部２２０
記憶部２２０は、第２コアネットワークノード２００の動作のためのプログラム（命令）及びパラメータ、並びに様々なデータを、一時的に又は恒久的に記憶する。当該プログラムは、第２コアネットワークノード２００の動作のための１つ以上の命令を含む。
【００７９】
（３）処理部２３０
処理部２３０は、第２コアネットワークノード２００の様々な機能を提供する。処理部２３０は、通信処理部２３１、情報取得部２３３及び生成部２３５を含む。なお、処理部２３０は、これらの構成要素以外の他の構成要素をさらに含み得る。即ち、処理部２３０は、これらの構成要素の動作以外の動作も行い得る。通信処理部２３１、情報取得部２３３及び生成部２３５の具体的な動作は、後に説明する。
【００８０】
例えば、処理部２３０（通信処理部２３１）は、ネットワーク通信部２１０を介して他のネットワークノード（例えば、他のコアネットワークノード）と通信する。
【００８１】
（４）実装例
ネットワーク通信部２１０は、ネットワークアダプタ並びに／又はネットワークインタフェースカード等により実装されてもよい。記憶部２２０は、メモリ（例えば、不揮発性メモリ及び／若しくは揮発性メモリ）並びに／又はハードディスク等により実装されてもよい。処理部２３０は、１つ以上のプロセッサにより実装されてもよい。通信処理部２３１、情報取得部２３３及び生成部２３５は、同一のプロセッサにより実装されてもよく、別々に異なるプロセッサにより実装されてもよい。上記メモリ（記憶部２２０）は、上記１つ以上のプロセッサ内に含まれていてもよく、又は、上記１つ以上のプロセッサ外にあってもよい。
【００８２】
第２コアネットワークノード２００は、プログラム（命令）を記憶するメモリと、当該プログラム（命令）を実行可能な１つ以上のプロセッサとを含んでもよい。当該１つ以上のプロセッサは、上記プログラムを実行して、処理部２３０の動作（通信処理部２３１、情報取得部２３３及び／又は生成部２３５の動作）を行ってもよい。上記プログラムは、処理部２３０の動作（通信処理部２３１、情報取得部２３３及び／又は生成部２３５の動作）をプロセッサに実行させるためのプログラムであってもよい。
【００８３】
なお、第２コアネットワークノード２００は、仮想化されていてもよい。即ち、第２コアネットワークノード２００は、仮想マシンとして実装されてもよい。この場合に、第２コアネットワークノード２００（仮想マシン）は、プロセッサ及びメモリ等を含む物理マシン（ハードウェア）及びハイパーバイザ上で仮想マシンとして動作してもよい。
【００８４】
＜２．２．３．第３コアネットワークノードの構成＞
図６は、第１の実施形態に係る第３コアネットワークノード３００の概略的な構成の例を示すブロック図である。図６を参照すると、第３コアネットワークノード３００は、ネットワーク通信部３１０、記憶部３２０及び処理部３３０を備える。
【００８５】
（１）ネットワーク通信部３１０
ネットワーク通信部３１０は、ネットワークから信号を受信し、ネットワークへ信号を送信する。
【００８６】
（２）記憶部３２０
記憶部３２０は、システム１における加入者情報を記憶する。
【００８７】
また、記憶部３２０は、第３コアネットワークノード３００の動作のためのプログラム（命令）及びパラメータ、並びに様々なデータを、一時的に又は恒久的に記憶する。当該プログラムは、第３コアネットワークノード３００の動作のための１つ以上の命令を含む。
【００８８】
（３）処理部３３０
処理部３３０は、第３コアネットワークノード３００の様々な機能を提供する。処理部３３０は、通信処理部３３１及び情報取得部３３３を含む。なお、処理部３３０は、これらの構成要素以外の他の構成要素をさらに含み得る。即ち、処理部３３０は、これらの構成要素の動作以外の動作も行い得る。通信処理部３３１及び情報取得部３３３の具体的な動作は、後に説明する。
【００８９】
例えば、処理部３３０（通信処理部３３１）は、ネットワーク通信部３１０を介して他のネットワークノード（例えば、他のコアネットワークノード）と通信する。
【００９０】
（４）実装例
ネットワーク通信部３１０は、ネットワークアダプタ並びに／又はネットワークインタフェースカード等により実装されてもよい。記憶部３２０は、メモリ（例えば、不揮発性メモリ及び／若しくは揮発性メモリ）並びに／又はハードディスク等により実装されてもよい。処理部３３０は、１つ以上のプロセッサにより実装されてもよい。通信処理部３３１及び情報取得部３３３は、同一のプロセッサにより実装されてもよく、別々に異なるプロセッサにより実装されてもよい。上記メモリ（記憶部３２０）は、上記１つ以上のプロセッサ内に含まれていてもよく、又は、上記１つ以上のプロセッサ外にあってもよい。
【００９１】
第３コアネットワークノード３００は、プログラム（命令）を記憶するメモリと、当該プログラム（命令）を実行可能な１つ以上のプロセッサとを含んでもよい。当該１つ以上のプロセッサは、上記プログラムを実行して、処理部３３０の動作（通信処理部３３１及び情報取得部３３３の動作）を行ってもよい。上記プログラムは、処理部３３０の動作（通信処理部３３１及び情報取得部３３３の動作）をプロセッサに実行させるためのプログラムであってもよい。
【００９２】
なお、第３コアネットワークノード３００は、仮想化されていてもよい。即ち、第３コアネットワークノード３００は、仮想マシンとして実装されてもよい。この場合に、第３コアネットワークノード３００（仮想マシン）は、プロセッサ及びメモリ等を含む物理マシン（ハードウェア）及びハイパーバイザ上で仮想マシンとして動作してもよい。
【００９３】
＜２．２．４．第４コアネットワークノードの構成＞
図７は、第１の実施形態に係る第４コアネットワークノード４００の概略的な構成の例を示すブロック図である。図７を参照すると、第４コアネットワークノード４００は、ネットワーク通信部４１０、記憶部４２０及び処理部４３０を備える。
【００９４】
（１）ネットワーク通信部４１０
ネットワーク通信部４１０は、ネットワークから信号を受信し、ネットワークへ信号を送信する。
【００９５】
（２）記憶部４２０
記憶部４２０は、第４コアネットワークノード４００の動作のためのプログラム（命令）及びパラメータ、並びに様々なデータを、一時的に又は恒久的に記憶する。当該プログラムは、第４コアネットワークノード４００の動作のための１つ以上の命令を含む。
【００９６】
（３）処理部４３０
処理部４３０は、第４コアネットワークノード４００の様々な機能を提供する。処理部４３０は、通信処理部４３１を含む。なお、処理部４３０は、この構成要素以外の他の構成要素をさらに含み得る。即ち、処理部４３０は、この構成要素の動作以外の動作も行い得る。通信処理部４３１の具体的な動作は、後に説明する。
【００９７】
例えば、処理部４３０（通信処理部４３１）は、ネットワーク通信部４１０を介して他のネットワークノード（例えば、他のコアネットワークノード又は基地局６００）と通信する。
【００９８】
（４）実装例
ネットワーク通信部４１０は、ネットワークアダプタ並びに／又はネットワークインタフェースカード等により実装されてもよい。記憶部４２０は、メモリ（例えば、不揮発性メモリ及び／若しくは揮発性メモリ）並びに／又はハードディスク等により実装されてもよい。処理部４３０は、１つ以上のプロセッサにより実装されてもよい。上記メモリ（記憶部４２０）は、上記１つ以上のプロセッサ内に含まれていてもよく、又は、上記１つ以上のプロセッサ外にあってもよい。
【００９９】
第４コアネットワークノード４００は、プログラム（命令）を記憶するメモリと、当該プログラム（命令）を実行可能な１つ以上のプロセッサとを含んでもよい。当該１つ以上のプロセッサは、上記プログラムを実行して、処理部４３０の動作（通信処理部４３１の動作）を行ってもよい。上記プログラムは、処理部４３０の動作（通信処理部４３１の動作）をプロセッサに実行させるためのプログラムであってもよい。
【０１００】
なお、第４コアネットワークノード４００は、仮想化されていてもよい。即ち、第４コアネットワークノード４００は、仮想マシンとして実装されてもよい。この場合に、第４コアネットワークノード４００（仮想マシン）は、プロセッサ及びメモリ等を含む物理マシン（ハードウェア）及びハイパーバイザ上で仮想マシンとして動作してもよい。
【０１０１】
＜２．２．５．第５コアネットワークノードの構成＞
図８は、第１の実施形態に係る第５コアネットワークノード５００の概略的な構成の例を示すブロック図である。図８を参照すると、第５コアネットワークノード５００は、ネットワーク通信部５１０、記憶部５２０及び処理部５３０を備える。
【０１０２】
（１）ネットワーク通信部５１０
ネットワーク通信部５１０は、ネットワークから信号を受信し、ネットワークへ信号を送信する。
【０１０３】
（２）記憶部５２０
記憶部５２０は、第５コアネットワークノード５００の動作のためのプログラム（命令）及びパラメータ、並びに様々なデータを、一時的に又は恒久的に記憶する。当該プログラムは、第５コアネットワークノード５００の動作のための１つ以上の命令を含む。
【０１０４】
（３）処理部５３０
処理部５３０は、第５コアネットワークノード５００の様々な機能を提供する。処理部５３０は、通信処理部５３１を含む。なお、処理部５３０は、この構成要素以外の他の構成要素をさらに含み得る。即ち、処理部５３０は、この構成要素の動作以外の動作も行い得る。通信処理部５３１の具体的な動作は、後に説明する。
【０１０５】
例えば、処理部５３０（通信処理部５３１）は、ネットワーク通信部５１０を介して他のネットワークノード（例えば、他のコアネットワークノード）と通信する。
【０１０６】
（４）実装例
ネットワーク通信部５１０は、ネットワークアダプタ並びに／又はネットワークインタフェースカード等により実装されてもよい。記憶部５２０は、メモリ（例えば、不揮発性メモリ及び／若しくは揮発性メモリ）並びに／又はハードディスク等により実装されてもよい。処理部５３０は、１つ以上のプロセッサにより実装されてもよい。上記メモリ（記憶部５２０）は、上記１つ以上のプロセッサ内に含まれていてもよく、又は、上記１つ以上のプロセッサ外にあってもよい。
【０１０７】
第５コアネットワークノード５００は、プログラム（命令）を記憶するメモリと、当該プログラム（命令）を実行可能な１つ以上のプロセッサとを含んでもよい。当該１つ以上のプロセッサは、上記プログラムを実行して、処理部５３０の動作（通信処理部５３１の動作）を行ってもよい。上記プログラムは、処理部５３０の動作（通信処理部５３１の動作）をプロセッサに実行させるためのプログラムであってもよい。
【０１０８】
なお、第５コアネットワークノード５００は、仮想化されていてもよい。即ち、第５コアネットワークノード５００は、仮想マシンとして実装されてもよい。この場合に、第５コアネットワークノード５００（仮想マシン）は、プロセッサ及びメモリ等を含む物理マシン（ハードウェア）及びハイパーバイザ上で仮想マシンとして動作してもよい。
【０１０９】
＜２．２．６．基地局の構成＞
図９は、第１の実施形態に係る基地局６００の概略的な構成の例を示すブロック図である。図９を参照すると、基地局６００は、無線通信部６１０、ネットワーク通信部６２０、記憶部６３０及び処理部６４０を備える。
【０１１０】
（１）無線通信部６１０
無線通信部６１０は、信号を無線で送受信する。例えば、無線通信部６１０は、端末装置からの信号を受信し、端末装置への信号を送信する。
【０１１１】
（２）ネットワーク通信部６２０
ネットワーク通信部６２０は、ネットワークから信号を受信し、ネットワークへ信号を送信する。
【０１１２】
（３）記憶部６３０
記憶部６３０は、基地局６００の動作のためのプログラム（命令）及びパラメータ、並びに様々なデータを、一時的に又は恒久的に記憶する。当該プログラムは、基地局６００の動作のための１つ以上の命令を含む。
【０１１３】
（４）処理部６４０
処理部６４０は、基地局６００の様々な機能を提供する。処理部６４０は、第１通信処理部６４１、第２通信処理部６４３、情報取得部６４５及び測定部６４７を含む。なお、処理部６４０は、これらの構成要素以外の他の構成要素をさらに含み得る。即ち、処理部６４０は、これらの構成要素の動作以外の動作も行い得る。第１通信処理部６４１、第２通信処理部６４３、情報取得部６４５及び測定部６４７の具体的な動作は、後に説明する。
【０１１４】
例えば、処理部６４０（第２通信処理部６４３）は、無線通信部６１０を介して端末装置（例えば、端末装置７００）と通信する。例えば、処理部６４０（第１通信処理部６４１）は、ネットワーク通信部６２０を介して他のネットワークノード（例えば、コアネットワークノード又は他の基地局）と通信する。
【０１１５】
（５）実装例
無線通信部６１０は、アンテナ及び高周波（Ｒａｄｉｏ  Ｆｒｅｑｕｅｎｃｙ：ＲＦ）回路等により実装されてもよく、当該アンテナは、指向性アンテナであってもよい。ネットワーク通信部６２０は、ネットワークアダプタ並びに／又はネットワークインタフェースカード等により実装されてもよい。記憶部６３０は、メモリ（例えば、不揮発性メモリ及び／若しくは揮発性メモリ）並びに／又はハードディスク等により実装されてもよい。処理部６４０は、ベースバンド（Ｂａｓｅｂａｎｄ：ＢＢ）プロセッサ及び／又は他の種類のプロセッサ等の１つ以上のプロセッサにより実装されてもよい。第１通信処理部６４１、第２通信処理部６４３、情報取得部６４５及び測定部６４７は、同一のプロセッサにより実装されてもよく、別々に異なるプロセッサにより実装されてもよい。上記メモリ（記憶部６３０）は、上記１つ以上のプロセッサ内に含まれていてもよく、又は、上記１つ以上のプロセッサ外にあってもよい。
【０１１６】
基地局６００は、プログラム（命令）を記憶するメモリと、当該プログラム（命令）を実行可能な１つ以上のプロセッサとを含んでもよい。当該１つ以上のプロセッサは、上記プログラムを実行して、処理部６４０の動作（第１通信処理部６４１、第２通信処理部６４３、情報取得部６４５及び測定部６４７の動作）を行ってもよい。上記プログラムは、処理部６４０の動作（第１通信処理部６４１、第２通信処理部６４３、情報取得部６４５及び測定部６４７の動作）をプロセッサに実行させるためのプログラムであってもよい。
【０１１７】
なお、基地局６００は、仮想化されていてもよい。即ち、基地局６００は、仮想マシンとして実装されてもよい。この場合に、基地局６００（仮想マシン）は、プロセッサ及びメモリ等を含む物理マシン（ハードウェア）及びハイパーバイザ上で仮想マシンとして動作してもよい。
【０１１８】
＜２．２．７．端末装置の構成＞
図１０は、第１の実施形態に係る端末装置７００の概略的な構成の例を示すブロック図である。図１０を参照すると、端末装置７００は、無線通信部７１０、記憶部７２０及び処理部７３０を備える。
【０１１９】
（１）無線通信部７１０
無線通信部７１０は、信号を無線で送受信する。例えば、無線通信部７１０は、基地局からの信号を受信し、基地局への信号を送信する。
【０１２０】
（２）記憶部７２０
記憶部７２０は、端末装置７００の動作のためのプログラム（命令）及びパラメータ、並びに様々なデータを、一時的に又は恒久的に記憶する。当該プログラムは、端末装置７００の動作のための１つ以上の命令を含む。
【０１２１】
（３）処理部７３０
処理部７３０は、端末装置７００の様々な機能を提供する。処理部７３０は、通信処理部７３１、情報取得部７３３及び測定部７３５を含む。なお、処理部７３０は、これらの構成要素以外の他の構成要素をさらに含み得る。即ち、処理部７３０は、これらの構成要素の動作以外の動作も行い得る。通信処理部７３１、情報取得部７３３及び測定部７３５の具体的な動作は、後に説明する。
【０１２２】
例えば、処理部７３０（通信処理部７３１）は、無線通信部７１０を介して基地局（例えば、基地局６００）と通信する。
【０１２３】
（４）実装例
無線通信部７１０は、アンテナ及び高周波（ＲＦ）回路等により実装されてもよい。記憶部７２０は、メモリ（例えば、不揮発性メモリ及び／若しくは揮発性メモリ）並びに／又はハードディスク等により実装されてもよい。処理部７３０は、ベースバンド（ＢＢ）プロセッサ及び／又は他の種類のプロセッサ等の１つ以上のプロセッサにより実装されてもよい。通信処理部７３１、情報取得部７３３及び測定部７３５は、同一のプロセッサにより実装されてもよく、別々に異なるプロセッサにより実装されてもよい。上記メモリ（記憶部７２０）は、上記１つ以上のプロセッサ内に含まれていてもよく、又は、上記１つ以上のプロセッサ外にあってもよい。一例として、処理部７３０は、ＳｏＣ（Ｓｙｓｔｅｍ  ｏｎ  Ｃｈｉｐ）内で実装されてもよい。
【０１２４】
端末装置７００は、プログラム（命令）を記憶するメモリと、当該プログラム（命令）を実行可能な１つ以上のプロセッサとを含んでもよい。当該１つ以上のプロセッサは、上記プログラムを実行して、処理部７３０の動作（通信処理部７３１、情報取得部７３３及び測定部７３５の動作）を行ってもよい。上記プログラムは、処理部２３０の動作（通信処理部７３１、情報取得部７３３及び測定部７３５の動作）をプロセッサに実行させるためのプログラムであってもよい。
【０１２５】
＜＜２．３．技術的特徴＞＞
次に、図１１〜図１８を参照して、第１の実施形態の技術的特徴を説明する。
【０１２６】
（１）制御情報
第１の実施形態では、アンライセンス周波数に関連する第１の制御情報及び第２の制御情報が生成され、送信され、使用される。まず、当該第１の制御情報及び当該第２の制御情報を説明する。また、第３の制御情報も説明する。
【０１２７】
（１−１）第１の制御情報
第１の制御情報は、アンライセンス周波数用の通信サービス品質を示す情報である。
【０１２８】
−端末装置／通信ベアラ
例えば、上記通信サービス品質は、端末装置７００のための通信サービス品質であり、上記第１の制御情報は、端末装置７００のための情報（端末装置７００のために生成される情報）である。
【０１２９】
より具体的には、例えば、上記通信サービス品質は、端末装置７００の通信ベアラのための通信サービス品質であり、上記第１の制御情報は、当該通信ベアラのための情報である。即ち、上記第１の制御情報は、通信ベアラごとに生成される情報である。例えば、上記通信ベアラは、無線アクセスベアラ（Ｒａｄｉｏ  Ａｃｃｅｓｓ  Ｂｅａｒｅｒ：ＲＡＢ）（例えばＥ−ＲＡＢ（Ｅ−ＵＴＲＡＮ  Ｒａｄｉｏ  Ａｃｃｅｓｓ  Ｂｅａｒｅｒ））である。あるいは、上記通信ベアラは、無線ベアラ（Ｒａｄｉｏ  Ｂｅａｒｅｒ：ＲＢ）であってもよく、又は、ＥＰＳベアラであってもよい。あるいは、上記通信ベアラは、５ＧシステムのＰＤＵ（Ｐｒｏｔｏｃｏｌ  Ｄａｔａ  Ｕｎｉｔ）セッションであってもよく、又は、ＱｏＳフローであってもよい。
【０１３０】
あるいは、上記第１の制御情報は、端末装置ごとに生成される情報であってもよい。
【０１３１】
−具体例
例えば、上記第１の制御情報は、アンライセンス周波数用の１つ以上のサービス品質（ＱｏＳ）パラメータである。
【０１３２】
例えば、上記１つ以上のＱｏＳパラメータは、アンライセンス周波数用の１つ以上のダウンリンク用のＱｏＳパラメータ、及び／又は、アンライセンス周波数用の１つ以上のアップリンクのＱｏＳパラメータを含む。
【０１３３】
例えば、上記１つ以上のＱｏＳパラメータは、アンライセンス周波数用の１つ以上の通信ベアラレベルのＱｏＳパラメータを含む。具体的には、例えば、当該１つ以上の通信ベアラレベルのＱｏＳパラメータは、アンライセンス周波数用の品質クラス識別子（ｑｕａｌｉｔｙ  ｃｌａｓｓ  ｉｄｅｎｔｉｆｉｅｒ：ＱＣＩ）、割当保持優先度（ａｌｌｏｃａｔｉｏｎ  ａｎｄ  ｒｅｔｅｎｔｉｏｎ  ｐｒｉｏｒｉｔｙ：ＡＲＰ）、保証ビットレート（ｇｕａｒａｎｔｅｅｄ  ｂｉｔｒａｔｅ：ＧＢＲ）、最大ビットレート（ｍａｘｉｍｕｍ  ｂｉｔｒａｔｅ：ＭＢＲ）、パケット遅延バジェット（ｐａｃｋｅｔ  ｄｅｌａｙ  ｂｕｄｇｅｔ：ＰＤＢ）及びパケット誤り損失率（ｐａｃｋｅｔ  ｅｒｒｏｒ  ｌｏｓｓ  ｒａｔｅ：ＰＥＬＲ）のうちの少なくとも１つを含む。
【０１３４】
なお、上記１つ以上のＱｏＳパラメータは、通信ベアラレベルのＱｏＳパラメータに限らず、例えば、アンライセンス周波数用の総最大ビットレート（ａｇｇｒｅｇａｔｅｄ  ｍａｘｉｍｕｍ  ｂｉｔｒａｔｅ：ＡＭＢＲ）を含んでもよい。
【０１３５】
（１−２）第２の制御情報
第２の制御情報は、ライセンス周波数及びアンライセンス周波数のいずれを使用するかに関する情報である。
【０１３６】
−端末装置／通信ベアラ
例えば、上記第２の制御情報は、端末装置７００のための情報（端末装置７００のために生成される情報）である。
【０１３７】
より具体的には、例えば、上記第２の制御情報は、端末装置７００の通信ベアラのための情報である。即ち、上記第２の制御情報は、通信ベアラごとに生成される情報である。例えば、上記通信ベアラは、無線アクセスベアラ（ＲＡＢ）（例えば、Ｅ−ＲＡＢ）である。あるいは、上記通信ベアラは、無線ベアラ（ＲＢ）であってもよく、又は、ＥＰＳベアラであってもよい。あるいは、上記通信ベアラは、５ＧシステムのＰＤＵセッションであってもよく、又は、ＱｏＳフローであってもよい。
【０１３８】
なお、上記第２の制御情報は、通信サービス品質ごとに生成される情報であってもよい。あるいは、上記第２の制御情報は、端末装置ごとに生成される情報であってもよい。
【０１３９】
−具体例
一例として、上記第２の制御情報は、通信ベアラのためにライセンス周波数及びアンライセンス周波数のいずれを使用するかを示す情報である。
【０１４０】
より具体的には、例えば、上記第２の制御情報は、「（１）アンライセンスバンドのみを許容する」、「（２）アンライセンスバンドを用いることを許容しない」、「（３）ライセンスバンドのリソースが使用できそうであれば、なるべくライセンスバンドを使用する」及び「（４）アンライセンスバンドのリソースが使用できそうであれば、なるべくアンライセンスバンドを使用する」のいずれか１つを示す。
【０１４１】
一例として、上記第２の制御情報は、後述するＬｉｃｅｎｓｅ  ｅｘｅｍｐｔ  ａｃｃｅｓｓ  ｐｒｏｆｉｌｅパラメータ及び／又はＬｉｃｅｎｓｅ  ｅｘｅｍｐｔ  ａｃｃｅｓｓ  ｐｏｌｉｃｙパラメータ等である。
【０１４２】
あるいは、上記第２の制御情報は、通信ベアラのために使用される周波数を示す情報であってもよく、当該周波数は、ライセンス周波数及びアンライセンス周波数の一方であってもよい。即ち、上記第２の制御情報は、特定の周波数を示す情報であってもよい。
【０１４３】
あるいは／さらに、上記第２の制御情報は、ライセンス周波数での通信とアンライセンス周波数での通信との比率を示してもよい。また、上記第２の制御情報は、ライセンス周波数又はアンライセンス周波数の通信について通信量の上限及び／又は下限を示してもよい。
【０１４４】
なお、上述したように、上記第２の制御情報は、通信ベアラごとではなく、通信サービス品質ごとに生成されてもよく、この場合には、上記第２の制御情報についての「通信ベアラのために」という文言は、「通信サービス品質のために」と読み替えられてもよい。あるいは、上述したように、上記第２の制御情報は、通信ベアラごとではなく、端末装置ごとに生成されてもよく、この場合には、上記第２の制御情報についての「通信ベアラのために」という文言は、「端末装置７００のために」と読み替えられてもよい。
【０１４５】
（１−３）第３の制御情報
第３の制御情報は、ライセンス周波数用の通信サービス品質を示す情報である。即ち、ライセンス周波数用の通信サービス品質（及び当該通信サービス品質を示す第３の制御情報）と、アンライセンス周波数用の通信サービス品質（及び当該通信サービス品質を示す第１の制御情報）とが、用意される。
【０１４６】
−端末装置／通信ベアラ
例えば、上記通信サービス品質は、端末装置７００のための通信サービス品質であり、上記第２の制御情報は、端末装置７００のための情報（端末装置７００のために生成される情報）である。
【０１４７】
より具体的には、例えば、上記通信サービス品質は、端末装置７００の通信ベアラのための通信サービス品質であり、上記第３の制御情報は、当該通信ベアラのための情報である。即ち、上記第３の制御情報は、通信ベアラごとに生成される情報である。例えば、上記通信ベアラは、無線アクセスベアラ（ＲＡＢ）（例えば、Ｅ−ＲＡＢ）である。あるいは、上記通信ベアラは、無線ベアラ（ＲＢ）であってもよく、又は、ＥＰＳベアラであってもよい。あるいは、上記通信ベアラは、５ＧシステムのＰＤＵセッションであってもよく、又は、ＱｏＳフローであってもよい。
【０１４８】
−具体例
例えば、上記第３の制御情報は、ライセンス周波数用の１つ以上のサービス品質（ＱｏＳ）パラメータである。具体的なＱｏＳパラメータの例は、第１の制御情報に関連して説明した例と同様である。よって、ここでは重複する記載を省略する。
【０１４９】
（１−４）生成
後述するように、上記第１の制御情報は、コアネットワーク１０（第１コアネットワークノード１００及び／又は第２コアネットワークノード２００）において生成される。
【０１５０】
一方、後述するように、例えば、上記第２の制御情報は、コアネットワーク１０（第１コアネットワークノード１００及び／又は第２コアネットワークノード２００）において生成され、また、無線アクセスネットワーク２０（基地局６００）においても生成される。コアネットワーク１０において生成される第２の制御情報と、無線アクセスネットワーク２０において生成される第２の制御情報とは、両方とも、ライセンス周波数及びアンライセンス周波数のいずれを使用するかに関する情報であるが、具体的な情報として互いに異なっていてもよい。一例として、コアネットワーク１０において生成される第２の制御情報は、ライセンス周波数及びアンライセンス周波数のいずれを使用するかを示す情報であるが、無線アクセスネットワーク２０において生成される第２の制御情報は、使用される周波数を示す情報であってもよい。例えば上記第２の制御情報は、複数のアンライセンス周波数のうち、使用されるいずれかのアンライセンス周波数を示す情報であってもよい。
【０１５１】
（２）コアネットワークでの制御情報の生成
（２−１）主体
上記第１の制御情報及び上記第２の制御情報は、コアネットワーク１０において生成される。
【０１５２】
例えば、第１コアネットワークノード１００（生成部１３５）が、上記第１の制御情報及び上記第２の制御情報を生成する。例えば、第２コアネットワークノード２００（生成部２３５）も、上記第１の制御情報及び上記第２の制御情報を生成する。
【０１５３】
具体的には、例えば、まず、第２コアネットワークノード２００（生成部２３５）が、第１の制御情報を生成し、その後、第１コアネットワークノード１００（生成部１３５）が、第２コアネットワークノード２００により生成された上記第１の制御情報に基づいて、第１の制御情報を新たに生成する。あるいは、まず、第１コアネットワークノード１００（生成部１３５）が、第１の制御情報を生成し、その後、第２コアネットワークノード２００（生成部２３５）が、第１コアネットワークノード１００により生成された上記第１の制御情報に基づいて、第１の制御情報を新たに生成してもよい。
【０１５４】
あるいは、第１コアネットワークノード１００（生成部１３５）及び第２コアネットワークノード２００（生成部２３５）の一方のみが、上記第１の制御情報及び上記第２の制御情報を生成してもよい。
【０１５５】
あるいは、第１コアネットワークノード１００（生成部１３５）及び第２コアネットワークノード２００（生成部２３５）の一方が、上記第１の制御情報を生成し、第１コアネットワークノード１００（生成部１３５）及び第２コアネットワークノード２００（生成部２３５）の他方が、上記第２の制御情報を生成してもよい。
【０１５６】
なお、例えば、上記第３の制御情報は、上記第１の制御情報とともに生成される。
【０１５７】
（２−２）インプット情報
上述したように、上記第１の制御情報及び上記第２の制御情報は、端末装置７００のための情報（端末装置７００のために生成される情報）であるが、例えば、端末装置７００に関連する端末関連情報に基づいて生成される。
【０１５８】
−プリファレンス情報
例えば、上記端末関連情報は、アンライセンス周波数の使用についてのプリファレンス情報を含む。当該プリファレンス情報は、端末装置７００により提供される。
【０１５９】
例えば、ユーザは、端末装置７００の操作画面において自分のプリファレンスを入力し、端末装置７００は、入力に応じて上記プリファレンス情報を生成する。
【０１６０】
具体的には、例えば、上記プリファレンス情報は、「（１）アンライセンスバンドのみを許容する」、「（２）アンライセンスバンドを用いることを許容しない」、「（３）ライセンスバンドのリソースが使用できそうであれば、なるべくライセンスバンドを使用する」及び「（４）アンライセンスバンドのリソースが使用できそうであれば、なるべくアンライセンスバンドを使用する」のいずれか１つを示す。
【０１６１】
一例として、上記プリファレンス情報は、後述するＬｉｃｅｎｓｅ  ｅｘｅｍｐｔ  ａｃｃｅｓｓ  Ｐｒｅｆｅｒｅｎｃｅパラメータである。
【０１６２】
例えば、ユーザは、高品質で高信頼性の通信サービスを受けたい場合には、「（２）アンライセンスバンドを用いることを許容しない」を入力する。また、例えば、ユーザは、遅延が大きくても長時間で大容量の通信を望む場合には、「（１）アンライセンスバンドのみを許容する」又は「（４）アンライセンスバンドのリソースが使用できそうであれば、なるべくアンライセンスバンドを使用する」を入力する。
【０１６３】
あるいは／さらに、上記プリファレンス情報は、ライセンス周波数での通信とアンライセンス周波数での通信との比率を示してもよい。また、上記プリファレンス情報は、ライセンス周波数又はアンライセンス周波数の通信について通信量の上限及び／又は下限を示してもよい。
【０１６４】
例えば、上記プリファレンス情報は、端末装置ごとに生成される情報であってもよい。あるいは、上記プリファレンス情報は、通信ベアラごとに生成される情報であってもよい。
【０１６５】
−加入者情報
例えば、上記端末関連情報は、アンライセンス周波数の使用についての加入者情報を含む。当該加入者情報は、端末装置７００のためにコアネットワーク１０において保持される。より具体的には、例えば、上記加入者情報は、第３コアネットワークノード３００により保持される。
【０１６６】
具体的には、例えば、上記加入者情報は、「（１）アンライセンスバンドのみを許容する」、「（２）アンライセンスバンドを用いることを許容しない」、「（３）ライセンスバンドのリソースが使用できそうであれば、なるべくライセンスバンドを使用する」及び「（４）アンライセンスバンドのリソースが使用できそうであれば、なるべくアンライセンスバンドを使用する」のいずれか１つを示す。
【０１６７】
一例として、上記加入者情報は、後述するＬｉｃｅｎｓｅ  ｅｘｅｍｐｔ  ａｃｃｅｓｓ  ｐｅｒｍｉｓｓｉｏｎパラメータを含む。
【０１６８】
例えば、オペレータがＶＩＰユーザ向けに高品質で高信頼性の通信サービスを提供したい場合には、上記加入者情報は、「（２）アンライセンスバンドを用いることを許容しない」を示す。また、例えば、オペレータが持っている周波数のリソースが足りないが、オペレータが多くのユーザを収容したい場合には、上記加入者情報は、「（１）アンライセンスバンドのみを許容する」又は「（４）アンライセンスバンドのリソースが使用できそうであれば、なるべくアンライセンスバンドを使用する」を示す。また、例えば、端末装置７００がＭ２Ｍ通信用の装置である場合には、長時間にわたって定期的にデータが送信されるが、当該データの送信については遅延も許容されるので、上記加入者情報は、「（１）アンライセンスバンドのみを許容する」を示す。
【０１６９】
さらに、例えば、上記加入者情報は、アンライセンス周波数用の通信サービス品質を示す。この場合に、例えば、上記加入者情報は、アンライセンス周波数用の１つ以上のＱｏＳパラメータ（例えば、ＱＣＩ、ＡＲＰ、ＧＢＲ、ＭＢＲ、ＰＤＢ及び／又はＰＥＬＲ等）を含む。上記加入者情報は、ＱｏＳパラメータと周波数との対応関係／マッピングをさらに示してもよい。
【０１７０】
図１１は、第３コアネットワークノード３００により保持される加入者情報の例を説明するための説明図である。図１１に示されているように、第３コアネットワークノード３００は、アンライセンス周波数の使用についての加入者情報として、Ｌｉｃｅｎｓｅ  ｅｘｅｍｐｔ  ａｃｃｅｓｓ  ｐｅｒｍｉｓｓｉｏｎ及びＱｏＳ  ｆｏｒ  Ｕｎｌｉｃｅｎｓｅｄ  ｂａｎｄを含む。
【０１７１】
あるいは／さらに、上記加入者情報は、ライセンス周波数での通信とアンライセンス周波数での通信との比率を示してもよい。また、上記加入者情報は、ライセンス周波数又はアンライセンス周波数の通信について通信量の上限及び／又は下限を示してもよい。
【０１７２】
例えば、上記加入者情報は、端末装置ごとに生成される情報であってもよい。あるいは、上記加入者情報は、通信ベアラごとに生成される情報であってもよい。
【０１７３】
−品質関連情報
例えば、上記端末関連情報は、アンライセンス周波数におけるアンライセンス周波数用の通信サービス品質の達成状況に関する品質関連情報を含む。当該品質関連情報は、基地局６００及び／又は端末装置７００により提供される。
【０１７４】
より具体的には、例えば、上記品質関連情報は、アンライセンス周波数における上記通信サービス品質の達成度を示す情報である。例えば、当該達成度は、アンライセンス周波数における上記通信サービス品質が達成された時間的な割合である。
【０１７５】
例えば、上記通信サービス品質は、通信ベアラのための通信サービス品質であり、上記品質関連情報は、通信ベアラごとの生成される情報である。あるいは、上記品質関連情報は、端末装置ごとに生成される情報であってもよい。
【０１７６】
−移動速度情報／位置情報
上記端末関連情報は、端末装置７００と通信する基地局６００及び端末装置７００の少なくとも一方の移動速度を示す移動速度情報、並びに／又は、基地局６００及び端末装置７００の少なくとも一方の位置を示す位置情報を含んでもよい。
【０１７７】
一例として、上記端末関連情報は、基地局６００の移動速度を示す第１の移動速度情報、基地局６００の位置を示す第１の位置情報、端末装置７００の移動速度を示す第２の移動速度情報、及び、端末装置７００の位置を示す第２の位置情報を含んでもよい。上記第１の移動速度情報及び上記第１の位置情報は、基地局６００により提供されてもよい。上記第２の移動速度情報及び上記第２の位置情報は、端末装置７００又は基地局６００により提供されてもよい。
【０１７８】
−課金情報
上記端末関連情報は、端末装置７００についての課金情報を含んでもよい。当該課金情報は、第２コアネットワークノード２００により保持されてもよい。
【０１７９】
具体的には、上記課金情報は、端末装置７００についての課金プラン又は課金ポリシーであってもよい。
【０１８０】
−通信量情報
上記端末関連情報は、ライセンス周波数又はアンライセンス周波数における端末装置７００又は端末装置７００の通信ベアラの通信量を示す通信量情報を含んでもよい。当該通信量情報は、端末装置７００及び／若しくは基地局６００により提供されてもよく、又は、第４コアネットワークノード４００及び／若しくは第５コアネットワークノードにおいて生成されてもよい。
【０１８１】
以上、上記第１の制御情報及び上記第２の制御情報の生成に使用される端末関連情報を説明したが、当然ながら、上記第１の制御情報に使用される端末関連情報と、上記第２の制御情報に使用される端末関連情報とは、互いに異なっていてもよい。
【０１８２】
（２−３）第２の制御情報の生成の例
上記第２の制御情報の生成の例を説明する。なお、当然ながら、上記第２の制御情報の生成の手法は、この例に限定されない。
【０１８３】
−第２コアネットワークノード２００による生成
第１コアネットワークノード１００（通信処理部１３１）は、基地局６００又は端末装置７００から、上記プリファレンス情報（Ｌｉｃｅｎｓｅ  ｅｘｅｍｐｔ  ａｃｃｅｓｓ  ｐｒｅｆｅｒｅｎｃｅ）及び上記品質関連情報を受信する。また、第１コアネットワークノード１００（通信処理部１３１）は、第３コアネットワークノード３００から、上記加入者情報（Ｌｉｃｅｎｓｅ  ｅｘｅｍｐｔ  ａｃｃｅｓｓ  ｐｅｒｍｉｓｓｉｏｎ）を受信する。そして、第２コアネットワークノード２００が上記プリファレンス情報、上記品質関連情報、及び上記加入者情報を受信できるように、第１コアネットワークノード１００（通信処理部１３１）は、上記プリファレンス情報、上記品質関連情報、及び上記加入者情報を送信する。一例として、上記プリファレンス情報、上記品質関連情報、及び上記加入者情報は、第１コアネットワークノード１００（例えばＭＭＥ１００）（通信処理部１３１）により第４コアネットワークノード４００（例えばＳ−ＧＷ４００）へ送信され、第４コアネットワークノード４００（通信処理部４３１）により第５コアネットワークノード５００（例えばＰ−ＧＷ５００）へ転送され、第５コアネットワークノード５００（通信処理部５３１）により第２コアネットワークノード２００（例えばＰＣＲＦ２００）へ転送されてもよい。別の例として、上記プリファレンス情報、上記品質関連情報、及び上記加入者情報は、第１コアネットワークノード１００（例えばＡＭＦ／ＳＭＦ１００）（通信処理部１３１）により第２コアネットワークノード２００（例えばＰＣＦ２００）へ直接送信されてもよい。第２コアネットワークノード２００（通信処理部２３１）は、上記プリファレンス情報、上記品質関連情報、及び上記加入者情報を受信する。
【０１８４】
第２コアネットワークノード２００（情報取得部２３３）は、上記プリファレンス情報、上記品質関連情報、及び上記加入者情報を取得する。さらに、第２コアネットワークノード２００（情報取得部２３３）は、上記課金情報も取得する。そして、第２コアネットワークノード２００（生成部２３５）は、上記プリファレンス情報、上記加入者情報、上記品質関連情報、及び上記課金情報に基づいて、上記第２の制御情報（例えば、通信ベアラのためにライセンス周波数及びアンライセンス周波数のいずれを使用するかを示す情報）（Ｌｉｃｅｎｓｅ  ｅｘｅｍｐｔ  ａｃｃｅｓｓ  ｐｏｌｉｃｙ）を生成する。
【０１８５】
第１の例として、上記課金情報が、課金プラン又は課金ポリシーとして、高額でもＱｏＳが保証されるサービスを受けることを示す。この場合に、第２コアネットワークノード２００（生成部２３５）は、「（２）アンライセンスバンドを用いることを許容しない」を示す第２の制御情報を生成する。
【０１８６】
第２の例として、上記課金情報が、課金プラン又は課金ポリシーとして、可能な限り低額でサービスを受けることを示す。この場合には、第２コアネットワークノード２００（生成部２３５）は、「（１）アンライセンスバンドのみを許容する」又は「（４）アンライセンスバンドのリソースが使用できそうであれば、なるべくアンライセンスバンドを使用する」を示す第２の制御情報を生成する。例えば、第２コアネットワークノード２００（生成部２３５）は、「（１）アンライセンスバンドのみを許容する」及び「（４）アンライセンスバンドのリソースが使用できそうであれば、なるべくアンライセンスバンドを使用する」のうちの一方であって、上記加入者情報（Ｌｉｃｅｎｓｅ  ｅｘｅｍｐｔ  ａｃｃｅｓｓ  ｐｅｒｍｉｓｓｉｏｎ）又は上記プリファレンス情報（Ｌｉｃｅｎｓｅ  ｅｘｅｍｐｔ  ａｃｃｅｓｓ  ｐｒｅｆｅｒｅｎｃｅ）に合致するものを示す第２の制御情報を生成する。
【０１８７】
第３の例として、上記課金情報は、上述した第１の例の情報及び第２の例の情報とは異なる。また、上記品質関連情報が、アンライセンス周波数におけるアンライセンス周波数用の通信サービス品質の達成度を示し、当該達成度が低い。この場合には、第２コアネットワークノード２００（生成部２３５）は、「（２）アンライセンスバンドを用いることを許容しない」又は「（３）ライセンスバンドのリソースが使用できそうであれば、なるべくライセンスバンドを使用する」を示す第２の制御情報を生成する。例えば、第２コアネットワークノード２００（生成部２３５）は、「（２）アンライセンスバンドを用いることを許容しない」及び「（３）ライセンスバンドのリソースが使用できそうであれば、なるべくライセンスバンドを使用する」のうちの一方であって、上記加入者情報（Ｌｉｃｅｎｓｅ  ｅｘｅｍｐｔ  ａｃｃｅｓｓ  ｐｅｒｍｉｓｓｉｏｎ）又は上記プリファレンス情報（Ｌｉｃｅｎｓｅ  ｅｘｅｍｐｔ  ａｃｃｅｓｓ  ｐｒｅｆｅｒｅｎｃｅ）に合致するものを示す第２の制御情報を生成する。一方、上記達成度が高い場合には、第２コアネットワークノード２００（生成部２３５）は、「（４）アンライセンスバンドのリソースが使用できそうであれば、なるべくアンライセンスバンドを使用する」を示す第２の制御情報を生成する。
【０１８８】
なお、第２コアネットワークノード２００（情報取得部２３３）は、さらに上記通信量情報を取得してもよい。そして、第２コアネットワークノード２００（生成部２３５）は、上記通信量情報にさらに基づいて、上記第２の制御情報を生成してもよい。一例として、上記通信量情報により示されるライセンス周波数における通信量が、上記課金情報により示される上限を超える場合には、第２コアネットワークノード２００（生成部２３５）は、「（１）アンライセンスバンドのみを許容する」を示す第２の制御情報を生成してもよい。
【０１８９】
また、第２コアネットワークノード２００（情報取得部２３３）は、さらに上記移動速度情報を取得してもよい。例えば、上記プリファレンス情報等と同様に、第１コアネットワークノード１００（通信処理部１３１）が、上記移動速度情報を送信し、第２コアネットワークノード２００（通信処理部２３１）が、上記移動速度情報を受信してもよい。第２コアネットワークノード２００（生成部２３５）は、上記移動速度情報にさらに基づいて、上記第２の制御情報を生成してもよい。一例として、上記移動速度情報により示される基地局６００（例えば車両又は飛行体に搭載された基地局）の移動速度が大きい場合には、第２コアネットワークノード２００（生成部２３５）は、ライセンス周波数への干渉を回避するために、「（１）アンライセンスバンドのみを許容する」を示す第２の制御情報を生成してもよい。別の例として、上記移動速度情報により示される端末装置７００の移動速度が大きく、且つ、通信に信頼性が求められる場合には、第２コアネットワークノード２００（生成部２３５）は、「（２）アンライセンスバンドを用いることを許容しない」を示す第２の制御情報を生成してもよい。また、上記移動速度情報により示される端末装置７００の移動速度が小さく、且つ、通信に信頼性が求められない場合には、第２コアネットワークノード２００（生成部２３５）は、「（１）アンライセンスバンドのみを許容する」を示す第２の制御情報を生成してもよい。
【０１９０】
また、第２コアネットワークノード２００（情報取得部２３３）は、さらに上記位置情報を取得してもよい。例えば、上記プリファレンス情報等と同様に、第１コアネットワークノード１００（通信処理部１３１）が、上記位置情報を送信し、第２コアネットワークノード２００（通信処理部２３１）が、上記位置情報を受信してもよい。第２コアネットワークノード２００（生成部２３５）は、上記位置情報にさらに基づいて、上記第２の制御情報を生成してもよい。一例として、上記位置情報により示される基地局６００の位置が、ＷＬＡＮアクセスポイントが過度に密集した領域（アンライセンス周波数が輻輳しやすい領域）にある場合には、第２コアネットワークノード２００（生成部２３５）は、「（２）アンライセンスバンドを用いることを許容しない」又は「（３）ライセンスバンドのリソースが使用できそうであれば、なるべくライセンスバンドを使用する」を示す第２の制御情報を生成してもよい。一方、上記位置情報により示される基地局６００の位置が、他のＷＬＡＮアクセスポイントがほとんどない領域（アンライセンス周波数が輻輳しにくい領域）にある場合には、第２コアネットワークノード２００（生成部２３５）は、「（１）アンライセンスバンドのみを許容する」又は「（４）アンライセンスバンドのリソースが使用できそうであれば、なるべくアンライセンスバンドを使用する」を示す第２の制御情報を生成してもよい。
【０１９１】
−第１コアネットワークノード１００による生成
第１コアネットワークノード１００（通信処理部１３１）は、基地局６００又は端末装置７００から、上記プリファレンス情報（Ｌｉｃｅｎｓｅ  ｅｘｅｍｐｔ  ａｃｃｅｓｓ  ｐｒｅｆｅｒｅｎｃｅ）を受信する。また、第１コアネットワークノード１００（通信処理部１３１）は、第３コアネットワークノード３００から、上記加入者情報（Ｌｉｃｅｎｓｅ  ｅｘｅｍｐｔ  ａｃｃｅｓｓ  ｐｅｒｍｉｓｓｉｏｎ）を受信する。さらに、第１コアネットワークノード１００（通信処理部１３１）は、第２コアネットワークノード２００により生成された第２の制御情報（Ｌｉｃｅｎｓｅ  ｅｘｅｍｐｔ  ａｃｃｅｓｓ  ｐｒｏｆｉｌｅ）を受信する。
【０１９２】
第１コアネットワークノード１００（情報取得部１３３）は、上記プリファレンス情報、上記加入者情報、及び、第２コアネットワークノード２００により生成された上記第２の制御情報（Ｌｉｃｅｎｓｅ  ｅｘｅｍｐｔ  ａｃｃｅｓｓ  Ｐｏｌｉｃｙ）を取得する。そして、第１コアネットワークノード１００（生成部１３５）は、上記プリファレンス情報、上記加入者情報、及び、第２コアネットワークノード２００により生成された上記第２の制御情報に基づいて、第２の制御情報（Ｌｉｃｅｎｓｅ  ｅｘｅｍｐｔ  ａｃｃｅｓｓ  ｐｒｏｆｉｌｅ）を新たに生成する。
【０１９３】
例えば、第２コアネットワークノード２００により生成された上記第２の制御情報（Ｌｉｃｅｎｓｅ  ｅｘｅｍｐｔ  ａｃｃｅｓｓ  Ｐｏｌｉｃｙ）が取得された場合には、第１コアネットワークノード１００（生成部１３５）は、上記第２の制御情報（Ｌｉｃｅｎｓｅ  ｅｘｅｍｐｔ  ａｃｃｅｓｓ  Ｐｏｌｉｃｙ）と同じである第２の制御情報（Ｌｉｃｅｎｓｅ  ｅｘｅｍｐｔ  ａｃｃｅｓｓ  ｐｒｏｆｉｌｅ）を生成する。第２コアネットワークノード２００により生成された上記第２の制御情報（Ｌｉｃｅｎｓｅ  ｅｘｅｍｐｔ  ａｃｃｅｓｓ  Ｐｏｌｉｃｙ）が取得されない場合には、第１コアネットワークノード１００（生成部１３５）は、上記加入者情報及び上記プリファレンス情報に基づいて、第２の制御情報（Ｌｉｃｅｎｓｅ  ｅｘｅｍｐｔ  ａｃｃｅｓｓ  ｐｒｏｆｉｌｅ）を生成する。例えば、上記加入者情報が、「（２）アンライセンスバンドを用いることを許容しない」を示す場合には、第１コアネットワークノード１００（生成部１３５）は、「（２）アンライセンスバンドを用いることを許容しない」を示す第２の制御情報（Ｌｉｃｅｎｓｅ  ｅｘｅｍｐｔ  ａｃｃｅｓｓ  ｐｒｏｆｉｌｅ）を生成する。例えば、上記加入者情報が、「（１）アンライセンスバンドのみを許容する」を示し、且つ、上記プリファレンス情報が、「（１）アンライセンスバンドのみを許容する」又は「（４）アンライセンスバンドのリソースが使用できそうであれば、なるべくアンライセンスバンドを使用する」を示す場合には、第１コアネットワークノード１００（生成部１３５）は、上記プリファレンス情報と同じである第２の制御情報（Ｌｉｃｅｎｓｅ  ｅｘｅｍｐｔ  ａｃｃｅｓｓ  ｐｒｏｆｉｌｅ）を生成する。
【０１９４】
なお、第２コアネットワークノード２００（生成部２３５）と同様に、又は第２コアネットワークノード２００（生成部２３５）の代りに、第１コアネットワークノード１００（生成部１３５）は、上記品質関連情報、上記移動速度情報、上記位置情報、上記課金情報、及び／又は、上記通信量情報に基づいて、第２の制御情報（Ｌｉｃｅｎｓｅ  ｅｘｅｍｐｔ  ａｃｃｅｓｓ  ｐｒｏｆｉｌｅ）を生成してもよい。
【０１９５】
第２コアネットワークノード２００（生成部２３５）は、上記第１の制御情報を生成せず、第１コアネットワークノード１００（生成部１３５）が、上記第１の制御情報を生成してもよい。あるいは、第２コアネットワークノード２００（生成部２３５）が、上記第１の制御情報を生成し、第１コアネットワークノード１００（生成部１３５）は、上記第１の制御情報を生成しなくてもよい。
【０１９６】
第２コアネットワークノード２００（生成部２３５）は、上記第２の制御情報を生成せず、第１コアネットワークノード１００（生成部１３５）が、上記第２の制御情報を生成してもよい。あるいは、第２コアネットワークノード２００（生成部２３５）が、上記第２の制御情報を生成し、第１コアネットワークノード１００（生成部１３５）は、上記第２の制御情報を生成しなくてもよい。
【０１９７】
（２−４）第１の制御情報の生成の例
上記第１の制御情報の生成の例を説明する。なお、当然ながら、上記第１の制御情報の生成の手法は、この例に限定されない。
【０１９８】
−第２コアネットワークノード２００による生成
例えば、第２コアネットワークノード２００（情報取得部２３３）は、上記加入者情報及び上記課金情報を取得する。そして、例えば、第２コアネットワークノード２００（生成部２３５）は、上記加入者情報及び上記課金情報に基づいて、上記第１の制御情報（アンライセンス周波数用の通信サービス品質を示す情報）を生成する。
【０１９９】
例えば、上記加入者情報は、アンライセンス周波数用の通信サービス品質を示し、第２コアネットワークノード２００（生成部２３５）は、当該通信サービス品質が保証されるように、上記第１の制御情報を生成する。また、例えば、上記課金情報が、課金プラン又は課金ポリシーとして、高額でもＱｏＳが保証されるサービスを受けることを示す場合には、第２コアネットワークノード２００（生成部２３５）は、アンライセンス周波数用の高い通信サービス品質を示す第１の制御情報を生成する。例えば、上記課金情報が、課金プラン又は課金ポリシーとして、可能な限り低額でサービスを受けることを示す場合には、第２コアネットワークノード２００（生成部２３５）は、アンライセンス周波数用の低い通信サービス品質を示す第１の制御情報を生成する。
【０２００】
なお、第２コアネットワークノード２００（情報取得部２３３）は、上記プリファレンス情報、上記品質関連情報、上記通信量情報、上記移動速度情報、及び／又は上記位置情報をさらに取得してもよい。そして、第２コアネットワークノード２００（生成部２３５）は、当該情報に基づいて、上記第１の制御情報を生成してもよい。
【０２０１】
例えば、上記プリファレンス情報が、「（１）アンライセンスバンドのみを許容する」又は「（４）アンライセンスバンドのリソースが使用できそうであれば、なるべくアンライセンスバンドを使用する」を示す場合には、第２コアネットワークノード２００（生成部２３５）は、アンライセンス周波数用の通信サービス品質が現状よりも低くならないように、上記第１の制御情報を生成してもよい。
【０２０２】
例えば、上記品質関連情報が、アンライセンス周波数におけるアンライセンス周波数用の通信サービス品質の達成度を示し、当該達成度が低い場合には、第２コアネットワークノード２００（生成部２３５）は、アンライセンス周波数用のより低い通信サービス品質を示す第１の制御情報を生成してもよい。
【０２０３】
例えば、上記通信量情報により示されるアンライセンス周波数における通信量が、上記課金情報により示される上限を超える場合には、第２コアネットワークノード２００（生成部２３５）は、アンライセンス周波数用のより低い通信サービス品質を示す第１の制御情報を生成してもよい。
【０２０４】
例えば、上記移動速度情報により示される基地局６００（例えば車両又は飛行体に搭載された基地局）又は端末装置７００の移動速度が大きい場合には、第２コアネットワークノード２００（生成部２３５）は、アンライセンス周波数用の低い通信サービス品質を示す第１の制御情報を生成してもよい。
【０２０５】
例えば、上記位置情報により示される基地局６００の位置が、ＷＬＡＮアクセスポイントが過度に密集した領域（アンライセンス周波数が輻輳しやすい領域）にある場合には、第２コアネットワークノード２００（生成部２３５）は、アンライセンス周波数用の低い通信サービス品質を示す第１の制御情報を生成してもよい。
【０２０６】
−第１コアネットワークノード１００による生成
第１コアネットワークノード１００（情報取得部１３３）は、上記加入者情報、上記課金情報、上記プリファレンス情報、上記品質関連情報、上記通信量情報、上記移動速度情報、及び／又は上記位置情報を取得する。そして、第１コアネットワークノード１００（生成部１３５）は、当該情報に基づいて、記第１の制御情報を生成する。例えば、第１コアネットワークノード１００（生成部１３５）は、第２コアネットワークノード２００（生成部２３５）に関連して上述した例と同様に、上記第１の制御情報を生成する。
【０２０７】
また、例えば、第１コアネットワークノード１００（情報取得部１３３）は、第２コアネットワークノード２００（生成部２３５）により生成された上記第１の制御情報を取得する。そして、第１コアネットワークノード１００（生成部１３５）は、第２コアネットワークノード２００（生成部２３５）により生成された上記第１の制御情報に基づいて、アンライセンス周波数用の通信サービス品質を示す第１の制御情報を新たに生成する。例えば、第１コアネットワークノード１００（生成部１３５）は、上記加入者情報、上記課金情報、上記プリファレンス情報、上記品質関連情報、上記通信量情報、上記移動速度情報、及び／又は上記位置情報に基づいて、第２コアネットワークノード２００（生成部２３５）により生成された上記第１の制御情報により示される通信サービス品質を調整することにより、第１の制御情報を新たに生成する。
【０２０８】
なお、第２コアネットワークノード２００（生成部２３５）は、上記第１の制御情報を生成せず、第１コアネットワークノード１００（生成部１３５）が、上記第１の制御情報を生成してもよい。あるいは、第２コアネットワークノード２００（生成部２３５）が、上記第１の制御情報を生成し、第１コアネットワークノード１００（生成部１３５）は、上記第１の制御情報を生成しなくてもよい。
【０２０９】
（３）コアネットワークから無線アクセスネットワークへの制御情報の送信
−基地局への送信
第１コアネットワークノード１００（情報取得部１３３）は、上記第１の制御情報、上記第２の制御情報及び上記第３の制御情報を取得する。そして、第１コアネットワークノード１００（通信処理部１３１）は、上記第１の制御情報、上記第２の制御情報及び上記第３の制御情報を基地局６００へ送信する。基地局６００（第１通信処理部６４１）は、上記第１の制御情報、上記第２の制御情報及び上記第３の制御情報を受信する。
【０２１０】
例えば、第１コアネットワークノード１００（通信処理部１３１）は、通信ベアラを設定するためのメッセージを基地局６００へ送信し、当該メッセージは、上記第１の制御情報、上記第２の制御情報及び上記第３の制御情報を含む。基地局６００（第１通信処理部６４１）は、上記メッセージを受信する。一例として、当該メッセージは、ＩＮＩＴＩＡＬ  ＣＯＮＴＥＸＴ  ＳＥＴＵＰ  ＲＥＱＵＥＳＴメッセージ又はＥ−ＲＡＢ  ＳＥＴＵＰ  ＲＥＱＵＥＳＴメッセージである。
【０２１１】
図１２は、第１の実施形態に係るＩＮＩＴＩＡＬ  ＣＯＮＴＥＸＴ  ＳＥＴＵＰ  ＲＥＱＵＥＳＴメッセージの例を説明するための説明図である。図１２を参照すると、ＩＮＩＴＩＡＬ  ＣＯＮＴＥＸＴ  ＳＥＴＵＰ  ＲＥＱＵＥＳＴメッセージは、上記第１の制御情報として、ＵＥ  Ａｇｇｒｅｇａｔｅ  Ｍａｘｉｍｕｍ  Ｂｉｔ  Ｒａｔｅ  ｆｏｒ  Ｕｎｌｉｃｅｎｓｅｄ  ｂａｎｄ及びＥ−ＲＡＢ  Ｌｅｖｅｌ  ＱｏＳ  Ｐａｒａｍｅｔｅｒｓ  ｆｏｒ  Ｕｎｌｉｃｅｎｓｅｄ  ｂａｎｄを含む。また、当該メッセージは、上記第２の制御情報として、Ｌｉｃｅｎｓｅ  ｅｘｅｍｐｔ  ａｃｃｅｓｓ  ｐｒｏｆｉｌｅを含む。また、当該メッセージは、上記第３の制御情報として、ＵＥ  Ａｇｇｒｅｇａｔｅ  Ｍａｘｉｍｕｍ  Ｂｉｔ  Ｒａｔｅ及びＥ−ＲＡＢ  Ｌｅｖｅｌ  ＱｏＳ  Ｐａｒａｍｅｔｅｒｓを含む。
【０２１２】
図１３は、第１の実施形態に係るＵＥ  Ａｇｇｒｅｇａｔｅ  Ｍａｘｉｍｕｍ  Ｂｉｔ  Ｒａｔｅ  ｆｏｒ  Ｕｎｌｉｃｅｎｓｅｄ  ｂａｎｄの例を説明するための説明図である。図１３を参照すると、ＵＥ  Ａｇｇｒｅｇａｔｅ  Ｍａｘｉｍｕｍ  Ｂｉｔ  Ｒａｔｅ  ｆｏｒ  Ｕｎｌｉｃｅｎｓｅｄ  ｂａｎｄは、ダウンリンクのための情報（ＵＥ  Ａｇｇｒｅｇａｔｅ  Ｍａｘｉｍｕｍ  Ｂｉｔ  Ｒａｔｅ  Ｄｏｗｎｌｉｎｋ）と、アップリンクのための情報（ＵＥ  Ａｇｇｒｅｇａｔｅ  Ｍａｘｉｍｕｍ  Ｂｉｔ  Ｒａｔｅ  Ｕｐｌｉｎｋ）とを含む。
【０２１３】
図１４は、第１の実施形態に係るＥ−ＲＡＢ  Ｌｅｖｅｌ  ＱｏＳ  Ｐａｒａｍｅｔｅｒｓ  ｆｏｒ  Ｕｎｌｉｃｅｎｓｅｄ  ｂａｎｄの例を説明するための説明図である。図１４を参照すると、Ｅ−ＲＡＢ  Ｌｅｖｅｌ  ＱｏＳ  Ｐａｒａｍｅｔｅｒｓ  ｆｏｒ  Ｕｎｌｉｃｅｎｓｅｄ  ｂａｎｄは、アンライセンスバンド用のＱＣＩ、ＡＲＰ、ＧＢＲ、ＰＤＢ及びＰＥＬＲを含む。
【０２１４】
図１５は、第１の実施形態に係るＬｉｃｅｎｓｅ  ｅｘｅｍｐｔ  ａｃｃｅｓｓ  ｐｒｏｆｉｌｅの例を説明するための説明図である。図１５を参照すると、Ｌｉｃｅｎｓｅ  ｅｘｅｍｐｔ  ａｃｃｅｓｓ  ｐｒｏｆｉｌｅは、ｏｎｌｙ  Ｌｉｃｅｎｓｅ  ｅｘｅｍｐｔ  ａｃｃｅｓｓ  ａｌｌｏｗｅｄ（＝「（１）アンライセンスバンドのみを許容する」）、Ｌｉｃｅｎｓｅ  ｅｘｅｍｐｔ  ａｃｃｅｓｓ  ｎｏｔ  ａｌｌｏｗｅｄ（＝「（２）アンライセンスバンドを用いることを許容しない」）、  Ｌｉｃｅｎｓｅ  ａｃｃｅｓｓ  ｐｒｅｆｅｒｒｅｄ（＝「（３）ライセンスバンドのリソースが使用できそうであれば、なるべくライセンスバンドを使用する」）、又はＬｉｃｅｎｓｅ  ｅｘｅｍｐｔ  ａｃｃｅｓｓ  ｐｒｅｆｅｒｒｅｄ（＝「（４）アンライセンスバンドのリソースが使用できそうであれば、なるべくアンライセンスバンドを使用する」）のいずれか１つを示す。
【０２１５】
なお、上記第２の制御情報として、Ｌｉｃｅｎｓｅ  ｅｘｅｍｐｔ  ａｃｃｅｓｓ  ｐｒｏｆｉｌｅ（新規パラメータ）を追加する代りに、ＳＰＩＤ（Ｓｕｂｓｃｒｉｂｅｒ  Ｐｒｏｆｉｌｅ  ＩＤ  ｆｏｒ  ＲＡＴ／Ｆｒｅｑｕｅｎｃｙ  ｐｒｉｏｒｉｔｙ）（既存パラメータ）をアンライセンス周波数用に拡張してもよい。通信ベアラごとにＳＰＩＤが生成され、送信されてもよい。
【０２１６】
また、Ｓ１ＡＰメッセージの代りにパケットのヘッダ内に上記第２の制御情報が含まれても良い。
【０２１７】
−端末装置への送信
第１コアネットワークノード１００（情報取得部１３３）は、上記第１の制御情報、上記第２の制御情報及び／又は上記第３の制御情報を、基地局６００経由で端末装置７００へ送信してもよい。端末装置７００（通信処理部７３１）は、上記第１の制御情報、上記第２の制御情報及び／又は上記第３の制御情報を受信してもよい。
【０２１８】
具体的には、第１コアネットワークノード１００（情報取得部１３３）は、上記第１の制御情報、上記第２の制御情報及び／又は上記第３の制御情報を含むＮＡＳメッセージを端末装置７００へ送信してもよい。基地局６００（第１通信処理部６４１）は、当該ＮＡＳメッセージを受信し、基地局６００（第２通信処理部６４３）は、当該ＮＡＳメッセージを端末装置７００へ送信してもよい。端末装置７００（通信処理部７３１）は、上記ＮＡＳメッセージを受信してもよい。
【０２１９】
（４）基地局による制御情報の使用
（４−１）周波数の決定（第２の制御情報）
基地局６００（第２通信処理部６４３）は、上記第２の制御情報（ライセンス周波数及びアンライセンス周波数のいずれを使用するかに関する情報）に基づいて、ライセンス周波数及びアンライセンス周波数のいずれを使用するかを決定する。
【０２２０】
−決定の単位
上述したように、例えば、上記第２の制御情報は、端末装置７００の通信ベアラのための情報である。即ち、上記第２の制御情報は、通信ベアラごとに生成される情報である。この場合に、基地局６００（第２通信処理部６４３）は、上記第２の制御情報に基づいて、上記通信ベアラのために（即ち、上記通信ベアラのデータの送信のために）ライセンス周波数及びアンライセンス周波数のいずれを使用するかを決定する。これにより、例えば、通信ベアラ単位（サービス単位）で適切な周波数を使用することが可能になる。
【０２２１】
あるいは、上記第２の制御情報は、通信サービス品質ごとに生成されてもよい。この場合に、基地局６００（第２通信処理部６４３）は、上記第２の制御情報に基づいて、上記通信サービス品質のために（即ち、上記通信サービス品質を伴う通信ベアラのデータの送信のために）ライセンス周波数及びアンライセンス周波数のいずれを使用するかを決定してもよい。
【０２２２】
あるいは、上記第２の制御情報は、端末装置ごとに生成されてもよい。この場合に、基地局６００（第２通信処理部６４３）は、上記第２の制御情報に基づいて、端末装置７００のために（即ち、基地局６００と端末装置７００との間でのデータの送信のために）ライセンス周波数及びアンライセンス周波数のいずれを使用するかを決定してもよい。
【０２２３】
−決定される周波数
例えば、基地局６００（第２通信処理部６４３）は、使用する特定の周波数を決定する。即ち、基地局６００（第２通信処理部６４３）は、特定の周波数を使用することを決定する。当該特定の周波数は、ライセンス周波数及びアンライセンス周波数の一方である。
【０２２４】
あるいは、基地局６００（第２通信処理部６４３）は、使用する特定の周波数を決定せず、ライセンス周波数を使用するか、又は、アンライセンス周波数を使用するかを決定してもよい。
【０２２５】
また、使用する周波数の決定は、ダウンリンク及びアップリンクの両方について行われてもよい。あるいは、使用する周波数の決定は、ダウンリンク及びアップリンクの一方のみについて行われてもよい。
【０２２６】
−アンライセンス周波数における通信の状況の考慮
例えば、基地局６００（第２通信処理部６４３）は、上記第２の制御情報と、アンライセンス周波数における通信の状況とに基づいて、ライセンス周波数及びアンライセンス周波数のいずれを使用するかを決定する。
【０２２７】
例えば、アンライセンス周波数における通信の上記状況は、アンライセンス周波数における干渉の状況を含む。具体的には、例えば、当該干渉の状況は、アンライセンス周波数におけるＲＳＳＩ（Ｒｅｃｅｉｖｅ  Ｓｉｇｎａｌ  Ｓｔｒｅｎｇｔｈ  Ｉｎｄｉｃａｔｉｏｎ）の測定結果である。例えば、基地局６００（第２通信処理部６４３）は、ＲＳＳＩが小さい（例えばＲＳＳＩが閾値より小さい）アンライセンス周波数を使用することを決定する。
【０２２８】
例えば、アンライセンス周波数における通信の上記状況は、アンライセンス周波数におけるレーダーの状況を含む。具体的には、例えば、当該レーダーの状況は、アンライセンス周波数におけるレーダーの検出の結果である。例えば、基地局６００（第２通信処理部６４３）は、レーダーが検出されていないアンライセンス周波数を使用することを決定する。
【０２２９】
−決定の具体例
第１の例として、上記第２の制御情報が、「（１）アンライセンスバンドのみを許容する」を示す場合には、基地局６００（第２通信処理部６４３）は、通信ベアラのためにアンライセンス周波数を使用することを決定する。
【０２３０】
第２の例として、上記第２の制御情報が、「（４）アンライセンスバンドのリソースが使用できそうであれば、なるべくアンライセンスバンドを使用する」を示す場合には、基地局６００（第２通信処理部６４３）は、アンライセンス周波数のリソースの使用状況を（例えばアドミッションコントロール等を用いて）確認する。そして、アンライセンスバンドのリソースが使用できそうであれば、基地局６００（第２通信処理部６４３）は、通信ベアラのためにアンライセンス周波数を使用することを決定する。なお、上述したように、基地局６００（第２通信処理部６４３）は、レーダーが検出されておらず且つＲＳＳＩが小さいアンライセンス周波数を使用することを決定する。
【０２３１】
第３の例として、上記第２の制御情報が、「（３）ライセンスバンドのリソースが使用できそうであれば、なるべくライセンスバンドを使用する」を示す場合には、基地局６００（第２通信処理部６４３）は、ライセンス周波数のリソースの使用状況を（例えばアドミッションコントロール等を用いて）確認する。そして、ライセンスバンドのリソースが使用できそうでなければ、基地局６００（第２通信処理部６４３）は、通信ベアラのためにアンライセンス周波数を使用することを決定する。
【０２３２】
例えば以上のように、基地局６００は、コアネットワーク１０から基地局６００へ送信される第２制御情報に基づいて、ライセンス周波数及びアンライセンス周波数のいずれを使用するかを決定する。これにより、例えば、基地局６００は、コアネットワーク１０のポリシーに従って、使用する周波数（ライセンス周波数又はアンライセンス周波数）を決定することが可能になる。即ち、使用する周波数を決定することが基地局６００によってより容易になる。また、加入者情報及び／又は課金情報等も使用され得るので、端末装置７００（及びその通信ベアラ）に適した周波数の使用が可能になる。結果として、アンライセンス周波数を使用する場合にも良好な通信サービスが提供され得る。また、アンライセンス周波数ばかりが使用される状況が避けられる可能性もあり、その結果、アンライセンス周波数において他の通信方式との公平性が保たれ得る。
【０２３３】
−その他の情報の考慮
基地局６００（第２通信処理部６４３）は、ライセンス周波数及びアンライセンス周波数のいずれを使用するかを決定する際に、他の情報にさらに考慮してもよい。
【０２３４】
例えば、基地局６００（第２通信処理部６４３）は、上記第１の制御情報（アンライセンス周波数用の通信サービス品質を示す情報）にさらに基づいて、ライセンス周波数及びアンライセンス周波数のいずれを使用するかを決定してもよい。一例として、アンライセンス周波数用の通信サービス品質が達成されそうな場合に、基地局６００（第２通信処理部６４３）は、アンライセンス周波数を使用することを決定してもよい。
【０２３５】
例えば、基地局６００（第２通信処理部６４３）は、上記プリファレンス情報、上記移動速度情報、上記位置情報、上記品質関連情報、上記加入者情報、上記課金情報、及び／又は上記通信量情報等にさらに基づいて、ライセンス周波数及びアンライセンス周波数のいずれを使用するかを決定してもよい。
【０２３６】
一例として、上記移動速度情報により示される端末装置７００の移動速度が大きく、且つ、通信に信頼性が求められる場合には、基地局６００（第２通信処理部６４３）は、ライセンス周波数を使用することを決定してもよい。一方、上記移動速度情報により示される端末装置７００の移動速度が小さく、且つ、通信に信頼性が求められない場合には、基地局６００（第２通信処理部６４３）は、アンライセンス周波数を使用することを決定してもよい。
【０２３７】
別の例として、上記移動速度情報により示される基地局６００（例えば車両又は飛行体に搭載された基地局）の移動速度が大きい場合には、基地局６００（第２通信処理部６４３）は、ライセンス周波数への干渉を回避するために、アンライセンス周波数を使用することを決定してもよい。
【０２３８】
さらに別の例として、上記位置情報により示される基地局６００の位置が、ＷＬＡＮアクセスポイントが過度に密集した領域（アンライセンス周波数が輻輳しやすい領域）にある場合には、基地局６００（第２通信処理部６４３）は、ライセンス周波数を使用することを決定してもよい。一方、上記位置情報により示される基地局６００の位置が、他のＷＬＡＮアクセスポイントがほとんどない領域（アンライセンス周波数が輻輳しにくい領域）にある場合には、基地局６００（第２通信処理部６４３）は、アンライセンス周波数を使用することを決定してもよい。
【０２３９】
−個別ケース
上述したように、例えば、基地局６００（第２通信処理部６４３）は、アンライセンス周波数を使用することを決定する。
【０２４０】
例えば、ＬＡＡ又はＬＴＥ−Ｕのケースでは、基地局６００（第２通信処理部６４３）は、ＳＣｅｌｌとしてアンライセンス周波数を使用することを決定する。
【０２４１】
例えば、ＬＷＩＰのケースでは、基地局６００（第２通信処理部６４３）は、ＷＬＡＮを使用すること（即ち、アンライセンス周波数であるＷＬＡＮの周波数を使用すること）を決定する。
【０２４２】
例えば、ＲＣＬＷＩのケースでは、基地局６００（第２通信処理部６４３）は、ＷＬＡＮを使用すること（即ち、アンライセンス周波数であるＷＬＡＮの周波数を使用すること）を決定する。
【０２４３】
−第２の制御情報の生成
例えば、基地局６００（第２通信処理部６４３）は、（例えば通信ベアラのために）ライセンス周波数及びアンライセンス周波数のいずれを使用するかの決定に応じて、（例えば通信ベアラのために）ライセンス周波数及びアンライセンス周波数のいずれを使用するかに関する第２の制御情報を新たに生成する。即ち、コアネットワーク１０から基地局６００へ送信された第２の制御情報とは別に、基地局６００（第２通信処理部６４３）は、上記決定に応じて第２の制御情報を新たに生成する。後述するように、基地局６００により新たに生成される当該第２の制御情報は、端末装置７００及び／又は他の基地局へ送信される。
【０２４４】
例えば、基地局６００（第２通信処理部６４３）は、（例えば通信ベアラのために）使用する特定の周波数を決定し、当該特定の周波数を示す第２の制御情報を生成する。即ち、上記第２の制御情報は、通信ベアラのために使用する周波数を示す。
【０２４５】
あるいは、基地局６００（第２通信処理部６４３）は、使用する特定の周波数を決定せず、（例えば通信ベアラのために）ライセンス周波数を使用するか、又は、アンライセンス周波数を使用するかを決定し、（例えば通信ベアラのために）ライセンス周波数及びアンライセンス周波数のいずれを使用するかを示す第２の制御情報を生成する。
【０２４６】
なお、第２の制御情報に関連して説明したように、コアネットワーク１０から基地局６００へ送信される第２の制御情報と、基地局６００により生成される第２の制御情報とは、両方とも、ライセンス周波数及びアンライセンス周波数のいずれを使用するかに関する情報であるが、具体的な情報として互いに異なっていてもよい。一例として、コアネットワーク１０から基地局６００へ送信される第２の制御情報は、ライセンス周波数及びアンライセンス周波数のいずれを使用するかを示す情報であるが、基地局６００により生成される第２の制御情報は、使用される特定の周波数を示す情報であってもよい。
【０２４７】
−動的な決定及び生成
例えば、基地局６００（第２通信処理部６４３）は、通信ベアラのために使用する周波数を静的に（例えば１度のみ）決定するのではなく、必要に応じて動的に決定してもよい。即ち、基地局６００（第２通信処理部６４３）は、通信ベアラのために使用する周波数を変更してもよい。
【０２４８】
また、基地局６００（第２通信処理部６４３）は、動的な決定に応じて、上記第２の制御情報を生成してもよい。
【０２４９】
（４−２）無線通信の制御（第１の制御情報）
基地局６００（第２通信処理部６４３）は、上記第１の制御情報（アンライセンス周波数用の通信サービス品質を示す情報）に基づいて、アンライセンス周波数を使用する無線通信の制御を行う。当該無線通信は、基地局６００と端末装置７００との無線通信である。
【０２５０】
−第１の例：無線リソースの割当て
例えば、上記制御は、上記無線通信のための無線リソースの割当てを含む。
【０２５１】
例えば、上述したように、上記第１の制御情報は、アンライセンス周波数用の１つ以上の通信ベアラレベルのＱｏＳパラメータ（ＱＣＩ、ＡＲＰ、ＧＢＲ、ＭＢＲ、ＰＤＢ及び／又はＰＥＬＲ）を含む。この場合に、上記制御として、基地局６００（第２通信処理部６４３）は、当該１つ以上の通信ベアラレベルのＱｏＳパラメータが達成されるように、通信ベアラのデータの送信のためにアンライセンス周波数の無線リソースを割り当てる。
【０２５２】
これにより、例えば、アンライセンス周波数では、アンライセンス周波数用の通信サービス品質が達成されるように無線通信が行われる。そのため、アンライセンス周波数におけるトラフィックの増大が抑えられ得るし、アンライセンス周波数の輻輳も回避され得る。結果として、アンライセンス周波数のために必要なＱｏＳが達成され得る。このように、アンライセンス周波数を使用する場合にも良好な通信サービスが提供され得る。また、アンライセンス周波数において他の通信方式との公平性が保たれ得る。
【０２５３】
一例として、上記無線通信は、ダウンリンクの無線通信であり、上記無線リソースは、ダウンリンクの無線リソースである。別の例として、上記無線通信は、アップリンクの無線通信であり、上記無線リソースは、アップリンクの無線リソースである。
【０２５４】
−第２の例：速度制御
上記制御は、上記無線通信の速度制御を含んでもよい。
【０２５５】
例えば、上述したように、上記第１の制御情報は、アンライセンス周波数用のＱｏＳパラメータとして、アンライセンス周波数用の総最大ビットレート（ａｇｇｒｅｇａｔｅｄ  ｍａｘｉｍｕｍ  ｂｉｔｒａｔｅ：ＡＭＢＲ）を含んでもよい。この場合に、上記制御として、基地局６００（第２通信処理部６４３）は、アンライセンスを使用した無線通信の最大ビットレートが上記ＡＭＢＲを超えないように、当該無線通信の速度を制御してもよい。
【０２５６】
これにより、例えば、アンライセンス周波数におけるトラフィックの増大が抑えられ得るし、アンライセンス周波数の輻輳も回避され得る。結果として、アンライセンス周波数のために必要なＱｏＳが達成され得る。このように、アンライセンス周波数を使用する場合にも良好な通信サービスが提供され得る。また、アンライセンス周波数において他の通信方式との公平性が保たれ得る。
【０２５７】
なお、当然ながら、上記制御は、上述した例に限られない。
【０２５８】
（４−３）測定（第１の制御情報）
基地局６００（測定部６４７）は、上記第１の制御情報（アンライセンス周波数用の通信サービス品質を示す情報）に基づいて、アンライセンス周波数における上記通信サービス品質の達成状況についての測定を行う。そして、基地局６００（測定部６４７）は、当該達成状況に関する品質関連情報を生成する。
【０２５９】
−リンク方向
例えば、上記測定は、ダウンリンクについての測定である。あるいは、上記測定は、アップリンクにつていの測定であってもよく、又は、ダウンリンクとアップリンクとの両方についての測定を含んでもよい。
【０２６０】
−第１の例：通信サービスが達成されるか
第１の例として、上記測定は、アンライセンス周波数において上記通信サービス品質が達成されるかの測定である。
【０２６１】
例えば、上記品質関連情報は、アンライセンス周波数において上記通信サービス品質が達成されないことを示す情報である。この場合に、基地局６００（測定部６４７）は、アンライセンス周波数において上記通信サービス品質が達成されない場合に、上記品質関連情報を生成する。
【０２６２】
具体的には、例えば、上述したように、上記第１の制御情報は、アンライセンス周波数用の１つ以上の通信ベアラレベルのＱｏＳパラメータ（ＱＣＩ、ＡＲＰ、ＧＢＲ、ＭＢＲ、ＰＤＢ及び／又はＰＥＬＲ）を含む。この場合に、基地局６００（測定部６４７）は、アンライセンス周波数において、例えばＧＢＲ、ＰＤＢ及び／又はＰＥＬＲが達成されない場合に、上記品質関連情報を生成する。なお、例えば、アンライセンス周波数が混雑している場合に、基地局６００は、キャリアセンスを行っても、送信機会をなかなか得られないこともあり、結果として、ＧＢＲ、ＰＤＢ及び／又はＰＥＬＲが達成されなくなり得る。
【０２６３】
例えば、アンライセンス周波数は、ＷＬＡＮ機器又は他の移動体通信事業者の基地局又は端末装置により使用され得る。そのため、当該ＷＬＡＮ機器、当該基地局又は当該端末装置の影響により、アンライセンス周波数において通信サービス品質が達成できなくなり得る。上記測定により、例えば、アンライセンス周波数用の通信サービス品質が達成されていないことを知ることが可能になる。
【０２６４】
−第２の例：達成度
第２の例として、上記測定は、アンライセンス周波数における上記通信サービス品質の達成度の測定である。例えば、当該達成度は、アンライセンス周波数における上記通信サービス品質が達成された時間的な割合である。
【０２６５】
例えば、上記品質関連情報は、上記達成度を示す情報である。
【０２６６】
上記測定により、例えば、アンライセンス周波数用の通信サービス品質がどの程度達成されているのかを知ることが可能になる。即ち、アンライセンス周波数の使用が適切かどうかを知ることが可能になる。
【０２６７】
−通信ベアラごと
例えば、上記通信サービス品質は、通信ベアラのための通信サービス品質である。この場合に、上記測定は、通信ベアラごとに行われ、上記品質関連情報は、通信ベアラごとに生成される。
【０２６８】
（５）無線アクセスネットワーク内での制御情報の送信
（５−１）基地局から端末装置への送信
基地局６００（情報取得部６４５）は、上記第１の制御情報、上記第２の制御情報及び上記第３の制御情報を取得する。そして、基地局６００（第２通信処理部６４３）は、上記第１の制御情報、上記第２の制御情報及び上記第３の制御情報を端末装置７００へ送信する。端末装置７００（通信処理部７３１）は、上記第１の制御情報、上記第２の制御情報及び上記第３の制御情報を受信する。
【０２６９】
例えば、基地局６００（第２通信処理部６４３）は、論理チャネル又は通信ベアラのためのコンフィギュレーション情報を端末装置７００へ送信し、当該コンフィギュレーション情報は、上記第１の制御情報、上記第２の制御情報及び上記第３の制御情報を含む。一例として、当該コンフィギュレーション情報は、ＬｏｇｉｃａｌＣｈａｎｎｅｌＣｏｎｆｉｇである。これにより、例えば、論理チャネル又は通信ベアラのコンフィギュレーションに応じた制御情報の提供が可能になる。例えば、基地局６００（第２通信処理部６４３）は、上記コンフィギュレーション情報を含むＲＲＣメッセージを端末装置７００へ送信する。
【０２７０】
図１６は、第１の実施形態に係るＬｏｇｉｃａｌＣｈａｎｎｅｌＣｏｎｆｉｇの例を説明するための説明図である。とりわけこの例はＬＡＡのケースの例である。図１６を参照すると、ＬｏｇｉｃａｌＣｈａｎｎｅｌＣｏｎｆｉｇは、ｌａａ−ＤＬ−Ａｌｌｏｗｅｄ−ｒｘｘの中に、ｄｌ−ｃａｒｒｉｅｒＦｒｅｑ−ｒｘｘ（第２の制御情報）と、ＱｏＳ−ｕｎｌｉｃｅｎｓｅｄ−ｂａｎｄ−ｒｘｘ（第１の制御情報）とを含む。ｄｌ−ｃａｒｒｉｅｒＦｒｅｑ−ｒｘｘ（第２の制御情報）は、ダウンリンクに使用する周波数（ＥＡＲＦＣＮ）を示す。アップリンクに使用する周波数を示す情報もさらに含まれてもよい。ＱｏＳ−ｕｎｌｉｃｅｎｓｅｄ−ｂａｎｄ−ｒｘｘ（第１の制御情報）は、アンライセンス周波数用の１つ以上のＱｏＳパラメータを含む。
【０２７１】
なお、ｌａａ−ＤＬ−Ａｌｌｏｗｅｄ−ｒｘｘは、例えば図１７に示されるように定義される。既存のｌａａ−ＤＬ−Ａｌｌｏｗｅｄ−ｒｘｘは、アップリンクのＬＡＡ用のＳＣｅｌｌに適用されることがあるが、デュアルコネクティビティのＰＳｃｅｌｌには適用できない。そのため、図１７に示されるように、第１の実施形態に係るｌａａ−ＤＬ−Ａｌｌｏｗｅｄ−ｒｘｘは、デュアルコネクティビティのＰＳｃｅｌｌに適用され、且つ、アップリンクのＬＡＡにも適用されるように、拡張されている。
【０２７２】
例えば、上記第１の制御情報、上記第２の制御情報及び上記第３の制御情報は、（例えば、上記コンフィギュレーション情報及び／又は上記ＲＲＣメッセージの中で）ＤＲＢ（Ｄａｔａ  Ｒａｄｉｏ  Ｂｅａｒｅｒ）  ＩＤ、Ｌｏｇｉｃａｌ  Ｃｈａｎｎｅｌ  ＩＤ（又はＬｏｇｉｃａｌ  Ｃｈａｎｎｅｌ  Ｇｒｏｕｐ  ＩＤ）に関連付けられていてもよい。
【０２７３】
ＲＣＬＷＩのケースでは、上記第２の制御情報は、ｓｔｅｅｒ  ｃｏｍｍａｎｄ  ＵＥであってもよい。
【０２７４】
なお、例えば、基地局６００は、コアネットワーク１０から基地局６００へ送信された第１の制御情報及び第３の制御情報を、端末装置７００へ送信する。例えば、基地局６００は、コアネットワーク１０から基地局６００へ送信された第２の制御情報ではなく、ライセンス周波数及びアンライセンス周波数のいずれを使用するかの決定に応じて自ら新たに生成した第２の制御情報を、端末装置７００へ送信する。
【０２７５】
（５−２）基地局間での送信
基地局６００（第１通信処理部６４１）は、上記第１の制御情報、上記第２の制御情報及び上記第３の制御情報を他の基地局へ送信してもよい。
【０２７６】
一例として、基地局６００は、ハンドオーバのソース基地局であってもよく、上記他の基地局は、ハンドオーバのターゲット基地局であってもよい。この場合に、基地局６００（第１通信処理部６４１）は、上記第１の制御情報、上記第２の制御情報及び上記第３の制御情報を含むハンドオーバ要求メッセージを上記他の基地局へ送信してもよい。これにより、例えば、ハンドオーバに応じた基地局間で制御情報の引継ぎが可能になる。
【０２７７】
別の例として、基地局６００は、デュアルコネクティビティのマスタ基地局（例えば、ＭｅＮＢ）であってもよく、上記他の基地局は、デュアルコネクティビティのセカンダリ基地局（例えば、ＳｅＮＢ）であってもよい。この場合に、基地局６００（第１通信処理部６４１）は、上記第１の制御情報、上記第２の制御情報及び上記第３の制御情報を含むデュアルコネクティビティ関連メッセージを上記他の基地局へ送信してもよい。
一例として、当該デュアルコネクティビティ関連メッセージは、ＳＥＮＢ  ＡＤＤＩＴＩＯＮ  ＲＥＱＵＥＳＴメッセージであってもよい。あるいは、上記デュアルコネクティビティ関連メッセージは、ＳＥＮＢ  ＲＥＣＯＮＦＩＧＵＲＡＴＩＯＮ  ＣＯＭＰＬＥＴＥメッセージ又はＳＥＮＢ  ＭＯＤＩＦＩＣＡＴＩＯＮ  ＲＥＱＵＥＳＴメッセージであってもよい。
【０２７８】
なお、基地局６００（第１通信処理部６４１）は、上記第１の制御情報、上記第２の制御情報及び上記第３の制御情報を他の基地局から受信してもよい。
【０２７９】
（６）端末装置による制御情報の使用
（６−１）周波数の使用（第２の制御情報）
端末装置７００（通信処理部７３１）は、上記第２の制御情報（ライセンス周波数及びアンライセンス周波数のいずれを使用するかに関する情報）に基づいて、使用する周波数を決定する。そして、端末装置７００（通信処理部７３１）は、当該周波数を使用して基地局６００と通信する。
【０２８０】
例えば、上記第２の制御情報は、通信ベアラごとに生成される情報である。この場合に、  端末装置７００（通信処理部７３１）は、上記第２の制御情報に基づいて、上記第２の制御情報に対応する通信ベアラのために使用する周波数を決定する。そして、端末装置７００（通信処理部７３１）は、上記通信ベアラのために上記周波数を使用して基地局６００と通信する。端末装置７００（通信処理部７３１）は、上記周波数を使用して、上記通信ベアラのデータ（当該通信ベアラのＤＢＲ  ＩＤ又はＬｏｇｉｃａｌ  Ｃｈａｎｎｅｌ  ＩＤに対応するデータ）を基地局６００へ送信してもよい。端末装置７００（通信処理部７３１）は、上記周波数を使用して、上記通信ベアラのデータを基地局６００から受信してもよい。これにより、例えば、通信ベアラごとに、アップリンクデータを所望の周波数（ライセンス周波数又はアンライセンス周波数）を使用して送信することが可能になる。なお、基地局６００が、上記周波数の無線リソースを端末装置７００に割り当て、当該無線リソースを端末装置７００に通知するので、端末装置７００は、当該無線リソースの割当てに基づいて、上記周波数を使用する。
【０２８１】
例えば、上記第２の制御情報は、通信ベアラのために使用する特定の周波数を示す情報であり、当該特定の周波数は、ライセンス周波数又はアンライセンス周波数である。この場合に、端末装置７００（通信処理部７３１）により決定される上記周波数は、上記特定の周波数である。即ち、端末装置７００（通信処理部７３１）は、上記通信ベアラのために上記特定の周波数を使用することを決定する。
【０２８２】
あるいは、上記第２の制御情報は、通信ベアラのためにライセンス周波数及びアンライセンス周波数のいずれを使用するかを示す情報であってもよい。例えば、上記第２の制御情報は、上記通信ベアラのためにライセンス周波数を使用することを示す場合に、端末装置７００（通信処理部７３１）は、上記通信ベアラのためにいずれかのライセンス周波数を使用することを決定してもよい。あるいは、端末装置７００（通信処理部７３１）は、上記通信ベアラのために特定のライセンス周波数を選択し、上記通信ベアラのために当該特定のライセンス周波数を使用することを決定してもよい。例えば、上記第２の制御情報は、上記通信ベアラのためにアンライセンス周波数を使用することを示す場合に、端末装置７００（通信処理部７３１）は、上記通信ベアラのためにいずれかのアンライセンス周波数を使用することを決定してもよい。あるいは、端末装置７００（通信処理部７３１）は、上記通信ベアラのために特定のアンライセンス周波数を選択し、上記通信ベアラのために当該特定のアンライセンス周波数を使用することを決定してもよい。
【０２８３】
（６−２）測定（第１の制御情報）
端末装置７００（測定部７３５）は、上記第１の制御情報（アンライセンス周波数用の通信サービス品質を示す情報）に基づいて、アンライセンス周波数における上記通信サービス品質の達成状況についての測定を行う。そして、端末装置７００（測定部７３５）は、当該達成状況に関する品質関連情報を生成する。
【０２８４】
−リンク方向
例えば、上記測定は、アップリンクについての測定である。あるいは、上記測定は、ダウンリンクにつていの測定であってもよく、又は、アップリンクとダウンリンクとの両方についての測定を含んでもよい。
【０２８５】
−第１の例：通信サービスが達成されるか
第１の例として、上記測定は、アンライセンス周波数において上記通信サービス品質が達成されるかの測定である。
【０２８６】
例えば、上記品質関連情報は、アンライセンス周波数において上記通信サービス品質が達成されないことを示す情報である。この場合に、端末装置７００（測定部７３５）は、アンライセンス周波数において上記通信サービス品質が達成されない場合に、上記品質関連情報を生成する。
【０２８７】
具体的には、例えば、上述したように、上記第１の制御情報は、アンライセンス周波数用の１つ以上の通信ベアラレベルのＱｏＳパラメータ（ＱＣＩ、ＡＲＰ、ＧＢＲ、ＭＢＲ、ＰＤＢ及び／又はＰＥＬＲ）を含む。この場合に、端末装置７００（測定部７３５）は、アンライセンス周波数において、例えばＧＢＲ、ＰＤＢ及び／又はＰＥＬＲが達成されない場合に、上記品質関連情報を生成する。なお、例えば、アンライセンス周波数が混雑している場合に、端末装置７００は、キャリアセンスを行っても、送信機会をなかなか得られないこともあり、結果として、ＧＢＲ、ＰＤＢ及び／又はＰＥＬＲが達成されなくなり得る。
【０２８８】
例えば、アンライセンス周波数は、ＷＬＡＮ機器又は他の移動体通信事業者の基地局又は端末装置により使用され得る。そのため、当該ＷＬＡＮ機器、当該基地局又は当該端末装置の影響により、アンライセンス周波数において通信サービス品質が達成できなくなり得る。上記測定により、例えば、アンライセンス周波数用の通信サービス品質が達成されていないことを知ることが可能になる。
【０２８９】
−第２の例：達成度
第２の例として、上記測定は、アンライセンス周波数における上記通信サービス品質の達成度の測定である。例えば、当該達成度は、アンライセンス周波数における上記通信サービス品質が達成された時間的な割合である。
【０２９０】
例えば、上記品質関連情報は、上記達成度を示す情報である。
【０２９１】
上記測定により、例えば、アンライセンス周波数用の通信サービス品質がどの程度達成されているのかを知ることが可能になる。即ち、アンライセンス周波数の使用が適切かどうかを知ることが可能になる。
【０２９２】
−通信ベアラごと
例えば、上記通信サービス品質は、通信ベアラのための通信サービス品質である。この場合に、上記測定は、通信ベアラごとに行われ、上記品質関連情報は、通信ベアラごとに生成される。
【０２９３】
（７）品質関連情報（第１の例：通信サービス品質が達成されないことを示す情報）
（７−１）端末装置による送信
上述したように、端末装置７００（測定部７３５）は、上記第１の制御情報に基づいて、アンライセンス周波数におけるアンライセンス周波数用の通信サービス品質の達成状況についての測定を行う。そして、端末装置７００（測定部７３５）は、当該達成状況に関する品質関連情報を生成する。例えば、上記測定は、アンライセンス周波数において上記通信サービス品質が達成されるかの測定であり、上記品質関連情報は、アンライセンス周波数において上記通信サービス品質が達成されないことを示す情報である。上記品質関連情報は、周波数（又は基地局）の切替えを要求する情報であってもよい。
【０２９４】
端末装置７００（情報取得部７３３）は、上記品質関連情報（アンライセンス周波数において上記通信サービス品質が達成されないことを示す情報）を取得する。そして、端末装置７００（通信処理部７３１）は、上記品質関連情報を基地局６００へ送信する。基地局６００（第２通信処理部６４３）は、端末装置７００から上記品質関連情報を受信する。
【０２９５】
端末装置７００（通信処理部７３１）は、アンライセンス周波数において上記通信サービス品質が達成されない場合に、上記品質関連情報（アンライセンス周波数において上記通信サービス品質が達成されないことを示す情報）を基地局６００へ送信する。端末装置７００（通信処理部７３１）は、アンライセンス周波数において上記通信サービス品質が達成される場合には、上記品質関連情報を基地局６００へ送信しない。
【０２９６】
例えば、端末装置７００（通信処理部７３１）は、上記品質関連情報を含むＲＲＣメッセージを基地局６００へ送信する。一例として、当該ＲＲＣメッセージは、上記品質関連情報を含む測定報告（ｍｅａｓｕｒｅｍｅｎｔ  ｒｅｐｏｒｔ）メッセージである。
【０２９７】
（７−２）基地局による使用（周波数の切替え）
上述したように、端末装置７００（通信処理部７３１）は、上記品質関連情報を基地局６００へ送信する。基地局６００（第２通信処理部６４３）は、端末装置７００から上記品質関連情報を受信する。上記品質関連情報は、アンライセンス周波数において上記通信サービス品質が達成されないことを示す情報である。
【０２９８】
また、上述したように、基地局６００（測定部６４７）は、上記第１の制御情報に基づいて、アンライセンス周波数におけるアンライセンス周波数用の通信サービス品質の達成状況についての測定を行う。そして、基地局６００（測定部６４７）は、当該達成状況に関する品質関連情報を生成する。例えば、上記測定は、アンライセンス周波数において上記通信サービス品質が達成されるかの測定であり、上記品質関連情報は、アンライセンス周波数において上記通信サービス品質が達成されないことを示す情報である。
【０２９９】
基地局６００（情報取得部６３５）は、上記品質関連情報（端末装置７００から基地局６００へ送信された上記品質関連情報、又は、基地局６００により生成された上記品質関連情報）を取得する。そして、基地局６００（第２通信処理部６３３）は、上記品質関連情報に基づいて、端末装置７００のための周波数の切替えを行う。即ち、端末装置７００及び／又は基地局６００による測定により、アンライセンス周波数においてアンライセンス周波数用の通信サービス品質が達成されていないことが判明した場合に、基地局６００（第２通信処理部６３３）は、端末装置７００ための周波数の切替えを行う。
【０３００】
例えば、上記切替えは、アンライセンス周波数からライセンス周波数への切替えである。あるいは、上記切替えは、アンライセンス周波数から他のアンライセンス周波数への切替えであってもよい。
【０３０１】
なお、上記切替えは、周波数ハンドオーバと呼ばれてもよい。
【０３０２】
−通信ベアラごとの切替え
例えば、上記通信サービス品質は、通信ベアラのための通信サービス品質であり、記品質関連情報は、通信ベアラごとの生成される情報であり、上記切替えは、上記端末装置７００の通信ベアラのための周波数の切替えである。即ち、基地局６００（第２通信処理部６３３）は、端末装置７００の通信ベアラについての上記品質関連情報に基づいて、当該通信ベアラのための周波数の切替えを行う。
【０３０３】
−アンライセンス周波数における通信の状況の考慮
例えば、基地局６００（第２通信処理部６３３）は、上記品質関連情報と、アンライセンス周波数における通信の状況とに基づいて、端末装置７００のための周波数の切替えを行う。
【０３０４】
例えば、アンライセンス周波数における通信の上記状況は、アンライセンス周波数における干渉の状況を含む。具体的には、例えば、当該干渉の状況は、アンライセンス周波数におけるＲＳＳＩの測定結果である。例えば、端末装置７００の通信ベアラのために使用しているアンライセンス周波数におけるＲＳＳＩが大きい（例えばＲＳＳＩが閾値より大きい）。この場合に、基地局６００（第２通信処理部６４３）は、上記通信ベアラのための周波数を、上記アンライセンス周波数から、他のアンライセンス周波数又はライセンス周波数に切り替える。
【０３０５】
例えば、アンライセンス周波数における通信の上記状況は、アンライセンス周波数におけるレーダーの状況を含む。具体的には、例えば、当該レーダーの状況は、アンライセンス周波数におけるレーダーの検出の結果である。例えば、端末装置７００の通信ベアラのために使用しているアンライセンス周波数においてレーダーが検出される。この場合に、基地局６００（第２通信処理部６４３）は、上記通信ベアラのための周波数を、上記アンライセンス周波数から、他のアンライセンス周波数又はライセンス周波数に切り替える。
【０３０６】
切替え後の（端末装置７００の通信ベアラのための）周波数である上記他のアンライセンス周波数又は上記ライセンス周波数は、例えば、端末装置７００の通信ベアラのために使用しているアンライセンス周波数における干渉のレベルよりも干渉のレベルが低い周波数、又は、端末装置７００の通信ベアラのために使用しているアンライセンス周波数におけるＲＳＳＩよりもＲＳＳＩが小さい周波数であってもよい。
【０３０７】
切替え後の（端末装置７００の通信ベアラのための）周波数である上記他のアンライセンス周波数又は上記ライセンス周波数は、例えば、レーダーが検出されていない周波数であってもよい。
【０３０８】
切替え後の（端末装置７００の通信ベアラのための）周波数である上記他のアンライセンス周波数又は上記ライセンス周波数は、例えば、レベルを満たすことが可能である品質に対応する品質関連情報を設定された周波数であってもよい。当該周波数が、設定された品質関連情報が対応する品質のレベルを満たすことが可能であるか否かの判断は、基地局６００（第２通信処理部６４３）が行ってもよい。基地局６００（第２通信処理部６４３）はこの判断を、第１コアネットワークノード１００又は第２コアネットワークノード２００から取得した情報に基づいて行っても良い。
【０３０９】
（７−３）その他
基地局６００（第２通信処理部６３３）が上記品質関連情報に基づいて端末装置７００のための周波数の切替えを行う例を説明したが、第１の実施形態はこの例に限定されない。例えば、基地局６００（第２通信処理部６３３）は、上記品質関連情報に基づいて、端末装置７００のための基地局（又はセル）の切替えを行ってもよい。当該基地局の切換えは、セカンダリ基地局（ＳｅＮＢ）の切替えであってもよく、ＷＬＡＮアクセスポイントの切替えであってもよい。
【０３１０】
また、端末装置７００（通信処理部７３１）が上記品質関連情報を含むＲＲＣメッセージを基地局６００へ送信する例を説明したが、第１の実施形態はこの例に限定されない。例えば、端末装置７００（通信処理部７３１）は、上記品質関連情報を含むＮＡＳメッセージを第１コアネットワークノード１００へ送信してもよい。そして、第１コアネットワークノード１００（通信処理部１３１）が、上記品質関連情報を基地局６００へ送信してもよい。あるいは、第１コアネットワークノード１００（通信処理部１３１）が、周波数の切替えを指示する制御情報を基地局６００へ送信してもよい。
【０３１１】
以上のように、上記品質関連情報に基づいて、端末装置７００のための周波数が切り替えられる。これにより、例えば、アンライセンス周波数用の通信サービス品質が達成されなくなると、周波数が切替えられる。その結果、当該通信サービス品質が達成される場合に限り、アンライセンス周波数が使用され得る。換言すると、アンライセンス周波数が使用されている間は、上記通信サービス品質が概ね達成され得る。このように、アンライセンス周波数を使用する場合にも良好な通信サービスが提供され得る。また、アンライセンス周波数が無理に使用され続ける状況が避けられる可能性もあり、その結果、アンライセンス周波数において他の通信方式との公平性が保たれ得る。
【０３１２】
（８）品質関連情報（第２の例：通信サービス品質の達成度を示す情報）
（８−１）端末装置による送信
上述したように、端末装置７００（測定部７３５）は、上記第１の制御情報に基づいて、アンライセンス周波数におけるアンライセンス周波数用の通信サービス品質の達成状況についての測定を行う。そして、端末装置７００（測定部７３５）は、当該達成状況に関する品質関連情報を生成する。例えば、上記測定は、アンライセンス周波数における上記通信サービス品質の達成度の測定である。
【０３１３】
端末装置７００（情報取得部７３３）は、上記品質関連情報（上記達成度を示す情報）を取得する。そして、端末装置７００（通信処理部７３１）は、上記品質関連情報を基地局６００へ送信する。基地局６００（第２通信処理部６４３）は、端末装置７００から上記品質関連情報を受信する。
【０３１４】
例えば、端末装置７００（通信処理部７３１）は、上記品質関連情報（上記達成度を示す情報）を含むＲＲＣメッセージを基地局６００へ送信する。一例として、当該ＲＲＣメッセージは、上記品質関連情報を含む測定報告（ｍｅａｓｕｒｅｍｅｎｔ  ｒｅｐｏｒｔ）メッセージである。
【０３１５】
（８−２）基地局による送信
上述したように、基地局６００（測定部６４７）は、上記第１の制御情報に基づいて、アンライセンス周波数におけるアンライセンス周波数用の通信サービス品質の達成状況についての測定を行う。そして、基地局６００（測定部６４７）は、当該達成状況に関する品質関連情報を生成する。例えば、上記測定は、アンライセンス周波数における上記通信サービス品質の達成度の測定である。
【０３１６】
また、上述したように、基地局６００（第２通信処理部６４３）は、端末装置７００から上記品質関連情報（上記達成度を示す情報）を受信する。
【０３１７】
基地局６００（情報取得部６４５）は、上記品質関連情報（基地局６００により生成された情報、及び／又は、上記達成度を示す情報）（端末装置７００から基地局６００へ送信された情報）を取得する。そして、基地局６００（第１通信処理部６４１）は、上記品質関連情報を第１コアネットワークノード１００へ送信する。第１コアネットワークノード１００（通信処理部１３１）は、基地局６００から上記品質関連情報を受信する。
【０３１８】
例えば、基地局６００（第１通信処理部６４１）は、上記品質関連情報（上記達成度を示す情報）を含むＳ１ＡＰメッセージを第１コアネットワークノード１００へ送信する。
【０３１９】
（８−３）その他
端末装置７００（通信処理部７３１）が上記品質関連情報を基地局６００へ送信し、基地局６００（第１通信処理部６４１）が当該品質関連情報を第１コアネットワークノード１００へ送信する例を説明したが、第１の実施形態はこの例に限定されない。例えば、端末装置７００（通信処理部７３１）が上記品質関連情報を含むＮＡＳメッセージを第１コアネットワークノード１００へ送信してもよい。
【０３２０】
以上のように、上記品質関連情報（上記達成度を示す情報）が無線アクセスネットワーク２０からコアネットワーク１０へ送信される。これにより、例えば、コアネットワーク１０において、アンライセンス周波数の使用についてのポリシーを修正することが可能になる。そのため、アンライセンス周波数を使用する場合にも良好な通信サービスが提供され得る。具体的には、コアネットワーク１０は、上記品質関連情報に基づいて、上記第１の制御情報及び上記第２の制御情報の少なくともいずれかを修正してもよい。
【０３２１】
（９）他の情報の送信
（９−１）プリファレンス情報
例えば、端末装置７００（情報取得部７３３）は、アンライセンス周波数の使用についてのプリファレンス情報を取得する。そして、端末装置７００（通信処理部７３１）は、（基地局６００経由で）上記プリファレンス情報を第１コアネットワークノード１００へ送信する。第１コアネットワークノード１００は、上記プリファレンス情報を受信する。
【０３２２】
例えば、端末装置７００（通信処理部７３１）は、上記プリファレンス情報を含むＮＡＳメッセージを第１コアネットワークノード１００へ送信する。例えば、当該ＮＡＳメッセージは、ＡＴＴＡＣＨ  ＲＥＱＵＥＳＴメッセージ、ＰＤＮ  ＣＯＮＮＥＣＴＩＶＩＴＹ  ＲＥＱＵＥＳＴメッセージ、又はＴｒａｃｋｉｎｇ  Ａｒｅａ  Ｕｐｄａｔｅメッセージである。
【０３２３】
あるいは、端末装置７００（通信処理部７３１）は、ＥＳＭ（ＥＰＳ  Ｓｅｓｓｉｏｎ  Ｍａｎａｇｅｍｅｎｔ）、  ＥＭＭ（ＥＰＳ  Ｍｏｂｉｌｉｔｙ  Ｍａｎａｇｅｍｅｎｔ）、又は、ＳＭＳ（Ｓｈｏｒｔ  Ｍｅｓｓａｇｅ  Ｓｅｒｖｉｃｅ）等のプロトコルを用いて、上記プリファレンス情報を第１コアネットワークノード１００へ送信してもよい。
【０３２４】
なお、端末装置７００（通信処理部７３１）は、当該プリファレンス情報を基地局６００へ送信してもよい。例えば、端末装置７００（通信処理部７３１）は、上記プリファレンス情報を含むＲＲＣメッセージを基地局６００へ送信し、基地局６００（第２通信処理部６４３）は、上記プリファレンス情報を受信してもよい。そして、基地局６００（第１通信処理部６４１）は、上記プリファレンス情報を第１コアネットワークノード１００へ送信してもよい。例えば、基地局６００（第１通信処理部６４１）は、上記プリファレンス情報を含むＳ１ＡＰメッセージを第１コアネットワークノード１００へ送信してもよい。
【０３２５】
（９−２）移動速度情報／位置情報
−端末装置
例えば、端末装置７００（情報取得部７３３）は、端末装置７００の位置を示す位置情報、及び、端末装置７００の移動速度を示す移動速度情報を取得する。そして、端末装置７００（通信処理部７３１）は、（基地局６００経由で）上記位置情報及び移動速度情報を第１コアネットワークノード１００へ送信する。第１コアネットワークノード１００は、上記位置情報及び移動速度情報を受信する。例えば、端末装置７００（通信処理部７３１）は、上記位置情報及び移動速度情報を含むＮＡＳメッセージを第１コアネットワークノード１００へ送信する。
【０３２６】
あるいは、端末装置７００（通信処理部７３１）は、上記位置情報及び移動速度情報を基地局６００へ送信してもよい。例えば、端末装置７００（通信処理部７３１）は、上記位置情報及び移動速度情報を含むＲＲＣメッセージを基地局６００へ送信し、基地局６００（第２通信処理部６４３）は、上記位置情報及び移動速度情報を受信してもよい。そして、基地局６００（第１通信処理部６４１）は、上記位置情報及び移動速度情報を第１コアネットワークノード１００へ送信してもよい。例えば、基地局６００（第１通信処理部６４１）は、上記位置情報及び移動速度情報を含むＳ１ＡＰメッセージを第１コアネットワークノード１００へ送信してもよい。
【０３２７】
−基地局
例えば、基地局６００（情報取得部６４５）は、基地局６００の位置を示す位置情報、及び、基地局６００の移動速度を示す移動速度情報を取得する。そして、基地局６００（第１通信処理部６４１）は、上記位置情報及び移動速度情報を第１コアネットワークノード１００へ送信する。第１コアネットワークノード１００は、上記位置情報及び移動速度情報を受信する。例えば、基地局６００（第１通信処理部６４１）は、上記位置情報及び移動速度情報を含むＳ１ＡＰメッセージを第１コアネットワークノード１００へ送信する。
【０３２８】
（９−３）通信量情報
−端末装置
例えば、端末装置７００（情報取得部７３３）は、ライセンス周波数又はアンライセンス周波数における端末装置７００又は端末装置７００の通信ベアラの通信量（例えば端末装置７００によりカウントされたもの）を示す通信量情報を取得する。そして、端末装置７００（通信処理部７３１）は、（基地局６００経由で）上記通信量情報を第１コアネットワークノード１００へ送信する。第１コアネットワークノード１００は、上記通信量情報を受信する。例えば、端末装置７００（通信処理部７３１）は、上記通信量情報を含むＮＡＳメッセージを第１コアネットワークノード１００へ送信する。
【０３２９】
あるいは、端末装置７００（通信処理部７３１）は、上記通信量情報を基地局６００へ送信してもよい。例えば、端末装置７００（通信処理部７３１）は、上記通信量情報を含むＲＲＣメッセージを基地局６００へ送信し、基地局６００（第２通信処理部６４３）は、上記通信量情報を受信してもよい。そして、基地局６００（第１通信処理部６４１）は、上記通信量情報を第１コアネットワークノード１００へ送信してもよい。例えば、基地局６００（第１通信処理部６４１）は、上記通信量情報を含むＳ１ＡＰメッセージを第１コアネットワークノード１００へ送信してもよい。
【０３３０】
−基地局
例えば、基地局６００（情報取得部６４５）は、ライセンス周波数又はアンライセンス周波数における端末装置７００又は端末装置７００の通信ベアラの通信量（例えば基地局６００によりカウントされたもの）を示す通信量情報を取得する。そして、基地局６００（第１通信処理部６４１）は、上記通信量情報を第１コアネットワークノード１００へ送信する。第１コアネットワークノード１００は、上記通信量情報を受信する。例えば、基地局６００（第１通信処理部６４１）は、上記通信量情報を含むＳ１ＡＰメッセージを第１コアネットワークノード１００へ送信する。
【０３３１】
（９−４）使用状況情報
基地局６００（情報取得部６４５）は、通信ベアラについてのアンライセンス周波数の使用状況を示す使用状況情報を取得する。そして、基地局６００（第１通信処理部６４１）は、上記使用状況情報を第１コアネットワークノード１００（又は他のコアネットワークノード）へ送信する。
【０３３２】
例えば、上記使用状況情報は、上記通信ベアラのためにアンライセンス周波数が使用されているかを示す情報である。あるいは、上記使用状況情報は、上記通信ベアラのために使用されている特定の周波数を示す情報であってもよい。
【０３３３】
これにより、コアネットワーク１０は、通信ベアラごとにアンライセンス周波数の使用状況を知ることが可能になる。
【０３３４】
（９−５）その他
アンライセンス周波数を使用する通信のためのＡＰＮ（Ａｃｃｅｓｓ  Ｐｏｉｎｔ  Ｎａｍｅ）が定義され、当該ＡＰＮが端末装置７００においてユーザにより入力されてもよい。そして、当該ＡＰＮも、第１コアネットワークノード１００又は基地局６００へ送信されてもよい。
【０３３５】
（１０）制御情報に関連する一連の動作
図１８は、第１の実施形態に係る制御情報に関連する一連の動作を説明するためのシーケンス図である。当該シーケンス図は、Ａｔｔａｃｈ  ｒｅｑｕｅｓｔ手順（３ＧＰＰ  ＴＳ２４．３０１）のシーケンス図である。
【０３３６】
ステップ１で、ＵＥ７００は、ＡＴＴＡＣＨ  ＲＥＱＵＥＳＴメッセージを送信する。デフォルトベアラが確立される場合に、ＡＴＴＡＣＨ  ＲＥＱＵＥＳＴメッセージは、ＥＭＳ  ｍｅｓｓａｇｅ  ｃｏｎｔａｉｎｅｒ内に、ＰＤＮ  ＣＯＮＮＥＣＴＩＶＩＴＹ  ＲＥＱＵＥＳＴメッセージを含む。さらに、ＰＤＮ  ＣＯＮＮＥＣＴＩＶＩＴＹ  ＲＥＱＵＥＳＴメッセージは、Ｐｒｏｔｏｃｏｌ  ｃｏｎｆｉｇｕｒａｔｉｏｎ  ｏｐｔｉｏｎ（３ＧＰＰ  ＴＳ２４．００８  １０．５．６．３）を含む。このＰｒｏｔｏｃｏｌ  ｃｏｎｆｉｇｕｒａｔｉｏｎ  ｏｐｔｉｏｎが、Ｌｉｃｅｎｓｅ  Ｅｘｅｍｐｔ  Ａｃｃｅｓｓ  Ｐｒｅｆｅｒｅｎｃｅパラメータ（プリファレンス情報）を含む。
【０３３７】
ステップ８で、ＭＭＥ１００Ａは、位置登録を行うためのＵＰＤＡＴＥ  ＬＯＣＡＴＩＯＮメッセージ  （３ＧＰＰ  ＴＳ  ２９．２７２  Ｖ１４．３．０）をＨＳＳ３００へ送信する。ステップ１１で、ＨＳＳ３００は、ＵＰＤＡＴＥ  ＬＯＣＡＴＩＯＮ  ＡＮＳＷＥＲメッセージをＭＭＥ１００Ａへ送信する。ＵＰＤＡＴＥ  ＬＯＣＡＴＩＯＮ  ＡＮＳＷＥＲメッセージは、Ｌｉｃｅｎｓｅ  Ｅｘｅｍｐｔ  Ａｃｃｅｓｓ  Ｐｅｒｍｉｓｓｉｏｎパラメータ（加入者情報）及びアンライセンス周波数用の１つ以上のＱｏＳパラメータ（加入者情報）を含む。
【０３３８】
ステップ１２、１３で、ＣＲＥＡＴＥ  ＳＥＳＳＩＯＮ  ＲＥＱＵＥＳＴメッセージが、ＭＭＥ１００からＳ−ＧＷ４００へ、Ｓ−ＧＷ４００からＰ−ＧＷ５００へ送信される。当該ＣＲＥＡＴＥ  ＳＥＳＳＩＯＮ  ＲＥＱＵＥＳＴメッセージは、例えば、Ｌｉｃｅｎｓｅ  Ｅｘｅｍｐｔ  Ａｃｃｅｓｓ  Ｐｒｅｆｅｒｅｎｃｅパラメータ（プリファレンス情報）、Ｌｉｃｅｎｓｅ  Ｅｘｅｍｐｔ  Ａｃｃｅｓｓ  Ｐｅｒｍｉｓｓｉｏｎパラメータ（加入者情報）、及び、アンライセンス周波数用の１つ以上のＱｏＳパラメータ（加入者情報）等のパラメータを含む。ステップ１４で、これらのパラメータは、Ｐ−ＧＷ５００からＰＣＲＦ２００へ送信される。
【０３３９】
ＰＣＲＦ２００は、Ｐ−ＧＷ５００からＰＣＲＦ２００へ上記パラメータと、ＰＲＣＲ２００が保持する課金情報とに基づいて、Ｌｉｃｅｎｓｅ  Ｅｘｅｍｐｔ  Ａｃｃｅｓｓ  Ｐｏｌｉｃｙ（第２の制御情報）を生成する。さらに、ＰＣＲＦ２００は、上記パラメータと上記課金情報とに基づいて、アンライセンス周波数用の１つ以上のＱｏＳパラメータ（第１の制御情報）を生成し得る。ステップ１４で、ＰＣＲＦ２００は、Ｌｉｃｅｎｓｅ  Ｅｘｅｍｐｔ  Ａｃｃｅｓｓ  Ｐｏｌｉｃｙ（第２の制御情報）、及び、アンライセンス周波数用の１つ以上のＱｏＳパラメータ（第１の制御情報）を、Ｐ−ＧＷ５００へ送信する。
【０３４０】
ステップ１５、１６で、ＣＲＥＡＴＥ  ＳＥＳＳＩＯＮ  ＲＥＳＰＯＮＳＥメッセージが、Ｐ−ＧＷ５００からＳ−ＧＷ４００へ、Ｓ−ＧＷ４００からＭＭＥ１００へ送信される。当該ＣＲＥＡＴＥ  ＳＥＳＳＩＯＮ  ＲＥＳＰＯＮＳＥメッセージは、例えば、Ｌｉｃｅｎｓｅ  Ｅｘｅｍｐｔ  Ａｃｃｅｓｓ  Ｐｏｌｉｃｙ（第２の制御情報）、及び、アンライセンス周波数用の１つ以上のＱｏＳパラメータ（第１の制御情報）を含む。
【０３４１】
ＭＭＥ１００は、Ｌｉｃｅｎｓｅ  Ｅｘｅｍｐｔ  Ａｃｃｅｓｓ  Ｐｒｅｆｅｒｅｎｃｅパラメータ（プリファレンス情報）、Ｌｉｃｅｎｓｅ  Ｅｘｅｍｐｔ  Ａｃｃｅｓｓ  Ｐｅｒｍｉｓｓｉｏｎパラメータ（加入者情報）、及び、Ｌｉｃｅｎｓｅ  Ｅｘｅｍｐｔ  Ａｃｃｅｓｓ  Ｐｏｌｉｃｙ（第２の制御情報）等に基づいて、Ｌｉｃｅｎｓｅ  Ｅｘｅｍｐｔ  Ａｃｃｅｓｓ  Ｐｒｏｆｉｌｅ（第２の制御情報）を生成する。また、ＭＭＥ１００は、ＰＣＲＦ２００及び／又はＨＳＳ３００により送信された上記１つ以上のＱｏＳパラメータ（第１の制御情報及び／又は加入者情報）等に基づいて、アンライセンス周波数用の１つ以上のＱｏＳパラメータ（第１の制御情報）を生成する。
【０３４２】
ステップ１７で、ＭＭＥ１００は、ＩＮＩＴＩＡＬ  ＣＯＮＴＥＸＴ  ＳＥＴＵＰ  ＲＥＱＵＥＳＴメッセージをｅＮＢ６００へ送信する。ＩＮＩＴＩＡＬ  ＣＯＮＴＥＸＴ  ＳＥＴＵＰ  ＲＥＱＵＥＳＴメッセージは、Ｌｉｃｅｎｓｅ  Ｅｘｅｍｐｔ  Ａｃｃｅｓｓ  Ｐｒｏｆｉｌｅ（第２の制御情報）、及び、アンライセンス周波数用の上記１つ以上のＱｏＳパラメータ（第１の制御情報）を含む。
【０３４３】
ｅＮＢ６００は、Ｌｉｃｅｎｓｅ  Ｅｘｅｍｐｔ  Ａｃｃｅｓｓ  Ｐｒｏｆｉｌｅ（第２の制御情報）等に基づいて、Ｅ−ＲＡＢのために使用する周波数を決定する。
【０３４４】
例えばステップ１８で、ｅＮＢ６００は、上記周波数を示す情報（第２の制御情報）とアンライセンス周波数用の上記１つ以上のＱｏＳパラメータ（第１の制御情報）とを含むＲＲＣメッセージをＵＥ７００へ送信する。
【０３４５】
（１１）５Ｇシステムに関する補足
５Ｇシステムにおいても、上述したように、上記プリファレンス情報（Ｌｉｃｅｎｓｅ  Ｅｘｅｍｐｔ  Ａｃｃｅｓｓ  Ｐｒｅｆｅｒｅｎｃｅ）が、端末装置７００（ＵＥ７００）により提供される。例えば、ＵＲＬＬＣ（Ｕｌｔｒａ−Ｒｅｌｉａｂｌｅ  Ｌｏｗ−Ｌａｔｅｎｃｙ  Ｃｏｍｍｕｎｉｃａｔｉｏｎｓ）のように高信頼性且つ低遅延が望まれる場合には、ライセンスバンドが使用されることが望ましい。よって、このような場合には、例えば、上記プリファレンス情報は、「（１）アンライセンスバンドのみを許容する」を示す。
【０３４６】
また、５Ｇシステムにおいても、上述したように、上記加入者情報（Ｌｉｃｅｎｓｅ  Ｅｘｅｍｐｔ  Ａｃｃｅｓｓ  Ｐｅｒｍｉｓｓｉｏｎ）が、第３コアネットワークノード３００（ＵＤＭ３００）により保持される。例えば、端末装置７００（ＵＥ７００）がＭａｓｓｉｖｅ  ＩｏＴ通信用の端末装置である場合には、長時間にわたって定期的に通信し、データの遅延も許容され得る。よって、このような場合には、例えば、上記加入者情報（Ｌｉｃｅｎｓｅ  Ｅｘｅｍｐｔ  Ａｃｃｅｓｓ  Ｐｅｒｍｉｓｓｉｏｎ）は、「（１）アンライセンスバンドのみを許容する」を示す。
【０３４７】
第１の実施形態において上述した「通信ベアラ」は、例えば、５ＧシステムではＰＤＵセッションである。よって、上述した説明において、「通信ベアラ」は、「ＰＤＵセッション」に置き換えられ得る。また、例えば、第１コアネットワークノード１００（ＡＭＦ／ＳＭＦ１００）は、ＰＤＵセッションの確立要求の際に、上記第１の制御情報、上記第２の制御情報及び／又は上記第３の制御情報を基地局６００（ｇＮＢ６００又はｎｇ−ｅＮＢ６００）へ送信する。
【０３４８】
また、５Ｇシステムでは、ネットワークスライスが考慮されてもよい。例えば、上記第１の制御情報及び／又は上記第２の制御情報は、ネットワークスライスに基づいて生成されてもよい。一例として、上記第２の制御情報（ライセンス周波数及びアンライセンス周波数のいずれを使用するかに関する情報）は、ネットワークスライス（及び、ＰＤＵセッション、通信サービス品質（ＱｏＳ）又は端末装置）ごとに生成されてもよい。また、基地局６００（ｇＮＢ６００又はｎｇ−ｅＮＢ６００）は、ネットワークスライス（及び、ＰＤＵセッション、通信サービス品質（ＱｏＳ）又は端末装置）ごとに、使用する周波数を決定してもよい。
【０３４９】
また、５Ｇシステムにおいては、「アンライセンス周波数用の通信サービス品質」の代りに、又は、「アンライセンス周波数用の通信サービス品質」とともに、「ネットワークスライス用の通信サービス品質」が定義されてもよい。
【０３５０】
（１２）他のシステムのケースの例
第１の実施形態に係るシステム１は、４Ｇシステム又は５Ｇシステムに限定されない。例えば、システム１は、Ｗ−ＣＤＭＡ又はＣＤＭＡベースの３Ｇ（ｔｈｉｒｄ  ｇｅｎｅｒａｔｉｏｎ）システムであってもよく、基地局６００は、ＲＮＣ（Ｒａｄｉｏ  Ｎｅｔｗｏｒｋ  Ｃｏｎｔｒｏｌｌｅｒ）及び／又はＮｏｄｅ  Ｂであってもよい。例えば、システム１は、ＧＳＭ（登録商標）等の２Ｇ（ｓｅｃｏｎｄ  ｇｅｎｅｒａｔｉｏｎ）システムであってもよく、基地局６００は、ＢＳＣ（Ｂａｓｅ  Ｓｔａｔｉｏｎ  Ｃｏｎｔｒｏｌｌｅｒ）及び／又はＢＴＳ（Ｂａｓｅ  Ｔｒａｎｓｃｅｉｖｅｒ  Ｓｔａｔｉｏｎ）であってもよい。
【０３５１】
また、第１の実施形態の技術的特徴は、リレーノードによる通信、又は、ＰｒｏＳｅ（Ｐｒｏｘｉｍｉｔｙ  Ｓｅｒｖｉｃｅ）、Ｄ２Ｄのような端末装置間での通信、又はＶ２Ｘの通信にも、同様に適用されてもよい。この場合に、例えば、基地局６００は、それぞれ、リレーノード、端末装置間での通信を行う端末装置）、又はＶ２Ｘの通信を行うノードであってもよい。
【０３５２】
（１３）その他
第１の実施形態において、アンライセンス周波数を使用する通信は、ＬＴＥ又はＮＲのような移動体通信方式の通信、又はＷＬＡＮの通信に限られない。アンライセンス周波数を使用する通信は、ＭｕＬＴＥＦｉｒｅであってもよく、Ｚｉｇｂｅｅ（登録商標）、Ｂｌｕｅｔｏｏｔｈ（登録商標）、ＬＰＷＡ（Ｌｏｗ−Ｐｏｗｅｒ  Ｗｉｄｅ−Ａｒｅａ  Ｎｅｔｗｏｒｋ）、ＷｉＳＵＮ、ＬｏＲａ、又はＳＩＧＦＯＸ等であってもよい。このような通信と、ライセンス周波数の通信（例えばＬＴＥ又はＮＲの通信）とが、組み合せられてもよい。
【０３５３】
＜＜２．４．第１の変形例＞＞
第１の実施形態の上述した例では、第１コアネットワークノード１００（例えばＭＭＥ１００又はＡＭＦ／ＳＭＦ１００）が、上記第１の制御情報及び上記第２の制御情報を生成し、上記第１の制御情報及び上記第２の制御情報を基地局６００へ送信する。しかし、第１の実施形態はこの例に限定されない。
【０３５４】
例えば、第１の実施形態の第１の変形例では、運用保守（Ｏｐｅｒａｔｉｏｎ  ａｎｄ  Ｍａｉｎｔｅｎａｎｃｅ）装置８００が、上記第１の制御情報及び上記第２の制御情報を生成し、上記第１の制御情報及び上記第２の制御情報を基地局６００へ送信してもよい。即ち、上述した第１コアネットワークノード１００の動作は、運用保守装置８００により行われてもよい。
【０３５５】
図１９は、第１の実施形態の第１の変形例に係る運用保守装置８００の概略的な構成の例を示すブロック図である。図１９を参照すると、運用保守装置８００は、ネットワーク通信部８１０、記憶部８２０及び処理部８３０を備える。また、処理部８３０は、通信処理部８３１、情報取得部８３３及び生成部８３５を含む。
【０３５６】
なお、運用保守装置８００のネットワーク通信部８１０、記憶部８２０及び処理部８３０についての説明は、例えば、第１コアネットワークノード１００のネットワーク通信部１１０、記憶部１２０及び処理部１３０についての上述した説明と同じである。また、運用保守装置８００の通信処理部８３１、情報取得部８３３及び生成部８３５についての説明は、例えば、第１コアネットワークノード１００の通信処理部１３１、情報取得部１３３及び生成部１３５についての上述した説明と同じである。よって、ここでは重複する説明を省略する。
【０３５７】
＜＜２．５．第２の変形例＞＞
第１の実施形態の第２の変形例では、アンライセンス周波数についての課金の手法が導入されてもよい。
【０３５８】
（１）技術的課題
ライセンス周波数（ライセンスが必要な周波数）を使用する移動体通信事業者は、電波利用料を支払うか、又は、周波数オークションにより多額の投資を行うことにより、上記ライセンス周波数のライセンスを保持している。
【０３５９】
移動体通信事業者は、携帯電話のユーザから通信料金を収集することにより、事業活動を行っている。通信料金については、様々な形態が存在している。一例として、音声通信の通信料金は、（例えば毎月）定額の料金であり、パケット通信の通信料金は、所定量以下のデータ量については定額の料金である。パケット通信については、データ量が上記所定量を超えると、通信速度は低速に制限されるが、追加料金の支払いにより、この制限が解除される。即ち、パケット通信については、データ量が上記所定量を超えると、通信料金は、実質的に従量制の料金となる。
【０３６０】
一方、アンライセンス周波数（ライセンスが不要な周波数）を用いた通信（例えば、ＬＡＡ、ＬＷＡ、ＬＷＩＰ、ＲＣＬＷＩ又はＬＴＥ−Ｕ等）も行われ得る。移動体通信事業者は、アンライセンス周波数の使用のためには、電波利用料を支払う必要はなく、また、多額の投資を行う必要もない。そのため、ライセンス周波数を使用する通信と、アンライセンス周波数を使用する通信との間で、課金を異なるようにすることが妥当である。
【０３６１】
例えば、ライセンスが不要な５ＧＨｚ帯のＵ−ＮＩＩ１（Ｕｎｌｉｃｅｎｓｅｄ  Ｎａｔｉｏｎａｌ  Ｉｎｆｏｒｍａｔｉｏｎ  Ｉｎｆｒａｓｔｒｕｃｔｕｒｅ）又はＵＮＩＩ３が用いられる場合には、電波利用料の支払いも、周波数オークションにおける多額の投資も不要である。そのため、通信料金は比較的低くなることが妥当である。
【０３６２】
しかし、３ＧＰＰ（例えば、３ＧＰＰ  ＴＳ２３．２０３、３ＧＰＰ  ＴＳ３２．２５１等）では、ＬＡＡ、ＬＷＡ、ＬＷＩＰ、ＲＣＬＷＩ及びＬＴＥ−Ｕ等の通信方式について、課金の区別は考慮されていない。
【０３６３】
具体的には、３ＧＰＰ  ＴＳ３２．２５１の５．２．１．７には、ＩＰ  Ｆｌｏｗ  Ｍｏｂｉｌｉｔｙ（ＩＦＯＭ）  Ｃｈａｒｇｉｎｇについての記載がある。ＩＦＯＭでは同じＰＤＮコネクションにおける異なるＩＰ  ｆｌｏｗが、それぞれ３ＧＰＰとＷＬＡＮとで同時に接続／送信されることが、想定されている。この場合にＰ−ＧＷにおいてＦＢＣ（Ｆｌｏｗ−ｂａｓｅｄ  ｂｅａｒｅｒ  ｃｈａｒｇｉｎｇ）がそれぞれのアクセスについて行われるということが、記載されている。接続先のアクセス種別が異なるので、Ｐ−ＧＷは、ＷＬＡＮなのか又はＬＴＥなのかを識別することができる。具体的には、Ｐ−ＧＷは、ＷＬＡＮの場合には、ｅＰＤＧ（ｕｎｔｒｕｓｔｅｄ  ＷＬＡＮ  ａｃｃｅｓｓの場合）又はＴＷＡＧ（ｔｒｕｓｔｅｄ  ＷＬＡＮ  ａｃｃｅｓｓの場合）と通信し、Ｐ−ＧＷは、ＬＴＥの場合には、Ｓ−ＧＷと通信する。そのため、Ｐ−ＧＷは、Ｓ−Ｇとの通信から、当該通信がＬＴＥの通信であると知ることができ、ｅＰＤＧ又はＴＷＡＧとの通信から、当該通信がＷＬＡＮの通信であると知ることができる。
【０３６４】
しかし、ＩＦＯＭ等で用いられるＣｈａｒｇｉｎｇ方式は、アンライセンス周波数を使用するアクセス方式（Ｌｉｃｅｎｓｅ  Ｅｘｅｍｐｔ  Ａｃｃｅｓｓ）に適用することができない。具体的には、例えば、ＬＡＡでは、ｅＮＢからＵＥへのダウンリンクデータの送信のために、キャリアアグリゲーションによってライセンス周波数とアンライセンス周波数とが使用される。Ｓ−ＧＷからｅＮＢへのＧＴＰトンネル上では各Ｅ−ＲＡＢのデータが送信されるが、Ｓ−ＧＷは、当該データの送信のためにｅＮＢがライセンス周波数を使用するのか又はアンライセンス周波数を使用するのかを知ることができない。また、当然ながら、Ｓ−ＧＷは、アンライセンス周波数を使用して送信されたデータの量を知ることもできない。そのため、Ｓ−ＧＷは、ライセンス周波数の使用とアンライセンス周波数を使用とを区別して、データ量をカウントすることができない。よって、ＬＡＡ、ＬＴＥ−Ｕ、ＬＷＡ、ＬＷＩＰ又はＲＣＬＷＩ等が用いられる場合には、ライセンス周波数におけるデータ量と、アンライセンス周波数におけるデータ量とを区別して、課金を行うことができない。
【０３６５】
同様に、キャリアアグリゲーション（ＣＡ）又はデュアルコネクティビティ（ＤＣ）等により複数の周波数が使用される場合に周波数ごとのデータ量（送受信されたデータの量、及び、送受信に失敗したデータの量）をコアネットワークに報告する手段は基地局にはない。そのため、コアネットワークにおいて、ライセンス周波数の使用とアンライセンス周波数を使用とを区別して、課金を行うことはできない。
【０３６６】
これに関して、例えば、特許文献（特開２０１６−１９７７９６号公報）には、「ライセンスバンドとアンライセンスバンドのそれぞれの送受信されたデータ量をカウントし、その結果を制御装置へ通知する機能を備えてもよい」という記載ある。また、別の特許文献（特開２０１５−１６７３１３号公報）には、データに対して課金フラグを付与しデータ量を報告する手法が記載されている。しかし、アンライセンスバンドのために予め定められたＱｏＳが達成されることは保証されていないので、ユーザに対する課金は保証されても、アンライセンスバンドでのＱｏＳを達成することができない。
【０３６７】
（２）技術的特徴
第１の実施形態の第２の変形例では、基地局６００（情報取得部６４５）は、通信ベアラ（Ｅ−ＲＡＢ）についてのアンライセンス周波数の使用に関する使用情報を取得する。そして、基地局６００（第１通信処理部６４１）は、上記使用情報をコアネットワーク１０へ送信する。
【０３６８】
例えば、上記使用情報は、通信ベアラ（Ｅ−ＲＡＢ）のためにライセンス周波数及びアンライセンス周波数のいずれが使用されるかを示す情報である。あるいは、上記使用情報は、通信ベアラ（Ｅ−ＲＡＢ）のために使用される周波数を示す情報であってもよい。
【０３６９】
例えば、基地局６００（第１通信処理部６４１）は、上記使用情報を含むメッセージをコアネットワーク１０へ送信する。当該メッセージは、Ｓ１ＡＰ  ＩＮＩＴＩＡＬ  ＣＯＮＴＥＸＴ  ＳＥＴＵＰ  ＲＥＳＰＯＮＳＥメッセージであってもよい。あるいは、上記メッセージは、Ｅ−ＲＡＢ  ＳＥＴＵＰ  ＲＥＳＰＯＮＳＥ、ＨＡＮＤＯＶＥＲ  ＮＯＴＩＦＹ、ＰＡＴＨ  ＳＷＩＴＣＨ  ＲＥＱＵＥＳＴ、及び／又は、Ｅ−ＲＡＢ  ＭＯＤＩＦＩＣＡＴＩＯＮ  ＩＮＤＩＣＡＴＩＯＮ等であってもよい。なお、上記メッセージはこれらの例に限定されない。
【０３７０】
例えば、基地局６００（第１通信処理部６４１）は、上記使用情報を第１コアネットワークノード１００へ送信する。そして、第１コアネットワークノード１００（通信処理部１３１）は、上記使用情報を受信し、上記使用情報を第４コアネットワークノード４００及び／又は第５コアネットワークノード５００へ送信する。
【０３７１】
これにより、例えば、第４コアネットワークノード４００及び／又は第５コアネットワークノード５００は、通信ベアラのためにアンライセンス周波数が使用されているかを知ることが可能になる。そのため、第４コアネットワークノード４００及び／又は第５コアネットワークノード５００は、ライセンスバンドについてのデータ量と、アンライセンスバンドについてのデータ量をとカウントし、ＱｏＳの達成度を算出し得る。
【０３７２】
ハンドオーバ等により、通信ベアラのために使用される周波数が変わった場合には、基地局６００（第１通信処理部６４１）は、新たな使用情報を第１コアネットワークノード１００へ送信する。例えば、基地局６００（第１通信処理部６４１）は、当該使用情報を含むメッセージ（例えば、Ｅ−ＲＡＢ  ＭＯＤＩＦＩＣＡＴＩＯＮ  ＩＮＤＩＣＡＴＩＯＮ等）を第１コアネットワークノード１００へ送信する。さらに、この使用情報は、第４コアネットワークノード４００及び／又は第５コアネットワークノード５００へ送信される。
【０３７３】
上記使用情報の送信には、Ｓ１ＡＰプロトコル以外に、ＧＴＰプロトコルが使用されてもよい。例えば、図２０に示されるようにＧＴＰヘッダが拡張されてもよい。具体的には、３ＧＰＰ  ＴＳ２９．２８１  Ｖｅｒ１４．０．０のＧＴＰヘッダのＥｘｔｅｎｓｉｏｎ  Ｈｅａｄｅｒ  Ｔｙｐｅが拡張されてもよい。これにより、第４コアネットワークノード４００（Ｓ−ＧＷ）及び／又は第５コアネットワークノード５００（Ｐ−ＧＷ）は、Ｅ−ＲＡＢについてアンライセンスバンドを使用しているかどうかを知ることが可能になる。そのため、第４コアネットワークノード４００及び／又は第５コアネットワークノード５００は、ライセンスバンドについてのデータ量と、アンライセンスバンドについてのデータ量をとカウントし、ＱｏＳの達成度を算出し得る。
【０３７４】
また、基地局６００（第１通信処理部６４１及び第２通信処理部６４３）は、ＬＡＡ、ＬＴＥ−Ｕ、ＬＷＡ、ＬＷＩＰ又はＲＣＬＷＩ等の場合に、ＱＣＩ毎に、アンライセンスバンドにて送受信したＰＤＣＰのＰＤＵ（Ｐｒｏｔｏｃｏｌ  Ｄａｔａ  Ｕｎｉｔ）のデータ量、及び、ライセンスバンドにて送受信したデータ量をカウントし、アンライセンスバンドにおけるＱｏＳの達成度を算出してもよい。データ量は、ダウンリンクとアップリンクとのそれぞれについてカウントされてもよい。カウントされるデータ量は、ＰＤＣＰ  ＰＤＵレベルでのデータ量でもよいし、ＰＤＣＰ  ＳＤＵレベルでのデータ量でもよい。
【０３７５】
データ量及び／又はＱｏＳの達成度の通知は、ＱｏＳフロー毎、無線通信方式毎、又は周波数毎に行われてもよい。
【０３７６】
例えば、基地局６００（第１通信処理部６４１）は、ＣＤＲのオフライン課金の場合には、データ量及び／又はＱｏＳの達成度をＣＤＦ（Ｃｈａｒｇｉｎｇ  Ｄａｔａ  Ｆｕｎｃｔｉｏｎ）に通知する。また、基地局６００（第１通信処理部６４１）は、オンライン課金の場合には、データ量及び／又はＱｏＳの達成度をＯＣＳ（Ｏｎｌｉｎｅ  Ｃｈａｒｇｉｎｇ  Ｓｙｓｔｅｍ）に通知する。あるいは、基地局６００（第１通信処理部６４１）は、基地局６００の運用保守装置にＣＤＲの通知を行い、当該運用保守装置が、ＣＤＦ又はＯＣＳにＣＤＲを通知してもよい。ＣＤＦもしくはＯＣＳは、基地局６００からのＣＤＲと、第４コアネットワークノード４００（Ｓ−ＧＷ）及び／又は第５コアネットワークノード５００（Ｐ−ＧＷ）からのＣＤＲとの両方に基づいて、課金処理を行うことができる。例えば、アンライセンスバンドでの従量課金とライセンスバンドでの従量課金との区別が可能となる。また、周波数ごとの従量課金も可能となる。
【０３７７】
あるいは、基地局６００（第１通信処理部６４１）は、（例えば、ライセンスバンド／アンライセンスバンド毎、周波数帯毎、ＱＣＩ毎、ダウンリンク／アップリンク毎の）データ量及び／又はＱｏＳの達成度を、第１コアネットワークノード１００（ＭＭＥ）に通知してもよい。第１コアネットワークノード１００（通信処理部１３１）は、データ量及び／又はＱｏＳの達成度をＣＤＲとしてＣＤＦ又はＯＣＳに通知してもよい。あるいは、第１コアネットワークノード１００（通信処理部１３１）は、データ量及び／又はＱｏＳの達成度を第４コアネットワークノード４００に通知し、第４コアネットワークノード４００が、データ量及び／又はＱｏＳの達成度をＣＤＲとしてＣＤＦ又はＯＣＳに通知してもよい。
【０３７８】
ＬＩＰＡ又はＳＩＰＴＯが行われている場合に、基地局６００（第１通信処理部６４１）は、Ｌ−ＧＷ経由でデータ量及び／又はＱｏＳの達成度をＣＤＲとしてＣＤＦ又はＯＣＳに通知してもよい。また、基地局６００（第１通信処理部６４１）は、ＭＥＣサーバー経由でデータ量及び／又はＱｏＳの達成度をＣＤＲとしてＣＤＦ又はＯＣＳに通知してもよい。
【０３７９】
また、（基地局６００と同様に）端末装置７００（通信処理部７３１）が、データ量のカウント及び／又はＱｏＳの達成度の算出を行ってもよい。そして、端末装置７００（通信処理部７３１）は、ＲＲＣメッセージの中でデータ量及び／又はＱｏＳの達成度を基地局６００に通知してもよい。あるいは、端末装置７００（通信処理部７３１）は、ＮＡＳメッセージの中でデータ量及び／又はＱｏＳの達成度を第１コアネットワークノード１００に通知してもよい。
【０３８０】
なお、データ量及び／又はＱｏＳの達成度の通知は、通信ベアラの解放の際に、又は周期的に行われてもよい。
【０３８１】
当然ながら、上述した技術的特徴は、システム１が４Ｇシステムである場合だけではなく、システム１が５Ｇシステムである場合にも適用され得る。
【０３８２】
＜＜＜３．第２の実施形態＞＞＞
続いて、図２１〜図２２を参照して、本発明の第２の実施形態を説明する。上述した第１の実施形態は、具体的な実施形態であるが、第２の実施形態は、ある観点からより一般化された実施形態である。
【０３８３】
＜＜３．１．システムの構成＞＞
まず、図２１を参照して、第２の実施形態に係るシステム１０００を説明する。図２１は、本発明の第２の実施形態に係るシステム１０００の概略的な構成の一例を示す説明図である。図２１を参照すると、システム１０００は、通信装置１１００及び通信ノード１２００を含む。
【０３８４】
通信ノード１２００は、無線アクセスネットワークにおいて通信するノードである。
【０３８５】
一例として、通信装置１１００は、第１の実施形態の第１コアネットワークノード１００である。この場合に、通信ノード１２００は、第１の実施形態の基地局６００又は端末装置７００である。
【０３８６】
別の例として、通信装置１１００は、第１の実施形態の基地局６００であってもよい。この場合に、通信ノード１２００は、第１の実施形態の端末装置７００又は他の基地局であってもよい。
【０３８７】
なお、第２の実施形態の通信装置１１００及び通信ノード１２００は、これらの例に限定されない。
【０３８８】
＜＜３．２．通信装置の構成＞＞
図２２は、第２の実施形態に係る通信装置１１００の概略的な構成の例を示すブロック図である。図２２を参照すると、通信装置１１００は、情報取得部１１１０及び通信処理部１１２０を備える。
【０３８９】
情報取得部１１１０及び通信処理部１１２０の具体的な動作は、後に説明する。
【０３９０】
情報取得部１１１０及び通信処理部１１２０は、１つ以上のプロセッサ及びメモリにより実装されてもよい。当該メモリは、当該１つ以上のプロセッサ内に含まれていてもよく、又は、上記１つ以上のプロセッサ外にあってもよい。
【０３９１】
通信装置１１００は、プログラム（命令）を記憶するメモリと、当該プログラム（命令）を実行可能な１つ以上のプロセッサとを含んでもよい。当該１つ以上のプロセッサは、上記プログラムを実行して、情報取得部１１１０及び通信処理部１１２０の動作を行ってもよい。上記プログラムは、情報取得部１１１０及び通信処理部１１２０の動作をプロセッサに実行させるためのプログラムであってもよい。
【０３９２】
なお、通信装置１１００は、仮想化されていてもよい。即ち、通信装置１１００は、仮想マシンとして実装されてもよい。この場合に、通信装置１１００（仮想マシン）は、プロセッサ及びメモリ等を含む物理マシン（ハードウェア）及びハイパーバイザ上で仮想マシンとして動作してもよい。
【０３９３】
＜＜３．３．技術的特徴＞＞
第２の実施形態の技術的特徴を説明する。
【０３９４】
通信装置１１００（情報取得部１１１０）は、アンライセンス周波数用の通信サービス品質を示す第１の制御情報を取得する。そして、通信装置１１００（通信処理部１１２０）は、通信ノード１２００へ上記第１の制御情報を送信する。
【０３９５】
上記第１の制御情報の具体的な内容及び生成手法についての説明は、例えば、第１の実施形態について上述した説明と同じである。また、上記第１の制御情報に基づく動作についての説明は、例えば、第１の実施形態について上述した説明と同じである。よって、ここでは重複する説明を省略する。なお、第２の実施形態はこの例に限定されない。
【０３９６】
これにより、例えば、アンライセンス周波数では、アンライセンス周波数用の通信サービス品質が達成されるように無線通信が行われ得る。そのため、アンライセンス周波数を使用する場合にも良好な通信サービスが提供され得る。
【０３９７】
＜＜＜４．第３の実施形態＞＞＞
続いて、図２３〜図２６を参照して、本発明の第３の実施形態を説明する。上述した第１の実施形態は、具体的な実施形態であるが、第３の実施形態は、（第２の実施形態とは異なる）ある観点からより一般化された実施形態である。
【０３９８】
＜＜４．１．システムの構成＞＞
まず、図２３を参照して、第３の実施形態に係るシステム２０００を説明する。図２３は、本発明の第３の実施形態に係るシステム２０００の概略的な構成の一例を示す説明図である。図２３を参照すると、システム２０００は、端末装置２１００、基地局２２００及びコアネットワークノード２３００を含む。
【０３９９】
一例として、端末装置２１００は、第１の実施形態の端末装置７００であり、基地局２２００は、第１の実施形態の基地局６００であり、コアネットワークノード２３００は、第１の実施形態の第１コアネットワークノード１００である。
【０４００】
なお、第３の実施形態の端末装置２１００、基地局２２００及びコアネットワークノード２３００は、この例に限定されない。
【０４０１】
＜＜４．２．各ノードの構成＞＞
次に、図２４〜図２６を参照して、第３の実施形態に係る各ノードの構成を説明する。
【０４０２】
＜４．２．１．端末装置の構成＞
図２４は、第３の実施形態に係る端末装置２１００の概略的な構成の例を示すブロック図である。図２４を参照すると、端末装置２１００は、情報取得部２１１０及び通信処理部２１２０を備える。
【０４０３】
情報取得部２１１０及び通信処理部２１２０の具体的な動作は、後に説明する。
【０４０４】
情報取得部２１１０及び通信処理部２１２０は、１つ以上のプロセッサ及びメモリにより実装されてもよい。当該メモリは、当該１つ以上のプロセッサ内に含まれていてもよく、又は、上記１つ以上のプロセッサ外にあってもよい。
【０４０５】
端末装置２１００は、プログラム（命令）を記憶するメモリと、当該プログラム（命令）を実行可能な１つ以上のプロセッサとを含んでもよい。当該１つ以上のプロセッサは、上記プログラムを実行して、情報取得部２１１０及び通信処理部２１２０の動作を行ってもよい。上記プログラムは、情報取得部２１１０及び通信処理部２１２０の動作をプロセッサに実行させるためのプログラムであってもよい。
【０４０６】
＜４．２．２．基地局の構成＞
図２５は、第３の実施形態に係る基地局２２００の概略的な構成の例を示すブロック図である。図２５を参照すると、基地局２２００は、情報取得部２２１０、第１通信処理部２２２０及び第２通信処理部２２３０を備える。
【０４０７】
情報取得部２２１０、第１通信処理部２２２０及び第２通信処理部２２３０の具体的な動作は、後に説明する。
【０４０８】
情報取得部２２１０、第１通信処理部２２２０及び第２通信処理部２２３０は、１つ以上のプロセッサ及びメモリにより実装されてもよい。当該メモリは、当該１つ以上のプロセッサ内に含まれていてもよく、又は、上記１つ以上のプロセッサ外にあってもよい。
【０４０９】
基地局２２００は、プログラム（命令）を記憶するメモリと、当該プログラム（命令）を実行可能な１つ以上のプロセッサとを含んでもよい。当該１つ以上のプロセッサは、上記プログラムを実行して、情報取得部２２１０、第１通信処理部２２２０及び第２通信処理部２２３０の動作を行ってもよい。上記プログラムは、情報取得部２２１０、第１通信処理部２２２０及び第２通信処理部２２３０の動作をプロセッサに実行させるためのプログラムであってもよい。
【０４１０】
なお、基地局２２００は、仮想化されていてもよい。即ち、基地局２２００は、仮想マシンとして実装されてもよい。この場合に、基地局２２００（仮想マシン）は、プロセッサ及びメモリ等を含む物理マシン（ハードウェア）及びハイパーバイザ上で仮想マシンとして動作してもよい。
【０４１１】
＜４．２．３．コアネットワークノードの構成＞
図２６は、第３の実施形態に係るコアネットワークノード２３００の概略的な構成の例を示すブロック図である。図２６を参照すると、コアネットワークノード２３００は、情報取得部２３１０及び生成部２３２０を備える。
【０４１２】
情報取得部２３１０及び生成部２３２０の具体的な動作は、後に説明する。
【０４１３】
情報取得部２３１０及び生成部２３２０は、１つ以上のプロセッサ及びメモリにより実装されてもよい。当該メモリは、当該１つ以上のプロセッサ内に含まれていてもよく、又は、上記１つ以上のプロセッサ外にあってもよい。
【０４１４】
コアネットワークノード２３００は、プログラム（命令）を記憶するメモリと、当該プログラム（命令）を実行可能な１つ以上のプロセッサとを含んでもよい。当該１つ以上のプロセッサは、上記プログラムを実行して、情報取得部２３１０及び生成部２３２０の動作を行ってもよい。上記プログラムは、情報取得部２３１０及び生成部２３２０の動作をプロセッサに実行させるためのプログラムであってもよい。
【０４１５】
なお、コアネットワークノード２３００は、仮想化されていてもよい。即ち、コアネットワークノード２３００は、仮想マシンとして実装されてもよい。この場合に、コアネットワークノード２３００（仮想マシン）は、プロセッサ及びメモリ等を含む物理マシン（ハードウェア）及びハイパーバイザ上で仮想マシンとして動作してもよい。
【０４１６】
＜＜４．３．技術的特徴＞＞
第３の実施形態の技術的特徴を説明する。
【０４１７】
（１）端末装置の動作
端末装置２１００（情報取得部２１１０）は、アンライセンス周波数におけるアンライセンス周波数用の通信サービス品質の達成状況に関する品質関連情報を取得する。そして、端末装置２１００（通信処理部２１２０）は、上記品質関連情報を基地局２２００又はコアネットワークノード２３００へ送信する。
【０４１８】
上記品質関連情報の具体的な内容、生成手法及び送信手法についての説明は、例えば、第１の実施形態について上述した説明と同じである。よって、ここでは重複する説明を省略する。なお、第３の実施形態はこの例に限定されない。
【０４１９】
（２）基地局の動作
−第１の動作
基地局２２００（情報取得部２２１０）は、アンライセンス周波数におけるアンライセンス周波数用の通信サービス品質の達成状況に関する品質関連情報を取得する。当該品質関連情報は、基地局２２００と通信する端末装置２１００についての品質関連情報である。そして、基地局２２００（第２通信処理部２２３０）は、上記品質関連情報に基づいて、端末装置７００のための周波数（又は基地局）の切替えを行う。
【０４２０】
上記品質関連情報の具体的な内容及び生成手法についての説明、並びに、切替えの手法についての説明は、例えば、第１の実施形態について上述した説明と同じである。よって、ここでは重複する説明を省略する。なお、第３の実施形態はこの例に限定されない。
【０４２１】
これにより、例えば、アンライセンス周波数用の通信サービス品質が達成されなくなると、周波数が切替えられる。その結果、当該通信サービス品質が達成される場合に限り、アンライセンス周波数が使用され得る。換言すると、アンライセンス周波数が使用されている間は、上記通信サービス品質が概ね達成され得る。このように、アンライセンス周波数を使用する場合にも良好な通信サービスが提供され得る。
【０４２２】
−第２の動作
基地局２２００（情報取得部２２１０）は、アンライセンス周波数におけるアンライセンス周波数用の通信サービス品質の達成状況に関する品質関連情報を取得する。そして、基地局２２００（第１通信処理部２２２０）は、上記品質関連情報をコアネットワークノード２３００へ送信する。
【０４２３】
上記品質関連情報の具体的な内容、生成手法及び送信手法についての説明は、例えば、第１の実施形態について上述した説明と同じである。よって、ここでは重複する説明を省略する。なお、第３の実施形態はこの例に限定されない。
【０４２４】
（３）コアネットワークノードの動作
コアネットワークノード２３００（情報取得部２３１０）は、アンライセンス周波数におけるアンライセンス周波数用の通信サービス品質の達成状況に関する品質関連情報を取得する。そして、コアネットワークノード２３００（生成部２３２０）は、上記品質関連情報に基づいて、上記通信サービス品質を示す第１の制御情報、又は、ライセンス周波数及びアンライセンス周波数のいずれを使用するかに関する第２の制御情報を生成する。
【０４２５】
上記品質関連情報の具体的な内容、並びに、上記第１の制御情報及び上記第２の制御情報の生成手法についての説明は、例えば、第１の実施形態について上述した説明と同じである。よって、ここでは重複する説明を省略する。なお、第３の実施形態はこの例に限定されない。
【０４２６】
これにより、例えば、コアネットワーク１０において、アンライセンス周波数の使用についてのポリシーを修正することが可能になる。そのため、アンライセンス周波数を使用する場合にも良好な通信サービスが提供され得る。
【０４２７】
以上、本発明の実施形態を説明したが、本発明はこれらの実施形態に限定されるものではない。これらの実施形態は例示にすぎないということ、及び、本発明のスコープ及び精神から逸脱することなく様々な変形が可能であるということは、当業者に理解されるであろう。
【０４２８】
例えば、本明細書に記載されている処理におけるステップは、必ずしもシーケンス図に記載された順序に沿って時系列に実行されなくてよい。例えば、処理におけるステップは、シーケンス図として記載した順序と異なる順序で実行されても、並列的に実行されてもよい。また、処理におけるステップの一部が削除されてもよく、さらなるステップが処理に追加されてもよい。
【０４２９】
また、本明細書において説明したノードの構成要素（例えば、通信処理部、情報取得部、生成部、及び／又は測定部等）を備える装置が提供されてもよい。また、上記構成要素の処理を含む方法が提供されてもよく、上記構成要素の処理をプロセッサに実行させるためのプログラムが提供されてもよい。また、当該プログラムを記録したコンピュータに読み取り可能な非一時的記録媒体（Ｎｏｎ−ｔｒａｎｓｉｔｏｒｙ  ｃｏｍｐｕｔｅｒ  ｒｅａｄａｂｌｅ  ｍｅｄｉｕｍ）が提供されてもよい。当然ながら、このような装置、モジュール、方法、プログラム、及びコンピュータに読み取り可能な非一時的記録媒体も本発明に含まれる。
【０４３０】
上記実施形態の一部又は全部は、以下の付記Ａのようにも記載され得るが、以下には限られない。
【０４３１】
（付記Ａ１）
アンライセンス周波数用の通信サービス品質を示す第１の制御情報を取得する情報取得部と、
無線アクセスネットワークにおいて通信する通信ノードへ前記第１の制御情報を送信する通信処理部と、
を備える通信装置。
【０４３２】
（付記Ａ２）
前記第１の制御情報は、アンライセンス周波数用の１つ以上のサービス品質（ｑｕａｌｉｔｙ  ｏｆ  ｓｅｒｖｉｃｅ：ＱｏＳ）パラメータである、付記Ａ１に記載の通信装置。
【０４３３】
（付記Ａ３）
前記１つ以上のＱｏＳパラメータは、アンライセンス周波数用の１つ以上のダウンリンク用のＱｏＳパラメータ、又は、アンライセンス周波数用の１つ以上のアップリンクのＱｏＳパラメータを含む、付記Ａ２に記載の通信装置。
【０４３４】
（付記Ａ４）
前記１つ以上のＱｏＳパラメータは、アンライセンス周波数用の１つ以上の通信ベアラレベルのＱｏＳパラメータを含む、付記Ａ２又は３に記載の通信装置。
【０４３５】
（付記Ａ５）
前記１つ以上の通信ベアラレベルのＱｏＳパラメータは、アンライセンス周波数用の品質クラス識別子（ｑｕａｌｉｔｙ  ｃｌａｓｓ  ｉｄｅｎｔｉｆｉｅｒ：ＱＣＩ）、割当保持優先度（ａｌｌｏｃａｔｉｏｎ  ａｎｄ  ｒｅｔｅｎｔｉｏｎ  ｐｒｉｏｒｉｔｙ：ＡＲＰ）、保証ビットレート（ｇｕａｒａｎｔｅｅｄ  ｂｉｔｒａｔｅ：ＧＢＲ）、最大ビットレート（ｍａｘｉｍｕｍ  ｂｉｔｒａｔｅ：ＭＢＲ）、パケット遅延バジェット（ｐａｃｋｅｔ  ｄｅｌａｙ  ｂｕｄｇｅｔ：ＰＤＢ）及びパケット誤り損失率（ｐａｃｋｅｔ  ｅｒｒｏｒ  ｌｏｓｓ  ｒａｔｅ：ＰＥＬＲ）のうちの少なくとも１つを含む、付記Ａ４に記載の通信装置。
【０４３６】
（付記Ａ６）
前記１つ以上のＱｏＳパラメータは、アンライセンス周波数用の総最大ビットレート（ａｇｇｒｅｇａｔｅｄ  ｍａｘｉｍｕｍ  ｂｉｔｒａｔｅ：ＡＭＢＲ）を含む、付記Ａ２〜５のいずれか１項に記載の通信装置。
【０４３７】
（付記Ａ７）
前記第１の制御情報は、通信ベアラごとに生成される情報である、付記Ａ１〜５のいずれか１項に記載の通信装置。
【０４３８】
（付記Ａ８）
前記情報取得部は、前記第１の制御情報と、ライセンス周波数及びアンライセンス周波数のいずれを使用するかに関する第２の制御情報とを取得し、
前記通信処理部は、前記第１の制御情報及び前記第２の制御情報を前記通信ノードへ送信する、
付記Ａ１〜７のいずれか１項に記載の通信装置。
【０４３９】
（付記Ａ９）
前記第２の制御情報は、通信ベアラごとに生成される情報である、付記Ａ８に記載の通信装置。
【０４４０】
（付記Ａ１０）
前記第２の制御情報は、通信ベアラのためにライセンス周波数及びアンライセンス周波数のいずれを使用するかを示す情報である、付記Ａ８又は９に記載の通信装置。
【０４４１】
（付記Ａ１１）
前記第２の制御情報は、通信ベアラのために使用される周波数を示す情報であり、
前記周波数は、ライセンス周波数及びアンライセンス周波数の一方である、
付記Ａ８又は９に記載の通信装置。
【０４４２】
（付記Ａ１２）
前記第２の制御情報は、端末装置に関連する端末関連情報に基づいて当該端末装置のために生成される情報である、付記Ａ８〜１１のいずれか１項に記載の通信装置。
【０４４３】
（付記Ａ１３）
前記第１の制御情報は、端末装置に関連する端末関連情報に基づいて当該端末装置のために生成される情報である、付記Ａ１〜１２のいずれか１項に記載の通信装置。
【０４４４】
（付記Ａ１４）
前記端末関連情報は、アンライセンス周波数の使用についてのプリファレンス情報であって、前記端末装置により提供される当該プリファレンス情報を含む、付記Ａ１２〜１３のいずれか１項に記載の通信装置。
【０４４５】
（付記Ａ１５）
前記端末関連情報は、アンライセンス周波数の使用についての加入者情報であって、前記端末装置のためにコアネットワークにおいて保持される当該加入者情報を含む、付記Ａ１２〜１４のいずれか１項に記載の通信装置。
【０４４６】
（付記Ａ１６）
前記端末関連情報は、前記端末装置と通信する基地局及び前記端末装置の少なくとも一方の移動速度を示す移動速度情報、又は、前記基地局及び前記端末装置の少なくとも一方の位置を示す位置情報を含む、付記Ａ１２〜１５のいずれか１項に記載の通信装置。
【０４４７】
（付記Ａ１７）
前記端末関連情報は、アンライセンス周波数におけるアンライセンス周波数用の通信サービス品質の達成状況に関する品質関連情報を含む、付記Ａ１２〜１６のいずれか１項に記載の通信装置。
【０４４８】
（付記Ａ１８）
前記品質関連情報は、アンライセンス周波数における前記通信サービス品質の達成度を示す情報である、付記Ａ１７に記載の通信装置。
【０４４９】
（付記Ａ１９）
前記達成度は、アンライセンス周波数における前記通信サービス品質が達成された時間的な割合である、付記Ａ１８に記載の通信装置。
【０４５０】
（付記Ａ２０）
前記端末関連情報は、前記端末装置についての課金情報を含む、付記Ａ１２〜１９のいずれか１項に記載の通信装置。
【０４５１】
（付記Ａ２１）
前記端末関連情報は、ライセンス周波数又はアンライセンス周波数における前記端末装置又は前記端末装置の通信ベアラの通信量を示す通信量情報を含む、付記Ａ１２〜２０のいずれか１項に記載の通信装置。
【０４５２】
（付記Ａ２２）
前記情報取得部は、前記第１の制御情報と、ライセンス周波数用の通信サービス品質を示す第３の制御情報を取得し、
前記通信処理部は、前記第１の制御情報及び前記第３の制御情報を前記通信ノードへ送信する、
付記Ａ１〜２１のいずれか１項に記載の通信装置。
【０４５３】
（付記Ａ２３）
前記通信装置は、コアネットワークノードであり、
前記通信ノードは、基地局又は端末装置である、
付記Ａ１〜２２のいずれか１項に記載の通信装置。
【０４５４】
（付記Ａ２４）
前記通信処理部は、通信ベアラを設定するためのメッセージを前記通信ノードへ送信し、
前記メッセージは、前記第１の制御情報を含む、
付記Ａ２３に記載の通信装置。
【０４５５】
（付記Ａ２５）
前記通信ノードは、基地局であり、
前記メッセージは、ＩＮＩＴＩＡＬ  ＣＯＮＴＥＸＴ  ＳＥＴＵＰ  ＲＥＱＵＥＳＴメッセージ又はＥ−ＲＡＢ  ＳＥＴＵＰ  ＲＥＱＵＥＳＴメッセージである、
付記Ａ２４に記載の通信装置。
【０４５６】
（付記Ａ２６）
前記通信装置は、運用保守のための装置であり、
前記通信ノードは、基地局である、
付記Ａ１〜２２のいずれか１項に記載の通信装置。
【０４５７】
（付記Ａ２７）
前記通信装置は、基地局であり、
前記通信ノードは、他の基地局又は端末装置である、
付記Ａ１〜２２のいずれか１項に記載の通信装置。
【０４５８】
（付記Ａ２８）
前記通信処理部は、論理チャネル又は通信ベアラのためのコンフィギュレーション情報を前記通信ノードへ送信し、
前記コンフィギュレーション情報は、前記第１の制御情報を含む、
付記Ａ２７に記載の通信装置。
【０４５９】
（付記Ａ２９）
前記コンフィギュレーション情報は、ＬｏｇｉｃａｌＣｈａｎｎｅｌＣｏｎｆｉｇである、付記Ａ２８に記載の通信装置。
【０４６０】
（付記Ａ３０）
前記通信装置は、ハンドオーバのソース基地局であり、
前記通信ノードは、ハンドオーバのターゲット基地局であり、
前記通信処理部は、前記第１の制御情報を含むハンドオーバ要求メッセージを前記通信ノードへ送信する、
付記Ａ２７〜２９のいずれか１項に記載の通信装置。
【０４６１】
（付記Ａ３１）
前記通信装置は、デュアルコネクティビティのマスタ基地局であり、
前記通信ノードは、デュアルコネクティビティのセカンダリ基地局であり、
前記通信処理部は、前記第１の制御情報を含むデュアルコネクティビティ関連メッセージを前記通信ノードへ送信する、
付記Ａ２７〜２９のいずれか１項に記載の通信装置。
【０４６２】
（付記Ａ３２）
アンライセンス周波数用の通信サービス品質を示す第１の制御情報を受信する第１通信処理部と、
前記第１の制御情報に基づいて、アンライセンス周波数を使用する無線通信の制御を行う第２通信処理部と、
を備える基地局。
【０４６３】
（付記Ａ３３）
前記制御は、前記無線通信のための無線リソースの割当てを含む、付記Ａ３２に記載の基地局。
【０４６４】
（付記Ａ３４）
前記制御は、前記無線通信の速度制御を含む、付記Ａ３２又は３３に記載の基地局。
【０４６５】
（付記Ａ３５）
前記第１通信処理部は、前記第１の制御情報を他の基地局へ送信し、又は
前記第２通信処理部は、前記第１の制御情報を端末装置へ送信し、
付記Ａ３２〜３４のいずれか１項に記載の基地局。
【０４６６】
（付記Ａ３６）
前記第１通信処理部は、ライセンス周波数及びアンライセンス周波数のいずれを使用するかに関する第２の制御情報を受信し、
前記第２通信処理部は、前記第２の制御情報に基づいて、ライセンス周波数及びアンライセンス周波数のいずれを使用するかを決定する、
付記Ａ３２〜３５のいずれか１項に記載の基地局。
【０４６７】
（付記Ａ３７）
前記第２通信処理部は、前記第２の制御情報と、アンライセンス周波数における通信の状況とに基づいて、ライセンス周波数及びアンライセンス周波数のいずれを使用するかを決定する、付記Ａ３６に記載の基地局。
【０４６８】
（付記Ａ３８）
前記状況は、アンライセンス周波数における干渉の状況、及びアンライセンス周波数におけるレーダーの状況のうちの少なくとも一方を含む、付記Ａ３７に記載の基地局。
【０４６９】
（付記Ａ３９）
アンライセンス周波数用の通信サービス品質を示す第１の制御情報を受信する通信処理部と、
前記通信処理部は、前記第１の制御情報に基づいて、アンライセンス周波数における前記通信サービス品質の達成状況についての測定を行う測定部と、
を備える端末装置。
【０４７０】
（付記Ａ４０）
前記測定は、アンライセンス周波数において前記通信サービス品質が達成されるかの測定である、付記Ａ３９に記載の端末装置。
【０４７１】
（付記Ａ４１）
前記測定は、アンライセンス周波数における前記通信サービス品質の達成度の測定である、付記Ａ３９に記載の端末装置。
【０４７２】
（付記Ａ４２）
前記通信処理部は、ライセンス周波数及びアンライセンス周波数のいずれを使用するかに関する第２の制御情報を受信し、当該第２の制御情報に基づいて、使用する周波数を決定する、付記Ａ３９〜４１のいずれか１項に記載の端末装置。
【０４７３】
（付記Ａ４３）
前記第２の制御情報は、通信ベアラごとに生成される情報であり、
前記通信処理部は、前記第２の制御情報に基づいて、前記第２の制御情報に対応する通信ベアラのために使用する周波数を決定する、
付記Ａ４２に記載の端末装置。
【０４７４】
（付記Ａ４４）
アンライセンス周波数用の通信サービス品質を示す第１の制御情報を取得することと、
無線アクセスネットワークにおいて通信する通信ノードへ前記第１の制御情報を送信することと、
を含む方法。
【０４７５】
（付記Ａ４５）
アンライセンス周波数用の通信サービス品質を示す第１の制御情報を受信することと、
前記第１の制御情報に基づいて、アンライセンス周波数を使用する無線通信の制御を行うことと、
を含む方法。
【０４７６】
（付記Ａ４６）
アンライセンス周波数用の通信サービス品質を示す第１の制御情報を受信することと、
前記第１の制御情報に基づいて、アンライセンス周波数における前記通信サービス品質の達成状況についての測定を行うことと、
を含む方法。
【０４７７】
（付記Ａ４７）
アンライセンス周波数用の通信サービス品質を示す第１の制御情報を取得することと、
無線アクセスネットワークにおいて通信する通信ノードへ前記第１の制御情報を送信することと、
をプロセッサに実行させるプログラム。
【０４７８】
（付記Ａ４８）
アンライセンス周波数用の通信サービス品質を示す第１の制御情報を受信することと、
前記第１の制御情報に基づいて、アンライセンス周波数を使用する無線通信の制御を行うことと、
をプロセッサに実行させるプログラム。
【０４７９】
（付記Ａ４９）
アンライセンス周波数用の通信サービス品質を示す第１の制御情報を受信することと、
前記第１の制御情報に基づいて、アンライセンス周波数における前記通信サービス品質の達成状況についての測定を行うことと、
をプロセッサに実行させるプログラム。
【０４８０】
（付記Ａ５０）
アンライセンス周波数用の通信サービス品質を示す第１の制御情報を取得することと、
無線アクセスネットワークにおいて通信する通信ノードへ前記第１の制御情報を送信することと、
をプロセッサに実行させるプログラムを記録したコンピュータに読み取り可能な非一時的記録媒体。
【０４８１】
（付記Ａ５１）
アンライセンス周波数用の通信サービス品質を示す第１の制御情報を受信することと、
前記第１の制御情報に基づいて、アンライセンス周波数を使用する無線通信の制御を行うことと、
をプロセッサに実行させるプログラムを記録したコンピュータに読み取り可能な非一時的記録媒体。
【０４８２】
（付記Ａ５２）
アンライセンス周波数用の通信サービス品質を示す第１の制御情報を受信することと、
前記第１の制御情報に基づいて、アンライセンス周波数における前記通信サービス品質の達成状況についての測定を行うことと、
をプロセッサに実行させるプログラムを記録したコンピュータに読み取り可能な非一時的記録媒体。
【０４８３】
上記実施形態の一部又は全部は、以下の付記Ｂのようにも記載され得るが、以下には限られない。
【０４８４】
（付記Ｂ１）
アンライセンス周波数におけるアンライセンス周波数用の通信サービス品質の達成状況に関する品質関連情報を取得する情報取得部と、
前記品質関連情報を基地局又はコアネットワークノードへ送信する通信処理部と、
を備える端末装置。
【０４８５】
（付記Ｂ２）
前記通信サービス品質は、通信ベアラのための通信サービス品質であり、
前記品質関連情報は、通信ベアラごとに生成される情報である、
付記Ｂ１に記載の端末装置。
【０４８６】
（付記Ｂ３）
前記達成状況についての測定を行い、前記品質関連情報を生成する測定部、をさらに備える、付記Ｂ１又は２に記載の端末装置。
【０４８７】
（付記Ｂ４）
前記通信処理部は、前記通信サービス品質を示す第１の制御情報を受信し、
前記測定部は、前記第１の制御情報に基づいて前記測定を行う、
付記Ｂ３に記載の端末装置。
【０４８８】
（付記Ｂ５）
前記測定は、アンライセンス周波数において前記通信サービス品質が達成されるかの測定である、付記Ｂ３又は４に記載の端末装置。
【０４８９】
（付記Ｂ６）
前記品質関連情報は、アンライセンス周波数において前記通信サービス品質が達成されないことを示す情報である、付記Ｂ１〜５のいずれか１項に記載の端末装置。
【０４９０】
（付記Ｂ７）
前記通信処理部は、アンライセンス周波数において前記通信サービス品質が達成されない場合に、前記品質関連情報を前記基地局又は前記コアネットワークノードへ送信する、付記Ｂ１〜６のいずれか１項に記載の端末装置。
【０４９１】
（付記Ｂ８）
前記測定は、アンライセンス周波数における前記通信サービス品質の達成度の測定である、付記Ｂ３又は４に記載の端末装置。
【０４９２】
（付記Ｂ９）
前記品質関連情報は、アンライセンス周波数における前記通信サービス品質の達成度を示す情報である、付記Ｂ１〜４及び８のいずれか１項に記載の端末装置。
【０４９３】
（付記Ｂ１０）
前記達成度は、アンライセンス周波数における前記通信サービス品質が達成された時間的な割合である、付記Ｂ８又は９に記載の端末装置。
【０４９４】
（付記Ｂ１１）
前記通信処理部は、前記品質関連情報を含む測定報告メッセージを前記基地局へ送信する、付記Ｂ１〜１０のいずれか１項に記載の端末装置。
【０４９５】
（付記Ｂ１２）
前記情報取得部は、アンライセンス周波数の使用についてのプリファレンス情報を取得し、
前記通信処理部は、前記プリファレンス情報を前記基地局又は前記コアネットワークノードへ送信する、
付記Ｂ１〜１１のいずれか１項に記載の端末装置。
【０４９６】
（付記Ｂ１３）
前記情報取得部は、前記端末装置の位置を示す位置情報、又は、前記端末装置の移動速度を示す移動速度情報を取得し、
前記通信処理部は、前記位置情報又は前記移動速度情報を、前記基地局又は前記コアネットワークノードへ送信する、
付記Ｂ１〜１２のいずれか１項に記載の端末装置。
【０４９７】
（付記Ｂ１４）
前記情報取得部は、ライセンス周波数又はアンライセンス周波数における前記端末装置又は前記端末装置の通信ベアラの通信量を示す通信量情報を取得し、
前記通信処理部は、前記通信量情報を前記基地局又は前記コアネットワークノードへ送信する、
付記Ｂ１〜１３のいずれか１項に記載の端末装置。
【０４９８】
（付記Ｂ１５）
アンライセンス周波数におけるアンライセンス周波数用の通信サービス品質の達成状況に関する品質関連情報を取得する情報取得部と、
前記品質関連情報をコアネットワークノードへ送信する第１通信処理部と、
を備える基地局。
【０４９９】
（付記Ｂ１６）
前記通信サービス品質は、通信ベアラのための通信サービス品質であり、
前記品質関連情報は、通信ベアラごとの生成される情報である、
付記Ｂ１５に記載の基地局。
【０５００】
（付記Ｂ１７）
端末装置から前記品質関連情報を受信する第２通信処理部をさらに備える、付記Ｂ１５又は１６に記載の基地局。
【０５０１】
（付記Ｂ１８）
前記達成状況についての測定を行い、前記品質関連情報を生成する測定部、をさらに備える、付記Ｂ１５〜１７のいずれか１項に記載の基地局。
【０５０２】
（付記Ｂ１９）
前記第１通信処理部は、前記通信サービス品質を示す第１の制御情報を受信し、
前記測定部は、前記第１の制御情報に基づいて前記測定を行う、
付記Ｂ１８に記載の基地局。
【０５０３】
（付記Ｂ２０）
前記品質関連情報は、アンライセンス周波数における前記通信サービス品質の達成度を示す情報である、付記Ｂ１５〜１９のいずれか１項に記載の基地局。
【０５０４】
（付記Ｂ２１）
前記達成度は、アンライセンス周波数における前記通信サービス品質が達成された時間的な割合である、付記Ｂ２０に記載の基地局。
【０５０５】
（付記Ｂ２２）
前記情報取得部は、前記基地局の位置を示す位置情報、又は、前記基地局の移動速度を示す移動速度情報を取得し、
前記第１通信処理部は、前記位置情報又は前記移動速度情報を前記コアネットワークノードへ送信する、
付記Ｂ１５〜２１のいずれか１項に記載の基地局。
【０５０６】
（付記Ｂ２３）
前記品質関連情報は、前記基地局と通信する端末装置についての情報であり、
前記情報取得部は、ライセンス周波数又はアンライセンス周波数における前記端末装置又は前記端末装置の通信ベアラの通信量を示す通信量情報を取得し、
前記第１通信処理部は、前記通信量情報を前記基地局又は前記コアネットワークノードへ送信する、
付記Ｂ１５〜２２のいずれか１項に記載の基地局。
【０５０７】
（付記Ｂ２４）
前記品質関連情報は、前記基地局と通信する端末装置についての情報であり、
前記基地局は、
アンライセンス周波数の使用についてのプリファレンス情報、前記端末装置の位置を示す位置情報、前記端末装置の移動速度を示す移動速度情報、又は、ライセンス周波数若しくはアンライセンス周波数における前記端末装置若しくは前記端末装置の通信ベアラの通信量を示す通信量情報を、前記端末装置から受信する第２通信処理部、
をさらに備え、
前記第１通信処理部は、前記プリファレンス情報、前記位置情報、前記移動速度情報、又は前記通信量情報を、前記コアネットワークノードへ送信する、
付記Ｂ１５〜２３のいずれか１項に記載の基地局。
【０５０８】
（付記Ｂ２５）
前記情報取得部は、通信ベアラについてのアンライセンス周波数の使用状況を示す使用状況情報を取得し、
前記第１通信処理部は、前記使用状況情報を前記コアネットワークノード又は他のコアネットワークノードへ送信する、
付記Ｂ１５〜２４のいずれか１項に記載の基地局。
【０５０９】
（付記Ｂ２６）
基地局であって、
アンライセンス周波数におけるアンライセンス周波数用の通信サービス品質の達成状況に関する品質関連情報であって、前記基地局と通信する端末装置についての当該品質関連情報を取得する情報取得部と、
前記品質関連情報に基づいて、前記端末装置のための周波数又は基地局の切替えを行う通信処理部と、
を備える基地局。
【０５１０】
（付記Ｂ２７）
前記品質関連情報は、アンライセンス周波数において前記通信サービス品質が達成されないことを示す情報である、付記Ｂ２６に記載の基地局。
【０５１１】
（付記Ｂ２８）
前記通信サービス品質は、通信ベアラのための通信サービス品質であり、
前記品質関連情報は、通信ベアラごとの生成される情報であり、
前記切替えは、前記端末装置の通信ベアラのための周波数又は基地局の切替えである、
付記Ｂ２６又は２７に記載の基地局。
【０５１２】
（付記Ｂ２９）
前記通信処理部は、前記品質関連情報と、アンライセンス周波数における通信の状況とに基づいて、前記切替えを行う、付記Ｂ２６〜２８のいずれか１項に記載の基地局。
【０５１３】
（付記Ｂ３０）
前記状況は、アンライセンス周波数における干渉の状況、及びアンライセンス周波数におけるレーダーの状況のうちの少なくとも一方を含む、付記Ｂ２９に記載の基地局。
【０５１４】
（付記Ｂ３１）
前記切替えは、アンライセンス周波数からライセンス周波数への切替え、又は、アンライセンス周波数から他のアンライセンス周波数への切替えである、付記Ｂ２６〜３０のいずれか１項に記載の基地局。
【０５１５】
（付記Ｂ３２）
アンライセンス周波数におけるアンライセンス周波数用の通信サービス品質の達成状況に関する品質関連情報を取得する情報取得部と、
前記品質関連情報に基づいて、前記通信サービス品質を示す第１の制御情報、又は、ライセンス周波数及びアンライセンス周波数のいずれを使用するかに関する第２の制御情報を生成する生成部と、
を備えるコアネットワークノード。
【０５１６】
（付記Ｂ３３）
前記品質関連情報は、アンライセンス周波数における前記通信サービス品質の達成度を示す情報である、付記Ｂ３２に記載のコアネットワークノード。
【０５１７】
（付記Ｂ３４）
前記通信サービス品質は、通信ベアラのための通信サービス品質であり、
前記品質関連情報、前記第１の制御情報及び前記第２の制御情報は、通信ベアラごとの生成される情報である、
付記Ｂ３２又は３３に記載のコアネットワークノード。
【０５１８】
（付記Ｂ３５）
前記第１の制御情報又は前記第２の制御情報は、端末装置に関連する端末関連情報に基づいて当該端末装置のために生成される情報であり、
前記端末関連情報は、前記品質関連情報を含む、付記Ｂ３２〜３４のいずれか１項に記載のコアネットワークノード。
【０５１９】
（付記Ｂ３６）
前記端末関連情報は、前記端末装置と通信する基地局及び前記端末装置の少なくとも一方の移動速度を示す移動速度情報、又は、前記基地局及び前記端末装置の少なくとも一方の位置を示す位置情報を含む、付記Ｂ３５に記載のコアネットワークノード。
【０５２０】
（付記Ｂ３７）
前記端末関連情報は、アンライセンス周波数の使用についてのプリファレンス情報であって、前記端末装置により提供される当該プリファレンス情報を含む、付記Ｂ３５又は３６に記載のコアネットワークノード。
【０５２１】
（付記Ｂ３８）
前記端末関連情報は、ライセンス周波数又はアンライセンス周波数における前記端末装置又は前記端末装置の通信ベアラの通信量を示す通信量情報を含む、付記Ｂ３５〜３７のいずれか１項に記載のコアネットワークノード。
【０５２２】
（付記Ｂ３９）
前記端末関連情報は、アンライセンス周波数の使用についての加入者情報であって、前記端末装置のためにコアネットワークにおいて保持される当該加入者情報を含む、付記Ｂ３５〜３８のいずれか１項に記載のコアネットワークノード。
【０５２３】
（付記Ｂ４０）
前記端末関連情報は、前記端末装置についての課金情報を含む、付記Ｂ３５〜３９いずれか１項に記載のコアネットワークノード。
【０５２４】
（付記Ｂ４１）
アンライセンス周波数におけるアンライセンス周波数用の通信サービス品質の達成状況に関する品質関連情報を取得することと、
前記品質関連情報を基地局又はコアネットワークノードへ送信することと、
を含む方法。
【０５２５】
（付記Ｂ４２）
アンライセンス周波数におけるアンライセンス周波数用の通信サービス品質の達成状況に関する品質関連情報を取得することと、
前記品質関連情報をコアネットワークノードへ送信することと、
を含む方法。
【０５２６】
（付記Ｂ４３）
アンライセンス周波数におけるアンライセンス周波数用の通信サービス品質の達成状況に関する品質関連情報であって、基地局と通信する端末装置についての当該品質関連情報を取得することと、
前記品質関連情報に基づいて、前記端末装置のための周波数又は基地局の切替えを行うことと、
を含む方法。
【０５２７】
（付記Ｂ４４）
アンライセンス周波数におけるアンライセンス周波数用の通信サービス品質の達成状況に関する品質関連情報を取得することと、
前記品質関連情報に基づいて、前記通信サービス品質を示す第１の制御情報、又は、ライセンス周波数及びアンライセンス周波数のいずれを使用するかに関する第２の制御情報を生成することと、
を含む方法。
【０５２８】
（付記Ｂ４５）
アンライセンス周波数におけるアンライセンス周波数用の通信サービス品質の達成状況に関する品質関連情報を取得することと、
前記品質関連情報を基地局又はコアネットワークノードへ送信することと、
をプロセッサに実行させるプログラム。
【０５２９】
（付記Ｂ４６）
アンライセンス周波数におけるアンライセンス周波数用の通信サービス品質の達成状況に関する品質関連情報を取得することと、
前記品質関連情報をコアネットワークノードへ送信することと、
をプロセッサに実行させるプログラム。
【０５３０】
（付記Ｂ４７）
アンライセンス周波数におけるアンライセンス周波数用の通信サービス品質の達成状況に関する品質関連情報であって、基地局と通信する端末装置についての当該品質関連情報を取得することと、
前記品質関連情報に基づいて、前記端末装置のための周波数又は基地局の切替えを行うことと、
をプロセッサに実行させるプログラム。
【０５３１】
（付記Ｂ４８）
アンライセンス周波数におけるアンライセンス周波数用の通信サービス品質の達成状況に関する品質関連情報を取得することと、
前記品質関連情報に基づいて、前記通信サービス品質を示す第１の制御情報、又は、ライセンス周波数及びアンライセンス周波数のいずれを使用するかに関する第２の制御情報を生成することと、
をプロセッサに実行させるプログラム。
【０５３２】
（付記Ｂ４９）
アンライセンス周波数におけるアンライセンス周波数用の通信サービス品質の達成状況に関する品質関連情報を取得することと、
前記品質関連情報を基地局又はコアネットワークノードへ送信することと、
をプロセッサに実行させるプログラムを記録したコンピュータに読み取り可能な非一時的記録媒体。
【０５３３】
（付記Ｂ５０）
アンライセンス周波数におけるアンライセンス周波数用の通信サービス品質の達成状況に関する品質関連情報を取得することと、
前記品質関連情報をコアネットワークノードへ送信することと、
をプロセッサに実行させるプログラムを記録したコンピュータに読み取り可能な非一時的記録媒体。
【０５３４】
（付記Ｂ５１）
アンライセンス周波数におけるアンライセンス周波数用の通信サービス品質の達成状況に関する品質関連情報であって、基地局と通信する端末装置についての当該品質関連情報を取得することと、
前記品質関連情報に基づいて、前記端末装置のための周波数又は基地局の切替えを行うことと、
をプロセッサに実行させるプログラムを記録したコンピュータに読み取り可能な非一時的記録媒体。
【０５３５】
（付記Ｂ５２）
アンライセンス周波数におけるアンライセンス周波数用の通信サービス品質の達成状況に関する品質関連情報を取得することと、
前記品質関連情報に基づいて、前記通信サービス品質を示す第１の制御情報、又は、ライセンス周波数及びアンライセンス周波数のいずれを使用するかに関する第２の制御情報を生成することと、
をプロセッサに実行させるプログラムを記録したコンピュータに読み取り可能な非一時的記録媒体。
【０５３６】
この出願は、２０１８年１月２９日に出願された日本出願特願２０１８−０１２４２２を基礎とする優先権を主張し、その開示の全てをここに取り込む。
【産業上の利用可能性】
【０５３７】
移動体通信システムにおいて、アンライセンス周波数を使用する場合にも良好な通信サービスを提供することができる。
【符号の説明】
【０５３８】
１、１０００、２０００    システム
１００                    第１コアネットワークノード、ＭＭＥ、ＡＭＦ／ＳＭＦ
２００                    第２コアネットワークノード、ＰＣＲＦ、ＰＣＦ
６００、２２００          基地局、ｅＮＢ、ｇＮＢ、ｎｇ−ｅＮＢ
７００、２１００          端末装置、ＵＥ
１１００                  通信装置
１２００                  通信ノード
２３００                  コアネットワークノード
【図１】
2019146721.tif 000003
【図２】
2019146721.tif 000004
【図３】
2019146721.tif 000005
【図４】
2019146721.tif 000006
【図５】
2019146721.tif 000007
【図６】
2019146721.tif 000008
【図７】
2019146721.tif 000009
【図８】
2019146721.tif 000010
【図９】
2019146721.tif 000011
【図１０】
2019146721.tif 000012
【図１１】
2019146721.tif 000013
【図１２】
2019146721.tif 000014
【図１３】
2019146721.tif 000015
【図１４】
2019146721.tif 000016
【図１５】
2019146721.tif 000017
【図１６】
2019146721.tif 000018
【図１７】
2019146721.tif 000019
【図１８】
2019146721.tif 000020
【図１９】
2019146721.tif 000021
【図２０】
2019146721.tif 000022
【図２１】
2019146721.tif 000023
【図２２】
2019146721.tif 000024
【図２３】
2019146721.tif 000025
【図２４】
2019146721.tif 000026
【図２５】
2019146721.tif 000027
【図２６】
2019146721.tif 000028
【手続補正書】
【提出日】令和2年7月20日(2020.7.20)
【手続補正１】
【補正対象書類名】特許請求の範囲
【補正対象項目名】全文
【補正方法】変更
【補正の内容】
【特許請求の範囲】
【請求項１】
アンライセンス周波数用の通信サービス品質を示す第１の制御情報を取得する情報取得部と、
無線アクセスネットワークにおいて通信する通信ノードへ前記第１の制御情報を送信する通信処理部と、
を備える通信装置。
【請求項２】
前記第１の制御情報は、アンライセンス周波数用の１つ以上のサービス品質（ｑｕａｌｉｔｙ  ｏｆ  ｓｅｒｖｉｃｅ：ＱｏＳ）パラメータである、請求項１に記載の通信装置。
【請求項３】
前記１つ以上のＱｏＳパラメータは、アンライセンス周波数用の１つ以上のダウンリンク用のＱｏＳパラメータ、又は、アンライセンス周波数用の１つ以上のアップリンクのＱｏＳパラメータを含む、請求項２に記載の通信装置。
【請求項４】
前記１つ以上のＱｏＳパラメータは、アンライセンス周波数用の１つ以上の通信ベアラレベルのＱｏＳパラメータを含む、請求項２又は３に記載の通信装置。
【請求項５】
前記１つ以上の通信ベアラレベルのＱｏＳパラメータは、アンライセンス周波数用の品質クラス識別子（ｑｕａｌｉｔｙ  ｃｌａｓｓ  ｉｄｅｎｔｉｆｉｅｒ：ＱＣＩ）、割当保持優先度（ａｌｌｏｃａｔｉｏｎ  ａｎｄ  ｒｅｔｅｎｔｉｏｎ  ｐｒｉｏｒｉｔｙ：ＡＲＰ）、保証ビットレート（ｇｕａｒａｎｔｅｅｄ  ｂｉｔｒａｔｅ：ＧＢＲ）、最大ビットレート（ｍａｘｉｍｕｍ  ｂｉｔｒａｔｅ：ＭＢＲ）、パケット遅延バジェット（ｐａｃｋｅｔ  ｄｅｌａｙ  ｂｕｄｇｅｔ：ＰＤＢ）及びパケット誤り損失率（ｐａｃｋｅｔ  ｅｒｒｏｒ  ｌｏｓｓ  ｒａｔｅ：ＰＥＬＲ）のうちの少なくとも１つを含む、請求項４に記載の通信装置。
【請求項６】
前記通信装置は、コアネットワークノードであり、
前記通信ノードは、基地局又は端末装置である、
請求項１〜５のいずれか１項に記載の通信装置。
【請求項７】
前記通信装置は、基地局であり、
前記通信ノードは、他の基地局又は端末装置である、
請求項１〜５のいずれか１項に記載の通信装置。
【請求項８】
アンライセンス周波数用の通信サービス品質を示す第１の制御情報を受信する第１通信処理部と、
前記第１の制御情報に基づいて、アンライセンス周波数を使用する無線通信の制御を行う第２通信処理部と、
を備える基地局。
【請求項９】
アンライセンス周波数用の通信サービス品質を示す第１の制御情報を受信する通信処理部と、
前記通信処理部は、前記第１の制御情報に基づいて、アンライセンス周波数における前記通信サービス品質の達成状況についての測定を行う測定部と、
を備える端末装置。
【請求項１０】
アンライセンス周波数用の通信サービス品質を示す第１の制御情報を取得することと、
無線アクセスネットワークにおいて通信する通信ノードへ前記第１の制御情報を送信することと、
を含む方法。
【手続補正２】
【補正対象書類名】明細書
【補正対象項目名】０１２４
【補正方法】変更
【補正の内容】
【０１２４】
端末装置７００は、プログラム（命令）を記憶するメモリと、当該プログラム（命令）を実行可能な１つ以上のプロセッサとを含んでもよい。当該１つ以上のプロセッサは、上記プログラムを実行して、処理部７３０の動作（通信処理部７３１、情報取得部７３３及び測定部７３５の動作）を行ってもよい。上記プログラムは、処理部７３０の動作（通信処理部７３１、情報取得部７３３及び測定部７３５の動作）をプロセッサに実行させるためのプログラムであってもよい。
【手続補正３】
【補正対象書類名】明細書
【補正対象項目名】０１４６
【補正方法】変更
【補正の内容】
【０１４６】
−端末装置／通信ベアラ
例えば、上記通信サービス品質は、端末装置７００のための通信サービス品質であり、上記第３の制御情報は、端末装置７００のための情報（端末装置７００のために生成される情報）である。
【手続補正４】
【補正対象書類名】明細書
【補正対象項目名】０１８０
【補正方法】変更
【補正の内容】
【０１８０】
−通信量情報
上記端末関連情報は、ライセンス周波数又はアンライセンス周波数における端末装置７００又は端末装置７００の通信ベアラの通信量を示す通信量情報を含んでもよい。当該通信量情報は、端末装置７００及び／若しくは基地局６００により提供されてもよく、又は、第４コアネットワークノード４００及び／若しくは第５コアネットワークノード５００において生成されてもよい。
【手続補正５】
【補正対象書類名】明細書
【補正対象項目名】０２１７
【補正方法】変更
【補正の内容】
【０２１７】
−端末装置への送信
第１コアネットワークノード１００（通信処理部１３１）は、上記第１の制御情報、上記第２の制御情報及び／又は上記第３の制御情報を、基地局６００経由で端末装置７００へ送信してもよい。端末装置７００（通信処理部７３１）は、上記第１の制御情報、上記第２の制御情報及び／又は上記第３の制御情報を受信してもよい。
【手続補正６】
【補正対象書類名】明細書
【補正対象項目名】０２１８
【補正方法】変更
【補正の内容】
【０２１８】
具体的には、第１コアネットワークノード１００（通信処理部１３１）は、上記第１の制御情報、上記第２の制御情報及び／又は上記第３の制御情報を含むＮＡＳメッセージを端末装置７００へ送信してもよい。基地局６００（第１通信処理部６４１）は、当該ＮＡＳメッセージを受信し、基地局６００（第２通信処理部６４３）は、当該ＮＡＳメッセージを端末装置７００へ送信してもよい。端末装置７００（通信処理部７３１）は、上記ＮＡＳメッセージを受信してもよい。
【手続補正７】
【補正対象書類名】明細書
【補正対象項目名】０２６０
【補正方法】変更
【補正の内容】
【０２６０】
−第１の例：通信サービス品質が達成されるか
第１の例として、上記測定は、アンライセンス周波数において上記通信サービス品質が達成されるかの測定である。
【手続補正８】
【補正対象書類名】明細書
【補正対象項目名】０２８５
【補正方法】変更
【補正の内容】
【０２８５】
−第１の例：通信サービス品質が達成されるか
第１の例として、上記測定は、アンライセンス周波数において上記通信サービス品質が達成されるかの測定である。
【手続補正９】
【補正対象書類名】明細書
【補正対象項目名】０２９９
【補正方法】変更
【補正の内容】
【０２９９】
基地局６００（情報取得部６３５）は、上記品質関連情報（端末装置７００から基地局６００へ送信された上記品質関連情報、又は、基地局６００により生成された上記品質関連情報）を取得する。そして、基地局６００（第２通信処理部６４３）は、上記品質関連情報に基づいて、端末装置７００のための周波数の切替えを行う。即ち、端末装置７００及び／又は基地局６００による測定により、アンライセンス周波数においてアンライセンス周波数用の通信サービス品質が達成されていないことが判明した場合に、基地局６００（第２通信処理部６４３）は、端末装置７００ための周波数の切替えを行う。
【手続補正１０】
【補正対象書類名】明細書
【補正対象項目名】０３０２
【補正方法】変更
【補正の内容】
【０３０２】
−通信ベアラごとの切替え
例えば、上記通信サービス品質は、通信ベアラのための通信サービス品質であり、記品質関連情報は、通信ベアラごとの生成される情報であり、上記切替えは、上記端末装置７００の通信ベアラのための周波数の切替えである。即ち、基地局６００（第２通信処理部６４３）は、端末装置７００の通信ベアラについての上記品質関連情報に基づいて、当該通信ベアラのための周波数の切替えを行う。
【手続補正１１】
【補正対象書類名】明細書
【補正対象項目名】０３０３
【補正方法】変更
【補正の内容】
【０３０３】
−アンライセンス周波数における通信の状況の考慮
例えば、基地局６００（第２通信処理部６４３）は、上記品質関連情報と、アンライセンス周波数における通信の状況とに基づいて、端末装置７００のための周波数の切替えを行う。
【手続補正１２】
【補正対象書類名】明細書
【補正対象項目名】０３０９
【補正方法】変更
【補正の内容】
【０３０９】
（７−３）その他
基地局６００（第２通信処理部６４３）が上記品質関連情報に基づいて端末装置７００のための周波数の切替えを行う例を説明したが、第１の実施形態はこの例に限定されない。例えば、基地局６００（第２通信処理部６４３）は、上記品質関連情報に基づいて、端末装置７００のための基地局（又はセル）の切替えを行ってもよい。当該基地局の切換えは、セカンダリ基地局（ＳｅＮＢ）の切替えであってもよく、ＷＬＡＮアクセスポイントの切替えであってもよい。
【手続補正１３】
【補正対象書類名】明細書
【補正対象項目名】０３３９
【補正方法】変更
【補正の内容】
【０３３９】
ＰＣＲＦ２００は、Ｐ−ＧＷ５００からＰＣＲＦ２００へ上記パラメータと、ＰＣＲＦ２００が保持する課金情報とに基づいて、Ｌｉｃｅｎｓｅ  Ｅｘｅｍｐｔ  Ａｃｃｅｓｓ  Ｐｏｌｉｃｙ（第２の制御情報）を生成する。さらに、ＰＣＲＦ２００は、上記パラメータと上記課金情報とに基づいて、アンライセンス周波数用の１つ以上のＱｏＳパラメータ（第１の制御情報）を生成し得る。ステップ１４で、ＰＣＲＦ２００は、Ｌｉｃｅｎｓｅ  Ｅｘｅｍｐｔ  Ａｃｃｅｓｓ  Ｐｏｌｉｃｙ（第２の制御情報）、及び、アンライセンス周波数用の１つ以上のＱｏＳパラメータ（第１の制御情報）を、Ｐ−ＧＷ５００へ送信する。
【手続補正１４】
【補正対象書類名】明細書
【補正対象項目名】０３４５
【補正方法】変更
【補正の内容】
【０３４５】
（１１）５Ｇシステムに関する補足
５Ｇシステムにおいても、上述したように、上記プリファレンス情報（Ｌｉｃｅｎｓｅ  Ｅｘｅｍｐｔ  Ａｃｃｅｓｓ  Ｐｒｅｆｅｒｅｎｃｅ）が、端末装置７００（ＵＥ７００）により提供される。例えば、ＵＲＬＬＣ（Ｕｌｔｒａ−Ｒｅｌｉａｂｌｅ  Ｌｏｗ−Ｌａｔｅｎｃｙ  Ｃｏｍｍｕｎｉｃａｔｉｏｎｓ）のように高信頼性且つ低遅延が望まれる場合には、ライセンスバンドが使用されることが望ましい。よって、このような場合には、例えば、上記プリファレンス情報は、「（２）アンライセンスバンドを用いることを許容しない」を示す。
【手続補正１５】
【補正対象書類名】明細書
【補正対象項目名】０４６９
【補正方法】変更
【補正の内容】
【０４６９】
（付記Ａ３９）
アンライセンス周波数用の通信サービス品質を示す第１の制御情報を受信する通信処理部と、
前記第１の制御情報に基づいて、アンライセンス周波数における前記通信サービス品質の達成状況についての測定を行う測定部と、
を備える端末装置。
【国際調査報告】
2019146721.tif 000029
2019146721.tif 000030